【事件の表示】
　上記当事者間の特許第３０６９０９２号「遊技機」の特許無効審判事件についてされた平成２１年１２月１５日付け審決に対し、知的財産高等裁判所において審決取消の決定（平成２２年行（ケ）１００２３号及び平成２２年行（ケ）１００４１号、平成２２年６月３０日決定）があったので、さらに審理のうえ、次のとおり審決する。
【結　論】
　特許第３０６９０９２号の請求項３、６、７、１０及び２６ないし２８については、平成２３年５月１１日付けの訂正請求による訂正を認める。
　特許第３０６９０９２号の請求項９及び２５については、平成２３年５月１１日付けの訂正請求による訂正を認めない。
　特許第３０６９０９２号の請求項３、６、７及び２６ないし２８に係る発明についての特許を無効とする。
　特許第３０６９０９２号の請求項１０に係る発明についての審判請求は、成り立たない。
　審判費用は、その１０分の１を請求人の負担とし、１０分の９を被請求人の負担とする。
【理　由】
第１．手続の経緯
１．本件無効審判請求前の主な経緯
　本件特許第３０６９０９２号は、特願平９−３５２１７１号（以下「Ｐ１出願」という。）及び特願平１０−２４３６９５号（以下「Ｐ２出願」といい、Ｐ１出願に基づく優先権主張がされている。）に基づく優先権を主張して出願された特願平１０−３３３７８２号（以下「原出願」といい、Ｐ１出願及びＰ２出願に基づく優先権主張がされている。）の一部を特許法４４条１項の規定により新たな出願とした特願平１１−１６０１８２号（以下「本件出願」といい、Ｐ１出願及びＰ２出願に基づく優先権主張がされている。）の特許であり、Ｐ１出願からの主な経緯は次のとおりである。
・平成　９年１２月　５日　Ｐ１出願
・平成１０年　８月２８日　Ｐ２出願
・平成１０年１１月２５日　原出願
・平成１１年　６月　７日　本件出願（特願平１１−１６０１８２号）
・平成１２年　５月１９日　設定登録
　　　　　　　　　　　　　（特許第３０６９０９２号、請求項数２４）
・平成１３年　１月２５日　特許異議申立（異議２００１−７０２７１号）
・平成１４年　５月　９日　取消理由通知
・平成１４年　６月２７日　訂正請求
・平成１４年　８月　１日　異議決定（訂正を認め、特許維持）
　
２．本件の主な経緯
・平成１９年　８月２０日　本件特許無効審判の請求
　　　　　　　　　　　　　（対象請求項１〜８及び１０）
（書面には同月１８日の日付が記載されている。）
・平成１９年１１月　６日　被請求人より答弁書提出
（書面には同月５日の日付が記載されている。）
・平成１９年１１月２８日　無効理由通知
・平成２０年　１月　４日　請求人より意見書及び弁駁書提出
（書面には平成１９年１２月２９日の日付が記載されている。）
・平成２０年　１月１８日　被請求人より意見書及び訂正請求書提出
（書面には同月１７日の日付が記載されている。）
・平成２０年　２月１９日　訂正拒絶理由通知
・平成２０年　３月２１日　被請求人より証人尋問申立書
　　　　　　　　　　　　　及び尋問事項書提出
・平成２０年　５月１３日　被請求人より上申書提出
・平成２０年　５月２３日　請求人より上申書提出
（書面には同月２１日の日付が記載されている。）
・平成２０年　５月３０日　請求人より上申書（１）、（２）提出
・平成２０年　５月３０日　被請求人より口頭審理陳述要領書、
　　　　　　　　　　　　　上申書（１）〜上申書（６）、
　　　　　　　　　　　　　証人尋問申立書及び尋問事項書提出
・平成２０年　５月３０日　証人尋問及び口頭審理
・平成２０年　７月　１日　被請求人より意見書提出
（書面には６月３０日の日付が記載されている。）
・平成２０年　７月　８日　請求人より意見書提出
（書面には６月３０日の日付が記載されている。）
・平成２０年１０月１５日　審決（訂正を認めず、特許無効）
・平成２０年１１月２６日　被請求人による審決取消訴訟の提起
　　　　　　　　　　　　　（平成２０年（行ケ）１０４４６号）
・平成２１年　２月　６日　訂正審判の請求
　　　　　　　　　　　　　（訂正２００９−３９００１０号）
（平成２１年　２月２３日付けで訂正拒絶理由が通知されている。）
・平成２１年　２月２７日　特許法１８１条２項の規定に基づく決定
（特許庁が無効２００７−８００１６７号事件について平成２０年１０月１５日にした審決を取り消す。）
・平成２１年　３月　５日　特許法１３４条の３第２項の規定に基づく
　　　　　　　　　　　　　通知書
・平成２１年　３月１２日　被請求人より上申書提出
・平成２１年　３月１９日　被請求人より訂正請求書提出
・平成２１年　４月３０日　請求人より弁駁書提出
（書面には同月２７日の日付が記載されている。）
・平成２１年　６月１８日　被請求人より答弁書提出
（書面には同月１７日の日付が記載されている。）
・平成２１年　６月２６日　被請求人より上申書提出
・平成２１年　７月　３日　被請求人より上申書提出
・平成２１年　７月　８日　被請求人より上申書提出
・平成２１年１２月１５日　審決（訂正を認め、請求項３、６及び７は請求
　　　　　　　　　　　　　不成立、請求項１０、２６〜２８は特許無効）
・平成２２年　１月２３日　請求人による審決取消訴訟の提起
　　　　　　　　　　　　　（平成２２年（行ケ）１００２３号）
・平成２２年　２月　５日　被請求人による審決取消訴訟の提起
　　　　　　　　　　　　　（平成２２年（行ケ）１００４１号）
・平成２２年　５月　６日　訂正審判の請求
　　　　　　　　　　　　　（訂正２０１０−３９００４２号）
・平成２２年　６月３０日　特許法１８１条２項の規定に基づく決定
　　　　　　　　　　　　　（平成２１年１２月１５日付け審決の取消し）
・平成２２年　７月２６日　被請求人より訂正請求書提出
・平成２２年　９月　２日　請求人より弁駁書提出
・平成２３年　４月　１日　訂正拒絶理由通知、無効理由通知
・平成２３年　５月　５日　請求人より意見書提出
・平成２３年　５月１１日　被請求人より意見書及び訂正請求書提出
・平成２３年　６月１７日　請求人より意見書及び上申書提出
　
３．本件特許に関する別途無効審判事件の主な経緯
＜無効２００６−８００４９号審判事件＞
・平成１８年　３月２７日　請求項１の特許に対して無効審判請求
　　　　　　　　　　　　　（請求人：サミー株式会社）
・平成１８年　６月２７日　被請求人より答弁書提出
・平成１８年１１月２７日　請求人より弁駁書提出
・平成１９年　９月２０日　審決（請求項１の特許は有効）
・平成１９年１０月２２日　請求人による審決取消訴訟の提起
　　　　　　　　　　　　　（平成１９年（行ケ）１０３５９号）
・平成２０年　３月２１日　特許法１８１条２項の規定に基づく決定
　　　　　　　　　　　　　（平成１９年９月２０日付け審決の取消し）
・平成２０年　５月　７日　審判合議体より中止通知発送
（その後の訂正請求で請求項１が削除されているため）
・平成２３年　７月２１日　請求取下
　
＜無効２００６−８０１１２号審判事件＞
・平成１８年　６月１３日　請求項１の特許に対して無効審判請求
　　　　　　　　　　　　　（請求人：サミー株式会社）
・平成１８年　９月　４日　被請求人より答弁書、訂正請求書提出
・平成１８年１１月２７日　請求人より弁駁書提出
・平成１９年　４月　９日　口頭審理
・平成１９年　９月２０日　審決（請求項１の特許を無効とする。）
・平成１９年１０月２２日　被請求人による審決取消訴訟の提起
　　　　　　　　　　　　　（平成１９年（行ケ）１０３７１号）
・平成２０年　３月２１日　特許法１８１条２項の規定に基づく決定
　　　　　　　　　　　　　（平成１９年９月２０日付け審決の取消し）
・平成２０年　５月　７日　審判合議体より中止通知発送
（その後の訂正請求で請求項１が削除されているため）
・平成２３年　７月２１日　請求取下
　
＜無効２００６−８０１１６号審判事件＞
・平成１８年　６月２１日　請求項１〜２４の特許に対して無効審判請求
　　　　　　　　　　　　　（請求人：サミー株式会社）
・平成１８年　９月１１日　被請求人より答弁書、訂正請求書提出
・平成１８年１１月２７日　請求人より弁駁書提出
・平成１９年　４月　９日　口頭審理
・平成１９年　９月２０日　審決（請求項３、４、６、８〜１０及び１４
　　　　　　　　　　　　　の特許は有効、それ以外は無効）
・平成１９年１０月２２日　請求人による審決取消訴訟の提起
　　　　　　　　　　　　　（平成１９年（行ケ）１０３６０号）
・平成１９年１０月３１日　被請求人による審決取消訴訟の提起
　　　　　　　　　　　　　（平成１９年（行ケ）１０３７２号）
・平成２０年　１月１７日　訂正審判の請求
　　　　　　　　　　　　　（訂正２００８−３９０００７号）
・平成２０年　３月２１日　特許法１８１条２項の規定に基づく決定
　　　　　　　　　　　　　（平成１９年９月２０日付け審決の取消し）
・平成２０年　４月１４日　被請求人より訂正請求書・意見書提出
・平成２０年　５月２９日　請求人より弁駁書提出
・平成２０年１１月１９日　審決（訂正を認め、審判請求不成立）
・平成２０年１２月１１日　請求人による審決取消訴訟の提起
　　　　　　　　　　　　　（平成２０年（行ケ）１０４６７号）
・平成２２年　３月１０日　判決言渡（請求項３、６、７、９、１８及び
　　　　　　　　　　　　　２５について審決取消し、請求項１０、２６
　　　　　　　　　　　　　、２８及び２９について請求棄却）
・平成２３年　５月１３日　被請求人より訂正請求書・上申書提出
・平成２３年　６月２１日　請求人より弁駁書提出
・平成２３年　７月２１日　請求取下
　
　
第２．訂正請求について
１．はじめに
　まず、この審決においては、平成２３年５月１１日の訂正請求（以下「本件訂正」という。）に係る明細書及び図面並びに特許請求の範囲の請求項について、それぞれ「訂正後の明細書」並びに「訂正後の請求項」と記載することとする。
　また、請求項３、６、７、１０及び２６〜２８に関して、平成１４年６月２７日の訂正請求（以下「異議時訂正」という。）に係る明細書及び図面を「本件特許明細書」と記載し、本件特許明細書に記載の請求項について「訂正前の請求項」と記載し、請求項９、１８及び２５に関して、平成２１年３月１９日の訂正請求（以下「一次審決後の訂正」という。）に係る明細書及び図面を「本件特許明細書２」と記載し、本件特許明細書２に記載の請求項について「訂正前の請求項」と記載することとする。
　そして、訂正後の請求項に係る発明を、請求項番号に応じて「訂正発明１」などと記載し、これらを総称して「本件訂正発明」といい、訂正前の請求項に係る発明を、請求項番号に応じて「訂正前発明１」などと記載し、これらを総称して「本件訂正前発明」ということとする。
　なお、本件の平成２１年１２月２５日付け審決（以下「本件二次審決」という。）により、本件特許明細書の請求項１、２、４、５、８、１１〜１７、１９〜２４の削除が確定するとともに、本件特許明細書２に記載されている請求項９、１８及び２５の訂正が確定している（本件二次審決については、後述の（参考１）を参照）。
　さらに、無効２００６−８０１１６号審判事件の審決取消訴訟（平成２０年（行ケ）１０４６７号）の判決（平成２０年１１月１９日付け審決中、請求項３、６、７、９、１８及び２５に係る部分を取り消す。原告（審判請求人）のその余の請求を棄却する。）について、原告（審判請求人）は、上告期間内に上告していないから、当該事件における平成２０年４月１４日付けの訂正請求（以下「１１６事件訂正」という。）における請求項１０、２６、２８及び２９の訂正が確定している（当該請求項１０、２６、２８及び２９に対する審決は、後述の（参考２）を参照）。
　そうしてみると、訂正後の請求項１０及び２６〜２８は、それぞれ確定した１１６事件訂正における請求項１０、２６、２８及び２９（以下これらを「１１６事件確定【請求項１０】」等という。）を訂正しようとするものである。
　
２．本件訂正の内容
　本件訂正は、以下の訂正事項からなっている。
（ａ）訂正事項ａ
　特許請求の範囲の【請求項３】を以下のとおり訂正する。
【訂正前】（平成１４年６月２７日の訂正請求）
「　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記音発生手段によって発生される効果音の種類、および前記連動演出手段によって演出される連動表示態様の種類の組合せを、前記入賞態様決定手段で決定された入賞態様に応じて選択する報知態様選択手段とから構成されることを特徴とする請求項１または請求項２に記載の遊技機。」
【訂正後】
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、前記音発生手段によって発生される効果音の種類と、前記連動演出手段によって演出される連動表示態様の種類との組合せを、前記入賞態様決定手段で決定された入賞態様に応じて選択する報知態様選択手段とから構成され、
　前記報知態様選択手段により選択された効果音の種類により配当のある複数の特定の入賞態様を含む入賞態様であることが報知され、前記効果音の種類とその後の連動表示態様の種類との組合せにより１つの入賞態様であることが報知されることを特徴とする遊技機。」
　
（ｂ）訂正事項ｂ
　特許請求の範囲の【請求項６】を以下のとおり訂正する。
【訂正前】（平成１４年６月２７日の訂正請求）
「　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記各列の可変表示の全てが停止したときに複数の表示態様の中の１つの表示態様で演出する停止演出手段と、前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する報知態様選択手段とから構成されることを特徴とする請求項１または請求項２に記載の遊技機。」
【訂正後】
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記報知態様とは異なる報知態様による報知であって、前記可変表示停止手段によって各列の前記可変表示が停止されるのに連動して行われる報知と、前記各列の可変表示の全てが停止したときに行われる報知とからなり、
　前記報知手段は、前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、前記各列の可変表示の全てが停止したときに複数の表示態様の中の１つの表示態様で演出する停止演出手段と、前記音発生手段によって発生される効果音の種類と、前記連動演出手段によって演出される連動表示態様の種類と、前記停止演出手段によって演出される停止表示態様の種類との組合せを、前記入賞態様決定手段で決定された入賞態様に応じて選択する報知態様選択手段とから構成され、
　前記報知態様選択手段は、前記効果音の種類により配当のある複数の特定の入賞態様を含む入賞態様であることを報知し、前記効果音の種類とその後の連動表示態様の種類との組合せにより１つの入賞態様であることを報知するとともに当該入賞態様に対応する前記停止表示態様の種類を報知することを特徴とする遊技機。」
　
（ｃ）訂正事項ｃ
　特許請求の範囲の【請求項７】を以下のとおり訂正する。
【訂正前】（平成１４年６月２７日の訂正請求）
「　前記連動演出手段は、前記可変表示停止手段によって前記各列の可変表示が停止されるのに連動し、複数の表示態様の中の１つの表示態様で演出することを特徴とする請求項３または請求項５または請求項６に記載の遊技機。」
【訂正後】
「　前記連動演出手段は、前記可変表示停止手段によって前記各列の可変表示が停止されるのに連動し、複数の表示態様の中の１つの表示態様で演出することを特徴とする請求項３または請求項６に記載の遊技機。」
　
（ｄ）訂正事項ｄ
　特許請求の範囲の【請求項９】を以下のとおり訂正する。
【訂正前】（平成２１年３月１９日の訂正請求）
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって各列の前記可変表示が停止されるのに連動し、複数の表示態様の中の１つの表示態様で演出する連動演出手段と、抽出乱数を各報知態様に区画するデータからなる報知選択抽選確率テーブルを参照して報知する入賞態様を選択し、前記音発生手段によって発生される効果音の種類、および前記連動演出手段によって演出される連動表示態様の種類の組合せを、演出態様組合せテーブルを参照して報知する入賞態様に応じて選択する報知態様選択手段とから構成され、
　前記報知態様選択手段により選択された、効果音の種類及び連動表示態様の種類の組合せからなる報知情報を報知することを特徴とする遊技機。」
【訂正後】
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、抽出乱数を各報知態様に区画するデータからなる報知選択抽選確率テーブルを参照して報知する入賞態様を選択し、前記音発生手段によって発生される効果音の種類と、前記連動演出手段によって演出される連動表示態様の種類との組合せを、演出態様組合せテーブルを参照して報知する入賞態様に応じて選択する報知態様選択手段とから構成され、
　前記報知態様選択手段により選択された効果音の種類により配当のある複数の特定の入賞態様を含む入賞態様であることが報知され、前記効果音の種類とその後の連動表示態様の種類との組合せにより１つの入賞態様であることが報知される報知情報を報知することを特徴とする遊技機。」
　
（ｅ）訂正事項ｅ
　特許請求の範囲の【請求項１０】を以下のとおり訂正する。
【訂正前】（１１６事件訂正）
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、配当のある複数の異なる入賞態様に共通して演出される報知態様による報知と、その後の、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記各列の可変表示の全てが停止したときに複数の表示態様の中の１つの表示態様で演出する停止演出手段と、前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択することを特徴とする遊技機。」
【訂正後】
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、配当のある複数の異なる入賞態様に共通して演出される報知態様による報知と、その後の、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記各列の可変表示の全てが停止したときに複数の表示態様の中の１つの表示態様で演出する停止演出手段と、前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択するものであり、
　前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではなく、
　前記演出態様組合せは、遊技状態が一般遊技中においてボーナスが入賞態様となった場合、及び遊技状態がボーナスの内部当たり中である場合にのみ前記報知態様選択手段によって選択される複数の確定パターンを含み、
　前記ボーナスは、少なくとも種類の異なる２つのボーナスがあり、
　前記確定パターンは、２つのボーナスのうち、一方のボーナスの当選フラグが成立している場合にのみ選択される第１の確定パターンと、他方のボーナスの当選フラグが成立している場合にのみ選択される第２の確定パターンと、２つのボーナスのいずれかの当選フラグが成立している場合に選択される第３の確定パターンとを含み、
　前記デモ抽選テーブル選択テーブルにより、遊技状態が一般遊技中においてボーナスが入賞態様となった場合、及び遊技状態がボーナスの内部当たり中である場合に選択されるデモ抽選テーブルは、当該デモ抽選テーブルに対応づけされた複数の演出態様組合せの一部が前記確定パターンであり、
　前記報知態様選択手段は、遊技状態が一般遊技中においてボーナスが入賞態様となった場合には、前記第１の確定パターン及び前記第２の確定パターンを選択せず前記第３の確定パターンのみを選択するように構成され、遊技状態がボーナスの内部当たり中である場合には、前記第１の確定パターン乃至前記第３の確定パターンを選択しうるように構成されており、
　前記報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高いことを特徴とする遊技機。」
　
（ｆ）訂正事項ｆ
　特許請求の範囲の【請求項２５】を以下のとおり訂正する。
【訂正前】（平成２１年３月１９日の訂正請求）
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示手段によって前記可変表示が開始されるときに行われる報知であって、配当のある複数の異なる入賞態様に共通して演出される報知態様による報知と、その後の、前記報知態様とは異なる報知態様による報知であって、前記可変表示停止手段によって各列の前記可変表示が停止されるのに連動して行われる報知と、前記各列の可変表示の全てが停止したときに行われる報知とからなり、
　前記報知手段は、前記可変表示開始手段によって前記可変表示が開始されるときに複数の効果音の中の１つの音を発生させる音発生手段と、前記可変表示停止手段によって各列の前記可変表示が停止されるのに連動し、複数の表示態様の中の１つの表示態様で演出する連動演出手段と、前記各列の可変表示の全てが停止したときに複数の表示態様の中の１つの表示態様で演出する停止演出手段と、抽出乱数を各報知態様に区画するデータからなる報知選択抽選確率テーブルを参照して報知する入賞態様を選択し、前記音発生手段によって発生される効果音の種類、前記連動演出手段によって演出される連動表示態様の種類および前記停止演出手段によって演出される停止表示態様の種類の組合せを、演出態様組合せテーブルを参照して報知する入賞態様に応じて選択する報知態様選択手段とから構成され、
　前記報知態様選択手段は、前記効果音の種類と前記連動表示態様の種類との組合せに一意に対応する前記停止表示態様の種類を、前記入賞態様決定手段で決定された入賞態様に応じて選択することを特徴とする遊技機。」
【訂正後】
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示手段によって前記可変表示が開始されるときに行われる報知であって、配当のある複数の異なる入賞態様に共通して演出される報知態様による報知と、その後の、前記報知態様とは異なる報知態様による報知であって、前記可変表示停止手段によって各列の前記可変表示が停止されるのに連動して行われる報知と、前記各列の可変表示の全てが停止したときに行われる報知とからなり、
　前記報知手段は、前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、前記各列の可変表示の全てが停止したときに複数の表示態様の中の１つの表示態様で演出する停止演出手段と、抽出乱数を各報知態様に区画するデータからなる報知選択抽選確率テーブルを参照して報知する入賞態様を選択し、前記音発生手段によって発生される効果音の種類と、前記連動演出手段によって演出される連動表示態様の種類と、前記停止演出手段によって演出される停止表示態様の種類との組合せを、演出態様組合せテーブルを参照して報知する入賞態様に応じて選択する報知態様選択手段とから構成され、
　前記報知態様選択手段は、前記効果音の種類により配当のある複数の特定の入賞態様を含む入賞態様であることを報知し、前記効果音の種類とその後の連動表示態様の種類との組合せにより１つの入賞態様であることを報知するとともに当該入賞態様に対応する前記停止表示態様の種類を報知することを特徴とする遊技機。」
　
（ｇ）訂正事項ｇ
　特許請求の範囲の【請求項２６】を以下のとおり訂正する。
【訂正前】（１１６事件訂正）
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、配当のある複数の異なる入賞態様に共通して演出される報知態様による報知と、その後の、前記報知態様とは異なる報知態様による報知とからなり、
　前記報知手段は、前記可変表示開始手段によって前記可変表示が開始されるときに複数の効果音の中の１つの音を発生させる音発生手段と、前記各列の可変表示の全てが停止したときに複数の表示態様の中の１つの表示態様で演出する停止演出手段と、前記音発生手段によって発生される効果音の種類、および前記停止演出手段によって演出される停止表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択することを特徴とする遊技機。」
【訂正後】
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、配当のある複数の異なる入賞態様に共通して演出される報知態様による報知と、その後の、前記報知態様とは異なる報知態様による報知とからなり、
　前記報知手段は、前記可変表示開始手段によって前記可変表示が開始されるときに複数の効果音の中の１つの音を発生させる音発生手段と、前記各列の可変表示の全てが停止したときに複数の表示態様の中の１つの表示態様で演出する停止演出手段と、前記音発生手段によって発生される効果音の種類、および前記停止演出手段によって演出される停止表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択するものであり、
　前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではないことを特徴とする遊技機。」
　
（ｈ）訂正事項ｈ
　１１６事件確定【請求項２８】を【請求項２７】に繰り上げた上で、以下のとおり訂正する。
【訂正前】（１１６事件訂正）
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって少なくとも１列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記音発生手段によって発生される効果音の種類、および前記連動演出手段によって演出される連動表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択することを特徴とする遊技機。」
【訂正後】
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって少なくとも１列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記音発生手段によって発生される効果音の種類、および前記連動演出手段によって演出される連動表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択するものであり、
　前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではないことを特徴とする遊技機。」
　
（ｉ）訂正事項ｉ
　１１６事件確定【請求項２９】を【請求項２８】に繰り上げた上で、以下のとおり訂正する。
【訂正前】（１１６事件訂正）
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって少なくとも１列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記音発生手段によって発生される効果音の種類、および前記連動演出手段によって演出される連動表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択し、
　前記音発生手段は、前記連動演出手段によって前記各列の表示が演出される毎に、予め定められた種類または長さの効果音を発生させることを特徴とする遊技機。」
【訂正後】
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって少なくとも１列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記音発生手段によって発生される効果音の種類、および前記連動演出手段によって演出される連動表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択し、
　前記音発生手段は、前記連動演出手段によって前記各列の表示が演出される毎に、予め定められた種類または長さの効果音を発生させるものであり、
　前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではないことを特徴とする遊技機。」
　
（ｊ）訂正事項ｊ
　本件特許明細書の段落番号【００１１】を以下のとおり訂正する。
【訂正前】
「【課題を解決するための手段】
　本発明はこのような課題を解決するためになされたもので、乱数抽選によって遊技の入賞態様を決定する入賞態様決定手段と、種々の図柄を複数列に可変表示し，入賞態様決定手段で決定された入賞態様に応じた図柄組み合わせを各列に停止表示する可変表示装置と、この可変表示装置の可変表示を開始させる可変表示開始手段と、可変表示を各列毎に停止させる可変表示停止手段とを備えて構成される遊技機において、入賞態様決定手段は、複数の入賞態様からなる確率テーブルを有し，抽出された乱数が確率テーブルのいずれかの入賞態様に属したとき，その属した入賞態様の当選フラグを成立させ、可変表示停止手段は、遊技者が操作可能な停止ボタンからなり，この停止ボタンの操作タイミングに応じて可変表示を各列毎に停止させるが，前記当選フラグが成立していても、停止ボタンが前記当選フラグに対応した図柄を有効化入賞ライン上に停止できる所定タイミングで操作されないと、有効化入賞ライン上に入賞が発生する図柄組み合わせを停止表示させない制御を行い、可変表示開始手段によって可変表示が開始され、可変表示停止手段によって可変表示が停止される１回の遊技の中で、入賞態様決定手段で決定された入賞態様に対応した報知情報を所定確率で遊技者に報知する報知手段を備え、前記報知情報が、配当のある複数の異なる入賞態様に共通して演出される報知態様による報知と、その後の、前記報知態様とは異なる報知態様による報知とからなることを特徴とする（請求項１）。」
【訂正後】
「【課題を解決するための手段】
　本発明はこのような課題を解決するためになされたもので，乱数抽選によって遊技の入賞態様を決定する入賞態様決定手段と，種々の図柄を複数列に可変表示し，前記入賞態様決定手段で決定された入賞態様に応じた図柄組み合わせを前記各列に停止表示する可変表示装置と，この可変表示装置の可変表示を開始させる可変表示開始手段と，前記可変表示を各列毎に停止させる可変表示停止手段とを備えて構成される遊技機において，前記入賞態様決定手段は，複数の入賞態様からなる確率テーブルを有し，抽出された乱数が前記確率テーブルのいずれかの入賞態様に属したとき，その属した入賞態様の当選フラグを成立させ，前記可変表示停止手段は，遊技者が操作可能な停止ボタンからなり，この停止ボタンの操作タイミングに応じて前記可変表示を各列毎に停止させるが，前記当選フラグが成立していても，前記停止ボタンが前記当選フラグに対応した図柄を有効化入賞ライン上に停止できる所定タイミングで操作されないと，前記有効化入賞ライン上に入賞が発生する図柄組み合わせを停止表示させない制御を行い，前記可変表示開始手段によって前記可変表示が開始され，前記可変表示停止手段によって前記可変表示が停止される１回の遊技の中で，前記入賞態様決定手段で決定された入賞態様に対応した報知情報を所定確率で遊技者に報知する報知手段を備え，前記報知情報が，前記可変表示開始手段によって前記可変表示が開始されるときに行われる報知であって，配当のある複数の異なる入賞態様に共通して演出される報知態様による報知と，その後の，前記可変表示停止手段によって各列の前記可変表示が停止されるのに連動して行われる報知であって，前記報知態様とは異なる報知態様による報知とからなり，前記報知手段は，前記可変表示開始手段によって前記可変表示が開始されるときに複数の効果音の中の１つの音を発生させる音発生手段と，前記可変表示停止手段によって各列の前記可変表示が停止されるのに連動して各列の表示を演出し，各列の表示で構成される複数の連動表示態様の中の１つの連動表示態様で演出する連動演出手段と，前記音発生手段によって発生される効果音の種類と，前記連動演出手段によって演出される連動表示態様の種類との組合せを，前記入賞態様決定手段で決定された入賞態様に応じて選択する報知態様選択手段とから構成され，前記報知態様選択手段により選択された効果音の種類により配当のある複数の特定の入賞態様を含む入賞態様であることが報知され、前記効果音の種類とその後の連動表示態様の種類との組合せにより１つの入賞態様であることが報知されることを特徴とする（請求項３）。」
　
（ｋ）訂正事項ｋ
　願書に添付した明細書の段落番号【００１５】を削除する。
　
（ｌ）訂正事項ｌ
　願書に添付した明細書の段落番号【００１８】を削除する。
　
（ｍ）訂正事項ｍ
　願書に添付した明細書の段落番号【００１９】を削除する。
　
（ｎ）訂正事項ｎ
　願書に添付した明細書の段落番号【００２０】を削除する。
　
（ｏ）訂正事項ｏ
　願書に添付した明細書の段落番号【００２１】を削除する。
　
３．平成２３年４月１日付け訂正拒絶理由通知の概略
（１）訂正の目的の適否及び拡張変更の存否
　請求項３、６、９及び２５について、平成２２年７月２６日付けの訂正請求によって、「効果音の種類により配当のある複数の特定の入賞態様を含む入賞態様であることを報知し、その後の各列の連動表示態様の種類の組合せにより１つの入賞態様であることを報知する」点を追加している。
　しかし、訂正前の明細書等の【図１８】によれば、遊技開始音の種類によって配当のある複数の特定の入賞態様（ＲＢとＢＢ）を含む入賞態様であることが報知されるとはいえるものの、その後の各列の連動表示態様の種類の組合せにより１つの入賞態様であることが報知されるということはできない（例えば、連動表示態様がリールランプ消灯パターン２の場合、２枚チェリーとＲＢのどちらであるか分からない）。
　よって、上記の点を追加する訂正事項は、特許法１３４条の２第５項において準用する同法１２６条３項の規定に適合していない。
　
（２）請求項９、１８及び２５の独立特許要件について
　本訂正拒絶理由通知書と同日付けの無効理由通知書に示した証拠等を考慮すると、これらの請求項に対する訂正が、特許請求の範囲の減縮を目的とするものであったとしても、訂正後の請求項９、１８及び２５に係る発明は独立特許要件（進歩性）を欠く可能性があるので、今後の訂正請求においては注意が必要である。
　特に、請求項１８については、請求項９のみならず、請求項３、６、７のいずれか１項をも引用しているため、請求項３、６、７のいずれかに特許請求の範囲の減縮又は誤記の訂正を目的とする訂正が行われた場合、独立特許要件の判断を行わなければならないところ、請求項１８記載の「乱数発生手段」、「乱数抽出手段」及び「乱数区分手段」は、ともに遊技機の分野において従来常套の手段であるため、請求項３、６又は７の進歩性が否定されれば、請求項１８の進歩性も否定される。
　なお、本件二次審決においては、本件特許明細書２の請求項９、１８及び２５に係る発明を進歩性のあるものと判断したが、本件特許第３０６９０９２号に対する別の無効審判事件である無効２００６−８０１１６号の審決取消訴訟判決（平成２０年（行ケ）第１０４６７号、平成２２年３月１０日判決言渡、以下「参考判決」という。）に鑑みると、進歩性を欠く可能性がある。
　
４．本件訂正に関する請求人の主張
　平成２３年６月１７日付け意見書（以下「請求人意見書」という。）における、本件訂正に関する請求人の主張は次のとおりである。
（１）意見の内容（4頁、６．（１））
　本件訂正によって訂正された請求項は、いずれも新規事項を追加するものであり、また、請求項１０は実質上特許請求の範囲を変更するものであるから、特許法１３４条の２第５項で準用する同法１２６条３項及び５項の規定に違反し、訂正が認められる余地はない。
　
（２）新規事項の追加
（ア）訂正事項ａ〜ｄ及びｆについて（4〜5頁、６．（２）（ア））
　訂正事項ａ〜ｄ及びｆは、いずれも「効果音の種類により配当のある複数の特定の入賞態様を含む入賞態様であることを報知」することを含む訂正であるが、「入賞態様を含む入賞態様」の記載は不明確である。すなわち、「入賞態様」は「ハズレ」も含むものであるため、報知されるべき「入賞態様」が「〜を含む入賞態様」であるならば、全ての入賞態様を含むこととなる。よって「報知」すべき入賞態様を絞って報知しているものとは認められず、また、この点については明細書中に記載がない。
　したがって、上記訂正は新規事項を追加するものである。
　
（イ）訂正事項ｅ及びｇ〜ｉについて（5〜7頁、６．（２）（イ））
　訂正事項ｅ及びｇ〜ｉは、それぞれ「前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」点を追加するものであるが、「ボーナスの内部当たり中であってボーナスの種類により異なる遊技状態においては、入賞態様とデモ抽選テーブルとのすべての対応が同一ではない」との文言は不明確である。ここで、その記載が「遊技状態が異なれば、入賞態様とデモ抽選テーブルとの対応が同一のものは１つもない」ことを意味すると解すれば、本件特許明細書の図５３はそのような構成となっておらず、その他の記載においてもそのような構成は示されていない。
　したがって、上記訂正は新規事項を追加するものである。
　
（ウ）訂正事項ｅについて（8頁、６．（２）（ウ））
　訂正事項ｅは、訂正前の請求項１０について「前記ボーナスは、少なくとも種類の異なる２つのボーナスがある」点を追加するものであり、３種類以上のボーナスも含まれるが、本件特許明細書に開示されているボーナスはＢＢとＲＢの２種類のみであり、３種類以上のボーナスは開示されていない。
　したがって、訂正事項ｅは新規事項を追加するものである。
　
（３）実質上特許請求の範囲の変更について（8〜15頁、６．（３））
　訂正前の請求項１０は、本件特許明細書の段落【０１２５】以降に記載の第２の実施形態に対応すると解することができ、その作用効果は同段落【０２０６】〜【０２１１】に記載されている。
　その一方、訂正後の請求項１０の特有の作用効果については、本件特許明細書のいずれの箇所にも記載されていないことが判明した。その作用効果については、本件訂正と同日（平成２３年５月１１日）付けの意見書（21〜22頁）に記載されているに過ぎず、そのような効果は本件特許明細書に何ら記載されていない。
　以上より、訂正後の請求項１０の特有の作用効果は、訂正前の請求項１０では奏しない新たな作用効果を付加したものである。
　したがって、訂正前後において請求項１０の作用効果は異なっており、実質的に同一ではなく、請求項１０における訂正事項ｅにかかる訂正は、実質上特許請求の範囲を変更するものである。
　
５．本件訂正に関する被請求人の主張
　平成２３年５月１１日付け意見書（以下「被請求人意見書」という。）における、本件訂正についての被請求人の主張は次のとおりである。
　訂正拒絶理由に対して（1〜4頁、５．Ｉ．（１）〜（４））
　訂正事項ａにより、意図が明確に分かるように「前記報知手段は、前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、前記音発生手段によって発生される効果音の種類と、前記連動演出手段によって演出される連動表示態様の種類との組合せを、前記入賞態様決定手段で決定された入賞態様に応じて選択する報知態様選択手段とから構成され、前記報知態様選択手段により選択された効果音の種類により配当のある複数の特定の入賞態様を含む入賞態様であることが報知され、前記効果音の種類とその後の連動表示態様の種類との組合せにより１つの入賞態様であることが報知される」と訂正した。
　これにより、訂正拒絶理由は解消したものと思料する。
　
　また、訂正拒絶理由では「報知態様選択手段」にそのような報知機能があるというのは不可解であると説示しているが、本件特許明細書の段落【０１１７】及び【０１１９】に、「最後のリールランプ点滅Ｂの視覚効果により、「２枚チェリー」当選フラグが立っていたことを確認する。」及び「最後のリールランプ点滅Ｃの視覚効果により、ＢＢフラグが成立していることを確認し、リールランプ点滅Ｃの点滅パターンを楽しむ。」と記載されているように、「報知態様選択手段」にそのような確認するための報知機能があるのであり、不可解とはいえないものである。
　
　さらに、平成２３年５月１１日付け訂正請求書における、訂正後の請求項９、１８及び２５の独立特許要件についての被請求人の主張は次のとおりである。（33〜34頁、６（５））
　訂正発明９は訂正発明３に対し、「抽出乱数を各報知態様に区画するデータからなる報知選択抽選確率テーブルを参照して報知する入賞態様を選択」すること、及び連動表示態様の種類の組合せを「演出態様組合せテーブルを参照して報知する入賞態様に応じて」選択すると限定したものであり、
　訂正発明１８は訂正発明３、６、７及び９に対し、「前記入賞態様決定手段は、一定範囲の乱数を発生させる乱数発生手段と、この乱数発生手段で発生した乱数の中から任意の乱数を抽出する乱数抽出手段と、この乱数抽出手段で抽出された乱数を各入賞態様に区分けする乱数区分手段とから構成されている」と限定したものであり、
　訂正発明２５は訂正発明６に対し、「抽出乱数を各報知態様に区画するデータからなる報知選択抽選確率テーブルを参照して報知する入賞態様を選択」すること、及び停止表示態様の種類の組合せを「演出態様組合せテーブルを参照して報知する入賞態様に応じて」選択すると限定したものである。
　本訂正請求書と同日付けで提出した意見書で陳述したとおり、訂正発明３、６、７及び９はいずれも特許法２９条２項の規定に該当するものではないから、訂正発明９、１８及び２５は独立特許要件を充足する。
　
６．訂正の適否の判断
（１）訂正事項ａ（請求項３）について
　訂正事項ａ中に含まれる訂正内容を、個別の訂正事項として列記すると以下のとおりである。
＜訂正事項ａ１＞
　訂正前の請求項３が引用する請求項１に記載されていた「配当のある複数の異なる入賞態様に共通して演出される報知態様による報知」に「前記可変表示開始手段によって前記可変表示が開始されるときに行われる報知であって」という報知時機についての限定を付す。
＜訂正事項ａ２＞
　訂正前の請求項３が引用する請求項１に記載されていた「前記報知態様とは異なる報知態様による報知」に「前記可変表示停止手段によって各列の前記可変表示が停止されるのに連動して行われる報知であって」という報知時機についての限定を付す。
＜訂正事項ａ３＞
　訂正前の請求項３に記載された「前記可変表示停止手段によって少なくとも１列の前記可変表示が停止されるのに連動し、複数の表示態様の中の１つの表示態様で演出する連動演出手段」を「前記可変表示停止手段によって各列の前記可変表示が停止されるのに連動して各列の表示を演出し、各列の表示で構成される複数の連動表示態様の中の１つの連動表示態様で演出する連動演出手段」として、「少なくとも１列の」を「各列の」と限定するとともに、連動演出手段の演出態様を限定する。
＜訂正事項ａ４＞
　訂正前の請求項３に記載された「前記音発生手段によって発生される効果音の種類、および前記連動演出手段によって演出される連動表示態様の種類の組合せ」を「前記音発生手段によって発生される効果音の種類と、前記連動演出手段によって演出される連動表示態様の種類との組合せ」とする。
＜訂正事項ａ５＞
　訂正前の請求項３に「前記報知態様選択手段により選択された効果音の種類により配当のある複数の特定の入賞態様を含む入賞態様であることが報知され、前記効果音の種類とその後の連動表示態様の種類との組合せにより１つの入賞態様であることが報知される」点を追加する。
　
　まず、訂正事項ａが特許法１３４条の２第１項ただし書の規定に適合するかについて検討する。
　訂正事項ａ１〜ａ３は、いずれも訂正前発明３が備える構成に限定を加え、訂正事項ａ５は、訂正前発明３に新たな構成を追加するものであるから、同項ただし書１号にいう、特許請求の範囲の減縮を目的としたものと認められる。
　また、訂正事項ａ４は、「Ａ、およびＢの組合せ」という表現を「Ａと、Ｂとの組合せ」という表現に言い換えるものであって、訂正前後でその意味は変わらないから、同項ただし書３号にいう、明りようでない記載の釈明を目的としたものと認められる。
　次に、訂正事項ａが特許法１３４条の２第５項において準用する同法１２６条３項及び４項の規定に適合するかについて検討する。
　本件特許明細書の段落【００１６】に「可変表示が開始されるときに音発生手段によって発生される効果音の種類，各列の可変表示が停止されるのに連動して連動演出手段によって順次演出される各列の表示態様の種類、および各列の可変表示の全てが停止したときに停止演出手段によって演出される可変表示装置の表示態様の種類の組合せにより、入賞態様を遊技者に報知させると効果的である」と記載されていることから、訂正事項ａ１〜ａ３はいずれも、本件特許明細書に記載した事項の範囲内のものであるということができ、かつ、実質上特許請求の範囲を拡張し、又は変更するものでもない。
　また、訂正事項ａ４は、上記のとおり訂正前後でその意味は変わらないから、本件特許明細書に記載した事項の範囲内のものであり、かつ、実質上特許請求の範囲を拡張し、又は変更するものでもないことも明らかである。
　さらに、本件特許明細書の【図１８】によれば、遊技開始音と連動表示態様の組合せのみによって、対応する報知当選フラグは定まるから、さらに付加される停止表示態様は、報知当選フラグとの対応を示す上では必須でない確認的な報知演出に過ぎないことがわかり、段落【０１１９】にもＢＢフラグ成立の際の例のみではあるが、同趣旨の記載がある。
　よって、音発生手段によって発生される効果音の種類、連動演出手段によって順次演出される各列の表示態様の種類（連動表示態様の種類）及び停止演出手段によって演出される可変表示装置の表示態様の種類（停止表示態様の種類）の組合せから停止表示態様の種類を省略し、効果音の種類により配当のある複数の特定の入賞態様を含む入賞態様であることが報知され、その効果音の種類とその後の連動表示態様の種類との組合せにより１つの入賞態様であることが報知されることは、本件特許明細書から明らかな事項といえる。
　したがって、訂正事項ａ５は本件特許明細書に記載した事項の範囲内のものであるということができ、かつ、実質上特許請求の範囲を拡張し、又は変更するものでもない。
　以上のとおりであるから、訂正事項ａは、特許法１３４条の２第１項ただし書及び同条５項において準用する同法１２６条３項及び４項の規定に適合する。
　
　なお、請求人は、請求人意見書（4〜5頁、６．（２）（ア））において、「入賞態様」は「ハズレ」も含むものであるため、報知されるべき「入賞態様」が「〜を含む入賞態様」であるならば、全ての入賞態様を含むこととなる。よって「報知」すべき入賞態様を絞って報知しているものとは認められず、また、この点については明細書中に記載がない旨主張している。
　しかし、「効果音の種類により配当のある複数の特定の入賞態様を含む入賞態様であることが報知される」というのは、効果音の種類がある種類（Ａ）である時には配当のある複数の特定の入賞態様を含む入賞態様であり、効果音の種類がＡ以外の種類（Ｂ）である時には配当のある複数の特定の入賞態様を含む入賞態様ではないことが報知されると解するのが適当であるから、上記請求人の主張は当を得ない。
　
（２）訂正事項ｂ（請求項６）について
　訂正事項ｂ中に含まれる訂正内容を、個別の訂正事項として列記すると以下のとおりである。
＜訂正事項ｂ１＞
　訂正前の請求項６が引用する請求項１に記載されていた「配当のある複数の異なる入賞態様に共通して演出される報知態様による報知」に「前記可変表示開始手段によって前記可変表示が開始されるときに行われる報知であって」という報知時機についての限定を付す。
＜訂正事項ｂ２＞
　訂正前の請求項６が引用する請求項１に記載された「前記報知態様とは異なる報知態様による報知」を「前記報知態様とは異なる報知態様による報知であって、前記可変表示停止手段によって各列の前記可変表示が停止されるのに連動して行われる報知と、前記各列の可変表示の全てが停止したときに行われる報知」として、「前記報知態様とは異なる報知態様による報知」に報知時期についての限定を付す。
＜訂正事項ｂ３＞
　訂正前の請求項６に記載された「前記可変表示停止手段によって少なくとも１列の前記可変表示が停止されるのに連動し、複数の表示態様の中の１つの表示態様で演出する連動演出手段」を「前記可変表示停止手段によって各列の前記可変表示が停止されるのに連動して各列の表示を演出し、各列の表示で構成される複数の連動表示態様の中の１つの連動表示態様で演出する連動演出手段」として、「少なくとも１列の」を「各列の」と限定するとともに、連動演出手段の演出態様を限定する。
＜訂正事項ｂ４＞
　訂正前の請求項６に記載された「前記音発生手段によって発生される効果音の種類、前記連動演出手段によって演出される連動表示態様の種類および前記停止演出手段によって演出される停止表示態様の種類の組合せ」を「前記音発生手段によって発生される効果音の種類と、前記連動演出手段によって演出される連動表示態様の種類と、前記停止演出手段によって演出される停止表示態様の種類との組合せ」とする。
＜訂正事項ｂ５＞
　訂正前の請求項６に記載された「報知態様選択手段」に関して、「前記効果音の種類により配当のある複数の特定の入賞態様を含む入賞態様であることを報知し、前記効果音の種類とその後の連動表示態様の種類との組合せにより１つの入賞態様であることを報知するとともに当該入賞態様に対応する前記停止表示態様の種類を報知する」点を追加する。
　
　まず、訂正事項ｂが特許法１３４条の２第１項ただし書の規定に適合するかについて検討する。
　訂正事項ｂ１〜ｂ３及びｂ５は、いずれも訂正前発明６が備える構成を限定するものであるから、同項ただし書１号にいう、特許請求の範囲の減縮を目的としたものと認められ、訂正事項ｂ４は、「Ａ、ＢおよびＣの組合せ」という表現を「Ａと、Ｂと、Ｃとの組合せ」という表現に言い換えるものであって、訂正前後でその意味は変わらないから、同項ただし書３号にいう、明りようでない記載の釈明を目的としたものと認められる。
　次に、訂正事項ｂが特許法１３４条の２第５項において準用する同法１２６条３項及び４項の規定に適合するかについて検討する。
　上記（１）において訂正事項ａ１〜ａ３について述べたと同様、本件特許明細書の段落【００１６】の記載から、訂正事項ｂ１〜ｂ３はいずれも、本件特許明細書に記載した事項の範囲内のものであるということができ、かつ、実質上特許請求の範囲を拡張し、又は変更するものでもない。
　また、訂正事項ｂ４は、上記のとおり訂正前後でその意味は変わらないから、本件特許明細書に記載した事項の範囲内のものであり、かつ、実質上特許請求の範囲を拡張し、又は変更するものでもないことも明らかである。
　さらに、訂正事項ｂ５についても、上記（１）において訂正事項ａ５について述べたと同様、本件特許明細書の段落【００１６】の記載に加え、【図１８】及び段落【０１１９】の記載によれば、本件特許明細書に記載した事項の範囲内のものであるということができ、かつ、実質上特許請求の範囲を拡張し、又は変更するものでもない。
　以上のとおりであるから、訂正事項ｂは、特許法１３４条の２第１項ただし書及び同条５項において準用する同法１２６条３項及び４項の規定に適合する。
　
（３）訂正事項ｃ（請求項７）について
　訂正事項ｃは、訂正前の請求項７が引用していた請求項３または請求項５または請求項６から請求項５を削除し、請求項３または請求項６を引用するものに訂正するものであるから、実質的に請求項５を引用していた訂正前の請求項７を削除するものである。
　そうしてみると、訂正事項ｃは、特許法１３４条の２第１項ただし書１号にいう、特許請求の範囲の減縮を目的としたものと認められ、本件特許明細書に記載した事項の範囲内のものであるとともに、実質上特許請求の範囲を拡張し、又は変更するものでもないことが明らかであるから、同条５項において準用する同法１２６条３項及び４項の規定にも適合する。
　さらに、請求項３及び請求項６に関する訂正は、上記（１）及び（２）に述べたとおり適法であるから、請求項３または請求項６を引用する訂正後の請求項７も適法なものということができる。
　
（４）訂正事項ｄ（請求項９）について
　訂正事項ｄ中に含まれる訂正内容を、個別の訂正事項として列記すると以下のとおりである。
＜訂正事項ｄ１＞
　訂正前の請求項９に記載された「前記可変表示停止手段によって各列の前記可変表示が停止されるのに連動し、複数の表示態様の中の１つの表示態様で演出する連動演出手段」を「前記可変表示停止手段によって各列の前記可変表示が停止されるのに連動して各列の表示を演出し、各列の表示で構成される複数の連動表示態様の中の１つの連動表示態様で演出する連動演出手段」として、「複数の表示態様」について「各列の表示を演出し、各列の表示で構成される複数の連動表示態様」と限定する。
＜訂正事項ｄ２＞
　訂正前の請求項９に記載された「前記音発生手段によって発生される効果音の種類、および前記連動演出手段によって演出される連動表示態様の種類の組合せ」を「前記音発生手段によって発生される効果音の種類と、前記連動演出手段によって演出される連動表示態様の種類との組合せ」とする。
＜訂正事項ｄ３＞
　訂正前の請求項９に記載された「効果音の種類及び連動表示態様の種類の組合せからなる報知情報」を「効果音の種類により配当のある複数の特定の入賞態様を含む入賞態様であることが報知され、前記効果音の種類とその後の連動表示態様の種類との組合せにより１つの入賞態様であることが報知される報知情報」と限定する。
　
　まず、訂正事項ｄが特許法１３４条の２第１項ただし書の規定に適合するかについて検討する。
　訂正事項ｄ１及びｄ３は、いずれも訂正前発明９が備える構成を限定するものであるから、同項ただし書１号にいう、特許請求の範囲の減縮を目的としたものと認められ、訂正事項ｄ２は、「Ａ、およびＢの組合せ」という表現を「Ａと、Ｂとの組合せ」という表現に言い換えるものであって、訂正前後でその意味は変わらないから、同項ただし書３号にいう、明りようでない記載の釈明を目的としたものと認められる。
　次に、訂正事項ｄが特許法１３４条の２第５項において準用する同法１２６条３項及び４項の規定に適合するかについて検討する。
　上記（１）において訂正事項ａ１〜ａ３について述べたと同様、本件特許明細書の段落【００１６】の記載から、訂正事項ｄ１は本件特許明細書に記載した事項の範囲内のものであるということができ、かつ、実質上特許請求の範囲を拡張し、又は変更するものでもない。
　また、訂正事項ｄ２は、上記のとおり訂正前後でその意味は変わらないから、本件特許明細書に記載した事項の範囲内のものであり、かつ、実質上特許請求の範囲を拡張し、又は変更するものでもないことも明らかである。
　さらに、訂正事項ｄ３についても、上記（１）において訂正事項ａ５について述べたと同様、本件特許明細書の段落【００１６】の記載に加え、【図１８】及び段落【０１１９】の記載によれば、本件特許明細書に記載した事項の範囲内のものであるということができ、かつ、実質上特許請求の範囲を拡張し、又は変更するものでもない。
　以上のとおりであるから、訂正事項ｄは、特許法１３４条の２第１項ただし書及び同条５項において準用する同法１２６条３項及び４項の規定に適合する。
　なお、請求項９は本件無効審判の請求対象外であって、特許法１３４条の２第１項ただし書１号に掲げる事項を目的とする訂正を含んでいるので、同条５項において準用する同法１２６条５項の規定（独立特許要件）を満たす必要があるが、その判断については後述する。
　また、請求項１８は、本件訂正では変更されていないが、請求項９を引用しているため、訂正発明９とともに上記独立特許要件を満たす必要があるので、その判断についても後述する。
　
（５）訂正事項ｅ（請求項１０）について
　訂正事項ｅ中に含まれる訂正内容を、個別の訂正事項として列記すると以下のとおりである。
＜訂正事項ｅ１＞
　１１６事件確定【請求項１０】に、「デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではな」い点を追加する。
＜訂正事項ｅ２＞
　１１６事件確定【請求項１０】に、「演出態様組合せは、遊技状態が一般遊技中においてボーナスが入賞態様となった場合、及び遊技状態がボーナスの内部当たり中である場合にのみ前記報知態様選択手段によって選択される複数の確定パターンを含み、
　前記ボーナスは、少なくとも種類の異なる２つのボーナスがあり、
　前記確定パターンは、２つのボーナスのうち、一方のボーナスの当選フラグが成立している場合にのみ選択される第１の確定パターンと、他方のボーナスの当選フラグが成立している場合にのみ選択される第２の確定パターンと、２つのボーナスのいずれかの当選フラグが成立している場合に選択される第３の確定パターンとを含」む点を追加する。
＜訂正事項ｅ３＞
　１１６事件確定【請求項１０】に、「前記デモ抽選テーブル選択テーブルにより、遊技状態が一般遊技中においてボーナスが入賞態様となった場合、及び遊技状態がボーナスの内部当たり中である場合に選択されるデモ抽選テーブルは、当該デモ抽選テーブルに対応づけされた複数の演出態様組合せの一部が前記確定パターンであ」る点を追加する。
＜訂正事項ｅ４＞
　１１６事件確定【請求項１０】に、「前記報知態様選択手段は、遊技状態が一般遊技中においてボーナスが入賞態様となった場合には、前記第１の確定パターン及び前記第２の確定パターンを選択せず前記第３の確定パターンのみを選択するように構成され、遊技状態がボーナスの内部当たり中である場合には、前記第１の確定パターン乃至前記第３の確定パターンを選択しうるように構成されており、
　前記報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高い」点を追加する。
　
　まず、訂正事項ｅが特許法１３４条の２第１項ただし書の規定に適合するかについて検討する。
　訂正事項ｅ１〜ｅ４は、いずれも１１６事件確定【請求項１０】に係る発明に新たな構成を追加するものであるから、同項ただし書１号にいう、特許請求の範囲の減縮を目的としたものと認められる。
　
　次に、訂正事項ｅが特許法１３４条の２第５項において準用する同法１２６条３項及び４項の規定に適合するかについて検討する。
＜訂正事項ｅ１について＞
　本件特許明細書の段落【０１５１】〜【０１５３】及び【図５３】の記載によれば、一般遊技中、ＲＢ内部当たり中及びＢＢ内部当たり中の各遊技状態（訂正事項ｅ１の「ボーナス・ゲーム作動中を除く各遊技状態」に相当）において、当選フラグ（訂正事項ｅ１の「入賞態様」に相当）毎に異なるデモ抽選テーブルが対応していることが分かる。
　また、上記【図５３】の記載から、ＲＢ内部当たり中及びＢＢ内部当たり中の各遊技状態におけるＦＬＧＣＴＲ（訂正事項ｅ１の「入賞態様」に相当）とテーブルＮｏ．（訂正事項ｅ１の「デモ抽選テーブル」に相当）との対応関係は、すべてが同一ではなく一部が異なっているので（具体的には、「２枚チェリー」、「ベル」及び「リプレイ」は同一であり、「はずれ」、「４枚チェリー」及び「スイカ」は異なっている。）、本件特許明細書には、訂正事項ｅ１の「ボーナスの内部当たり中であってボーナスの種類により異なる遊技状態においては、入賞態様とデモ抽選テーブルとのすべての対応が同一ではな」い、という構成も記載されているといえる。
　したがって、訂正事項ｅ１は本件特許明細書に記載した事項の範囲内のものであるということができ、かつ、実質上特許請求の範囲を拡張し、又は変更するものでもない。
　
　請求人は、上記４．（２）（イ）に記載したように、請求人意見書（5〜7頁、６．（２）（イ））において、「ボーナスの内部当たり中であってボーナスの種類により異なる遊技状態においては、入賞態様とデモ抽選テーブルとのすべての対応が同一ではない」という追加事項について、不明確又は新規事項の追加である旨主張している。
　確かに、請求人主張のとおり、上記追加事項の文言だけで判断すると、２つの解釈が可能であるかもしれないが、本件特許明細書全体の記載を参酌すれば、請求人意見書の第７頁に記載されている「遊技状態が異なれば，入賞態様とデモ抽選テーブルとの対応が同一のものは１つもない」という解釈を採用するべきではなく、同じく請求人意見書の第７頁に記載されている「ボーナスの内部当たり中であってボーナスの種類により異なる遊技状態においては，入賞態様とデモ抽選テーブルとの対応が同一でないものがある」と解釈するのが適当である。
　
＜訂正事項ｅ２について＞
　本件特許明細書の段落【０１５８】、【図５３】〜【図５６】及び【図５８】の記載によれば、ＲＢ内部当たり中またはＢＢ内部当たり中（訂正事項ｅ２の「遊技状態が一般遊技中においてボーナスが入賞態様となった場合、及び遊技状態がボーナスの内部当たり中である場合」に相当）にのみ現れる１１種類の確定パターンが演出態様組合せに含まれていることが分かるので、訂正事項ｅ２の「演出態様組合せ」が「遊技状態が一般遊技中においてボーナスが入賞態様となった場合、及び遊技状態がボーナスの内部当たり中である場合にのみ前記報知態様選択手段によって選択される複数の確定パターンを含む」点が記載されているといえる。
　また、本件特許明細書の段落【００７０】及び【図５３】等の記載から、ボーナスフラグとして「ＲＢ」当選フラグや「ＢＢ」当選フラグがあることが分かり、スロットマシンにおける技術常識や本件特許明細書の段落【０００５】の記載に照らして、ボーナスフラグを「ＲＢ」と「ＢＢ」のみに限るものでないことは明らかであるから、本件特許明細書には、訂正事項ｅ２の「前記ボーナスは、少なくとも種類の異なる２つのボーナスがある」という構成が記載されているといえる。
　さらに、本件特許明細書の段落【０１５１】〜【０１５８】及び【図５３】〜【図５６】の記載から、１１種類の確定パターンのうち、確定パターン１はテーブルＮｏ．１４（ＢＢ内部当たり中において入賞態様がはずれ時のテーブル）の上から２段目の抽選値の場合にのみ選択され、確定パターン２はテーブルＮｏ．８（ＲＢ内部当たり中において入賞態様がはずれ時のテーブル）の上から２段目の抽選値の場合にのみ選択され、確定パターン３〜７、９及び１１はＲＢ内部当たり中若しくはＢＢ内部当たり中に選択されるテーブルにおいて、いずれも内部当たり中のフラグがＲＢ、ＢＢのいずれでも選択される可能性があり、確定パターン８はテーブルＮｏ．６（一般遊技中において入賞態様がＲＢ時のテーブル）の下から３段目の抽選値の場合、テーブルＮｏ．７（一般遊技中において入賞態様がＢＢ時のテーブル）の下から３段目の抽選値の場合又はテーブルＮｏ．１２（ＲＢ内部当たり中において入賞態様がリプレイ時のテーブル）の最下段の抽選値の場合に選択され、確定パターン１０はテーブルＮｏ．６（一般遊技中において入賞態様がＲＢ時のテーブル）の下から２段目の抽選値の場合、テーブルＮｏ．７（一般遊技中において入賞態様がＢＢ時のテーブル）の下から２段目の抽選値の場合又はテーブルＮｏ．１６（ＢＢ内部当たり中において入賞態様がリプレイ時のテーブル）の最下段の抽選値の場合に選択されることが分かり、確定パターン１が訂正事項ｅ２の「一方のボーナスの当選フラグが成立している場合にのみ選択される第１の確定パターン」に相当し、確定パターン２が訂正事項ｅ２の「他方のボーナスの当選フラグが成立している場合にのみ選択される第２の確定パターン」に相当し、確定パターン３〜１１が訂正事項ｅ２の「２つのボーナスのいずれかの当選フラグが成立している場合に選択される第３の確定パターン」に相当するものといえるので、本件特許明細書には、訂正事項ｅ２の「前記確定パターンは、２つのボーナスのうち、一方のボーナスの当選フラグが成立している場合にのみ選択される第１の確定パターンと、他方のボーナスの当選フラグが成立している場合にのみ選択される第２の確定パターンと、２つのボーナスのいずれかの当選フラグが成立している場合に選択される第３の確定パターンとを含」む、という構成が記載されているといえる。
　したがって、訂正事項ｅ２は本件特許明細書に記載した事項の範囲内のものであるということができ、かつ、実質上特許請求の範囲を拡張し、又は変更するものでもない。
　
＜訂正事項ｅ３について＞
　本件特許明細書の段落【０１５１】〜【０１５８】及び【図５３】〜【図５６】の記載から、一般遊技中において入賞態様がＲＢ時のテーブルＮｏ．６、一般遊技中において入賞態様がＢＢ時のテーブルＮｏ．７及びＲＢ内部当たり中又はＢＢ内部当たり中において選択されるテーブルＮｏ．８〜１６（訂正事項ｅ３の「遊技状態が一般遊技中においてボーナスが入賞態様となった場合、及び遊技状態がボーナスの内部当たり中である場合に選択されるデモ抽選テーブル」に相当）は、いずれも各テーブルに対応づけされた複数の演出態様組合せの一部が確定パターン１〜１１のいずれかとなっているから、本件特許明細書には、訂正事項ｅ３の「前記デモ抽選テーブル選択テーブルにより、遊技状態が一般遊技中においてボーナスが入賞態様となった場合、及び遊技状態がボーナスの内部当たり中である場合に選択されるデモ抽選テーブルは、当該デモ抽選テーブルに対応づけされた複数の演出態様組合せの一部が前記確定パターンであ」る、という構成が記載されているといえる。
　したがって、訂正事項ｅ３は本件特許明細書に記載した事項の範囲内のものであるということができ、かつ、実質上特許請求の範囲を拡張し、又は変更するものでもない。
　
＜訂正事項ｅ４について＞
　本件特許明細書の段落【０１５１】〜【０１５８】及び【図５３】〜【図５６】の記載から、一般遊技中において入賞態様がＲＢ時のテーブルＮｏ．６及び一般遊技中において入賞態様がＢＢ時のテーブルＮｏ．７において選択される可能性のある確定パターンは、確定パターン８及び１０のみであり、ＲＢ内部当たり中又はＢＢ内部当たり中において選択されるテーブルＮｏ．８〜１６において選択される可能性のある確定パターンは、確定パターン１〜１１のすべてであることが分かる。
　また、上記テーブルＮｏ．６において確定パターン８又は１０が選択される確率は１２８分の１４、上記テーブルＮｏ．７において確定パターン８又は１０が選択される確率は１２８分の１２、上記テーブルＮｏ．８において確定パターン２、９又は１１が選択される確率は１２８分の１９、上記テーブルＮｏ．９において確定パターン４、６又は９が選択される確率は１２８分の３２、上記テーブルＮｏ．１０において確定パターン７が選択される確率は１２８分の６８、上記テーブルＮｏ．１１において確定パターン３、９又は１１が選択される確率は１２８分の２８、上記テーブルＮｏ．１２において確定パターン４又は８が選択される確率は１２８分の３８、上記テーブルＮｏ．１３において確定パターン５又は１１が選択される確率は１２８分の２６、上記テーブルＮｏ．１４において確定パターン１、９又は１１が選択される確率は１２８分の１６、上記テーブルＮｏ．１５において確定パターン７が選択される確率は１２８分の４８、上記テーブルＮｏ．１６において確定パターン４又は１０が選択される確率は１２８分の２６となっており、ＲＢ内部当たり中又はＢＢ内部当たり中において選択されるテーブルＮｏ．８〜１６において確定パターンのいずれかが選択される確率は、一般遊技中において入賞態様がＲＢ時のテーブルＮｏ．６及び一般遊技中において入賞態様がＢＢ時のテーブルＮｏ．７において確定パターンのいずれかが選択される確率より高くなっていることが分かる。
　そして、上記テーブルＮｏ．６及び７は、訂正事項ｅ４における「遊技状態が一般遊技中においてボーナスが入賞態様となった場合」に選択されるデモ抽選テーブル、上記テーブルＮｏ．８〜１６は、訂正事項ｅ４における「遊技状態がボーナスの内部当たり中である場合」に選択されるデモ抽選テーブルといえるとともに、上記＜訂正事項ｅ２について＞の項で述べたとおり、確定パターン８及び１０はいずれも訂正事項ｅ２及びｅ４の「前記第３の確定パターン」に相当し、確定パターン１〜１１は訂正事項ｅ４の「前記第１の確定パターン乃至前記第３の確定パターン」に相当しているから、本件特許明細書には、訂正事項ｅ４の「前記報知態様選択手段は、遊技状態が一般遊技中においてボーナスが入賞態様となった場合には、前記第１の確定パターン及び前記第２の確定パターンを選択せず前記第３の確定パターンのみを選択するように構成され、遊技状態がボーナスの内部当たり中である場合には、前記第１の確定パターン乃至前記第３の確定パターンを選択しうるように構成されており、
　前記報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高い」という構成が記載されているといえる。
　したがって、訂正事項ｅ４は本件特許明細書に記載した事項の範囲内のものであるということができ、かつ、実質上特許請求の範囲を拡張し、又は変更するものでもない。
　
　以上のとおりであるから、訂正事項ｅは、特許法１３４条の２第１項ただし書及び同条５項において準用する同法１２６条３項及び４項の規定に適合する。
　
　請求人は、上記４．（３）に記載したように、請求人意見書（8〜15頁、６．（３））において、訂正後の請求項１０の特有の作用効果は、訂正前の請求項１０では奏しない新たな作用効果を付加したものであるから、請求項１０における訂正事項ｅにかかる訂正は、実質上特許請求の範囲を変更するものである旨主張している。
　しかし、訂正前後における請求項１０に係る発明は、効果音の種類、連動表示態様の種類及び停止表示態様の種類の組合せによって、決定された入賞態様を遊技者に報知する点で共通しており、訂正後の請求項１０に係る発明においては、本件特許明細書の段落【０１５８】の記載等から、確定パターンが選択されたときには、決定された入賞態様が１００％の確率でボーナス（ＲＢまたはＢＢ）であることを遊技者に報知できることが分かる。
　また、本件特許明細書の段落【０１５１】〜【０１５８】及び【図５３】〜【図５６】の記載から、確定パターン１のときは決定された入賞態様が１００％の確率でＢＢであること、確定パターン２のときは決定された入賞態様が１００％の確率でＲＢであることを遊技者に報知できることも把握できるのであるから、訂正後の請求項１０に係る発明のみが奏する作用効果は、決定された入賞態様を遊技者に報知するという目的で付加された訂正事項ｅに係る構成に伴って奏される作用効果であるといえる。
　そうしてみると、訂正後の請求項１０に係る発明は、訂正前の請求項１０に係る発明の具体的な目的の範囲を逸脱したものではなく、訂正事項ｅによって発明の目的が変更されたということはできないので、訂正事項ｅは実質上特許請求の範囲を変更するものではない。
　
（６）訂正事項ｆ（請求項２５）について
　訂正事項ｆ中に含まれる訂正内容を、個別の訂正事項として列記すると以下のとおりである。
＜訂正事項ｆ１＞
　訂正前の請求項２５に記載された「前記可変表示停止手段によって各列の前記可変表示が停止されるのに連動し、複数の表示態様の中の１つの表示態様で演出する連動演出手段」を「前記可変表示停止手段によって各列の前記可変表示が停止されるのに連動して各列の表示を演出し、各列の表示で構成される複数の連動表示態様の中の１つの連動表示態様で演出する連動演出手段」として、「複数の表示態様」について「各列の表示を演出し、各列の表示で構成される複数の連動表示態様」と限定する
＜訂正事項ｆ２＞
　訂正前の請求項２５に記載された「発生手段によって発生される効果音の種類、前記連動演出手段によって演出される連動表示態様の種類および前記停止演出手段によって演出される停止表示態様の種類の組合せ」を「前記音発生手段によって発生される効果音の種類と、前記連動演出手段によって演出される連動表示態様の種類と、前記停止演出手段によって演出される停止表示態様の種類との組合せ」とする。
＜訂正事項ｆ３＞
　訂正前の請求項２５に記載された「前記効果音の種類と前記連動表示態様の種類との組合せに一意に対応する前記停止表示態様の種類を、前記入賞態様決定手段で決定された入賞態様に応じて選択する」を「前記効果音の種類により配当のある複数の特定の入賞態様を含む入賞態様であることを報知し、前記効果音の種類とその後の連動表示態様の種類との組合せにより１つの入賞態様であることを報知するとともに当該入賞態様に対応する前記停止表示態様の種類を報知する」と限定する。
　
　まず、訂正事項ｆが特許法１３４条の２第１項ただし書の規定に適合するかについて検討する。
　訂正事項ｆ１及びｆ３は、いずれも訂正前発明２５が備える構成を限定するものであるから、同項ただし書１号にいう、特許請求の範囲の減縮を目的としたものと認められ、訂正事項ｆ２は、「Ａ、ＢおよびＣの組合せ」という表現を「Ａと、Ｂと、Ｃとの組合せ」という表現に言い換えるものであって、訂正前後でその意味は変わらないから、同項ただし書３号にいう、明りようでない記載の釈明を目的としたものと認められる。
　次に、訂正事項ｆが特許法１３４条の２第５項において準用する同法１２６条３項及び４項の規定に適合するかについて検討する。
　訂正事項ｆ１は、上記（４）に記載した訂正事項ｄ１と実質的に同じ訂正事項であるから、上記（１）において訂正事項ａ１〜ａ３について述べたと同様、本件特許明細書の段落【００１６】の記載から、訂正事項ｆ１は本件特許明細書に記載した事項の範囲内のものであるということができ、かつ、実質上特許請求の範囲を拡張し、又は変更するものでもない。
　また、訂正事項ｆ２は、上記のとおり訂正前後でその意味は変わらないから、本件特許明細書に記載した事項の範囲内のものであり、かつ、実質上特許請求の範囲を拡張し、又は変更するものでもないことも明らかである。
　さらに、訂正事項ｆ３についても、上記（１）において訂正事項ａ５について述べたと同様、本件特許明細書の段落【００１６】の記載に加え、【図１８】及び段落【０１１９】の記載によれば、本件特許明細書に記載した事項の範囲内のものであるということができ、かつ、実質上特許請求の範囲を拡張し、又は変更するものでもない。
　以上のとおりであるから、訂正事項ｆは、特許法１３４条の２第１項ただし書及び同条５項において準用する同法１２６条３項及び４項の規定に適合する。
　なお、請求項２５は本件無効審判の請求対象外であって、特許法１３４条の２第１項ただし書１号に掲げる事項を目的とする訂正を含んでいるので、同条５項において準用する同法１２６条５項の規定（独立特許要件）を満たす必要があるが、その判断については請求項９及び１８と同様に後述する。
　
（７）訂正事項ｇ（請求項２６）について
　訂正事項ｇは、１１６事件確定【請求項２６】について、上記訂正事項ｅ１と同じ訂正を加えるものであって、その訂正内容は以下のとおりである。
　１１６事件確定【請求項２６】に記載された「デモ抽選テーブル選択テーブル」に関して、「ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」点を追加する。
　
　訂正事項ｇは、１１６事件確定【請求項２６】に新たな構成を追加するものであるから、特許法１３４条の２第１項ただし書１号にいう、特許請求の範囲の減縮を目的としたものと認められる。
　そして、上記＜訂正事項ｅ１について＞の項で検討したとおり、本件特許明細書には、段落【０１５１】〜【０１５３】及び【図５３】の記載から、「前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」という構成が記載されているといえるので、訂正事項ｇは本件特許明細書に記載した事項の範囲内のものであるということができ、かつ、実質上特許請求の範囲を拡張し、又は変更するものでもない。
　よって、訂正事項ｇは、特許法１３４条の２第１項ただし書及び同条５項において準用する同法１２６条３項及び４項の規定に適合する。
　
（８）訂正事項ｈ（請求項２７）について
　訂正事項ｈは、１１６事件確定【請求項２８】を【請求項２７】に繰り上げた上で、上記訂正事項ｅ１と同じ訂正を加えるものであって、その訂正内容は以下のとおりである。
　繰り上げた【請求項２７】に記載された「デモ抽選テーブル選択テーブル」に関して、「ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」点を追加する。
　
　まず、１１６事件確定【請求項２８】を【請求項２７】に繰り上げる訂正は、特許法１３４条の２第１項ただし書２号にいう誤記の訂正又は同ただし書３号にいう明りようでない記載の釈明を目的とするものであり、本件特許明細書に記載した事項の範囲内のものであるということができ、かつ、実質上特許請求の範囲を拡張し、又は変更するものでもない。
　また、訂正事項ｈは、上記繰り上げた【請求項２７】に新たな構成を追加するものであるから、上記ただし書１号にいう、特許請求の範囲の減縮を目的としたものと認められる。
　そして、上記＜訂正事項ｅ１について＞の項で検討したとおり、本件特許明細書には、段落【０１５１】〜【０１５３】及び【図５３】の記載から、「前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」という構成が記載されているといえるので、訂正事項ｈは本件特許明細書に記載した事項の範囲内のものであるということができ、かつ、実質上特許請求の範囲を拡張し、又は変更するものでもない。
　よって、訂正事項ｈは、特許法１３４条の２第１項ただし書及び同条５項において準用する同法１２６条３項及び４項の規定に適合する。
　
（９）訂正事項ｉ（請求項２８）について
　訂正事項ｉは、１１６事件確定【請求項２９】を【請求項２８】に繰り上げた上で、上記訂正事項ｅ１と同じ訂正を加えるものであって、その訂正内容は以下のとおりである。
　繰り上げた【請求項２８】に記載された「デモ抽選テーブル選択テーブル」に関して、「ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」点を追加する。
　
　まず、１１６事件確定【請求項２９】を【請求項２８】に繰り上げる訂正は、特許法１３４条の２第１項ただし書２号にいう誤記の訂正又は同ただし書３号にいう明りようでない記載の釈明を目的とするものであり、本件特許明細書に記載した事項の範囲内のものであるということができ、かつ、実質上特許請求の範囲を拡張し、又は変更するものでもない。
　また、訂正事項ｉは、上記繰り上げた【請求項２８】に新たな構成を追加するものであるから、上記ただし書１号にいう、特許請求の範囲の減縮を目的としたものと認められる。
　そして、上記＜訂正事項ｅ１について＞の項で検討したとおり、本件特許明細書には、段落【０１５１】〜【０１５３】及び【図５３】の記載から、「前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」という構成が記載されているといえるので、訂正事項ｉは本件特許明細書に記載した事項の範囲内のものであるということができ、かつ、実質上特許請求の範囲を拡張し、又は変更するものでもない。
　よって、訂正事項ｉは、特許法１３４条の２第１項ただし書及び同条５項において準用する同法１２６条３項及び４項の規定に適合する。
　
（１０）訂正事項ｊ〜ｏ（発明の詳細な説明）について
　訂正事項ｊは、特許請求の範囲（請求項３）の訂正に伴い、これに対応する発明の詳細な説明の記載を整合させるための訂正であるから、いずれも特許法１３４条の２第１項ただし書３号にいう、明りようでない記載の釈明を目的としたものと認められるとともに、訂正後の請求項３は、上記（１）で検討したとおり、本件特許明細書に記載した事項の範囲内のものであるということができ、かつ、実質上特許請求の範囲を拡張し、又は変更するものでもない。
　また、訂正事項ｋ〜ｏは、いずれも一次審決後の訂正による請求項２、１１及び１２の削除（確定済み）に伴い、これに対応する発明の詳細な説明の記載を削除する訂正であるから、いずれも特許法１３４条の２第１項ただし書３号にいう、明りようでない記載の釈明を目的としたものと認められ、いずれも本件特許明細書に記載した事項の範囲内のものであり、かつ、実質上特許請求の範囲を拡張し、又は変更するものでもないことが明らかである。
　よって、訂正事項ｊ〜ｏは、特許法１３４条の２第１項ただし書及び同条５項において準用する同法１２６条３項及び４項の規定に適合する。
　
（１１）独立特許要件違反について
　上記（４）及び（６）で述べたように、訂正発明９、１８及び２５は本件無効審判の対象外であるので、特許法１３４条の２第５項において準用する同法１２６条５項の規定（独立特許要件）を満たす必要がある。
　そこで、上記３．（２）に記載したように、平成２３年４月１日付け訂正拒絶理由で指摘した参考判決における進歩性欠如の理由を中心に検討する。
　なお、この審決においては、「甲第２８号証」及び「丙第１号証」を、それぞれ「甲２８」及び「丙１」と記載し、「甲第２９号証」や「丙第２号証」等についても同様に記載することとする。
　
（１１−１）甲２８に記載されている発明
　請求人が証拠方法として提出した甲２８（特開平８−１１７３９０号公報、参考判決における引用例１）には、図面とともに以下の記載がある。
【請求項１】複数の図柄を可変表示する可変表示部と、ゲーム毎にサンプリングされる乱数値を予め設定された入賞確率テーブル中のデータと照合することにより入賞態様を判定し、その判定した入賞態様に対応する図柄の組合せが出現するように前記可変表示部の可変表示動作を停止制御する制御部とを備えた遊技機において、・・・
【請求項４】請求項３の遊技機において、前記可変表示部は外周に複数の図柄を配列した複数の回転リールで構成され、・・・
【００２３】【作用】本発明の遊技機においては、制御部は、ゲーム毎に乱数をサンプリングし、その乱数値を予め設定された入賞確率テーブル中のデータと照合することで入賞態様（入賞か否か、そして入賞の場合は、その種類）を判定し、その判定結果により可変表示部の可変表示動作を停止制御する。
【００２７】また、「大ヒット」のような特定の入賞図柄に対応する内部的当選役に当っているとき、可変表示が停止した時にその特定の入賞図柄になるかどうかは、可変表示を停止させる遊技者の操作タイミングに応じて決定されるが、可変表示の停止により可変表示部に出現し得る図柄の組合せが特定の入賞図柄でない場合は、前述の「リーチ目」を出現させることにより、遊技者に内部的当選が特定の入賞であることを知らせることができる。
【００３２】この実施例では、遊技者がメダル投入口８からメダルを投入した後、正面の左端部に設置されたスタートレバー１１を操作することにより、３つのリール２，３，４が一斉に回転する。そして、これらの回転が一定の速さに達した時、各リールに対応して設けられたストップボタン１２，１３，１４の操作が有効化されるので、遊技者はこれらのボタンを押圧操作することで、対応するリールの回転を停止させることができる。・・・
【００３８】図３の回路において、乱数発生器２６は、一定の数値範囲に属する乱数を発生し、サンプリング回路２７は、スタートレバー１１が操作された後の適宜のタイミングで１個の乱数をサンプリングする。こうしてサンプリングされた乱数は、ＲＯＭ２２内の記憶部２２ａに格納されている入賞確率テーブルにおいて、どの入賞グループに属する値になっているかが判定される。このため、概念的に図４に示したようなデータが、入賞確率テーブル記憶部２２ａに格納されている。
【００３９】図４において、Ｂ１〜Ｂ３，Ｍ１〜Ｍ３，Ｓ１〜Ｓ３は予め設定された数値であり、投入メダルの枚数に応じて“Ｂ１−Ｍ１−Ｓ１”，“Ｂ２−Ｍ２−Ｓ２”，“Ｂ３−Ｍ３−Ｓ３”のいずれかが決定される。なお、これらの数値は、サンプリングされた乱数値を大ヒット、中ヒット、小ヒットのいずれかにグループ分けするためのものである。
【００４０】乱数発生器２６から発生した乱数の値が０〜Ｎ（所定の数）であるとすると、投入メダル数が１の場合には、大ヒットの確率が“Ｂ１／Ｎ”、中ヒットの確率が“Ｍ１／Ｎ”、小ヒットの確率が“Ｓ１／Ｎ”となる。例えば、Ｂ１，Ｍ１，Ｓ１の値がそれぞれ“１００”，“５００”，“１０００”であったとすると、サンプリングされた乱数の値が１００未満であれば大ヒット、１００以上５００未満であれば中ヒット、５００以上１０００未満であれば小ヒットとなって、それぞれの種類に対応した入賞リクエスト信号が発生し、さらに１０００以上である場合には入賞なし（ハズレ）のリクエスト信号が発生する。
【００４８】・・・入賞と判定された場合には、ＣＰＵ２１は、遊技者がストップボタン１２，１３，１４を操作した時にリール停止信号回路３６から送られる操作信号に応じて、入賞の種類に対応したシンボル表示位置にリール２，３，４を停止制御する信号をモータ駆動回路３１に送ると共に、入賞の種類に対応したメダル払出しデータを表示部駆動回路３３に供給して表示部１０にメダル払出し数を表示し、且つ、払い出し指令信号をホッパー駆動回路３２に供給してホッパー３０から所定個数のメダルの払出しを行う。
【００７９】(ii)ゲームスタート後、サンプリングされた乱数値が内部的当選役に該当した場合、その内部的当選を遊技者に知らせる報知手段を設けてもよい。
【００８０】この報知手段としては、例えば各リール２，３，４の内側に取り付けられているバックライト（照明）を利用することができる。すなわち、遊技がスタートして乱数がサンプリングされ、入賞確率テーブルとの照合により内部的当選に該当する場合は、このバックライトを点滅又は点灯させることによって、遊技者に内部的当選を知らせる。これにより、遊技者は「当たり」への期待感を持つことができる。
【００８１】具体的には、図１０及び図１１に示すように、３つのリール２，３，４の各々について可変表示部の窓に現れるシンボルの裏面側に、３個のランプ（ＬＥＤ、電球などの発光体）４１を縦方向に配列した基板４２を設置し、これら３列のランプ４１を、図３のＣＰＵ２１により、例えばストップボタン１２が押された直後に、図１２（Ａ），（Ｂ），（Ｃ）に示すような種々のパターンで点滅又は点灯するように制御する。なお、図１２において、（Ａ）は全てのランプを点灯又は点滅するパターン、（Ｂ）は上下及び中心部のランプを点灯又は点滅するパターン、（Ｃ）はランプを所定の方向に順次点灯又は点滅する動作を繰り返すパターンを示す。勿論、パターンはこれらのみに限らない。
【００８２】また、内部的当選の種類に応じて上述の点灯パターンを変えることにより、どの種類の入賞役に当たり易い状態であるかを遊技者に知らせることもできる。
【００８３】更に、上記のようなバックライトの利用に加えて又はバックライトを利用する代わりに、スピーカのような発音装置から適当な音を発生することによっても、内部的当選を遊技者に知らせることができる。
【００８４】(iii) 内部的当選の後、リールの回転停止操作によって出現し得る図柄組合せが「大ヒット」のような特定の入賞図柄でない場合には、「リーチ目」を出現させることにより、遊技者に対し内部的当選を知らせるようにしてもよい。これはマイコン２０のプログラムで実現できるが、これに代えて、或いはこれと共に、上記(ii)で説明したリールのバックライトや音声を利用する報知手段を用いてもよい。
　
　これらの記載及び図面等からみて、甲２８には、
「　乱数をサンプリングし、入賞態様を判定し、その判定結果により可変表示部の可変表示動作を停止制御する制御部と、複数のリール２，３，４で構成され、複数の図柄を可変表示する前記可変表示部と、前記複数のリール２，３，４を一斉に回転させるスタートレバー１１と、各リールに対応して設けられ、押圧操作することで対応するリールの回転を停止させることができるストップボタン１２，１３，１４とを備えた遊技機において、
　前記制御部は、サンプリングされた乱数が、入賞確率テーブルにおいて、どの入賞態様に属する値になっているかを判定し、それぞれの種類に対応した入賞リクエスト信号を発生し、
　入賞と判定された場合には、遊技者が前記ストップボタン１２，１３，１４を操作した時に、入賞の種類に対応したシンボル表示位置に前記複数のリール２，３，４を停止制御するが、可変表示が停止した時にその特定の入賞図柄になるかどうかは、可変表示を停止させる遊技者の操作タイミングに応じて決定され、
　ゲーム毎に、前記制御部で判定された入賞態様の種類に応じて、どの種類の入賞役に当たり易い状態であるかを遊技者に知らせる報知手段を設け、
　前記報知手段は、前記ストップボタン１２が押された直後に、前記複数のリール２，３，４の内側に取り付けられているバックライトの点灯パターンを変え、加えて発音装置から適当な音を発生する遊技機。」
の発明（以下「甲２８発明」という。）が開示されていると認められる。
　
（１１−２）訂正発明９と甲２８発明の対比
　訂正発明９と甲２８発明を対比すると、甲２８発明の「可変表示部」は、訂正発明９の「可変表示装置」に相当し、以下同様に、
「前記複数のリール２，３，４を一斉に回転させるスタートレバー１１」は「この可変表示装置の可変表示を開始させる可変表示開始手段」に、
「サンプリングされた乱数」は「抽出された乱数」に、
「入賞確率テーブル」は「確率テーブル」に、
「それぞれの種類に対応した入賞リクエスト信号」は「その属した入賞態様の当選フラグ」に、
「ストップボタン１２，１３，１４」は「遊技者が操作可能な停止ボタン」に、
「前記制御部で判定された入賞態様」は「前記入賞態様決定手段で決定された入賞態様」に、
「遊技者に知らせる」は「遊技者に報知する」に、
「発音装置」は「音発生手段」に、それぞれ相当する。
　
　また、甲２８の記載等から、次のことが言える。
ａ．甲２８発明の「制御部」は、「乱数をサンプリングし、入賞態様を判定し」ており、「乱数をサンプリング」すること、及び「入賞態様を判定」することは、それぞれ訂正発明９の「乱数抽選」を行うこと、及び「遊技の入賞態様を決定する」ことに相当している。
　また、甲２８発明において、「その判定結果により可変表示部の可変表示動作を停止制御する」ことは、訂正発明９において、「可変表示装置」に「前記入賞態様決定手段で決定された入賞態様に応じた図柄組み合わせを前記各列に停止表示する」ことに相当する。
　よって、甲２８発明の「制御部」及び「可変表示部」は、訂正発明９の「乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置」に相当するものといえる。
　
ｂ．甲２８発明は「ストップボタン１２，１３，１４」を押圧操作することで対応するリールの回転を停止させることができるのであるから、訂正発明９の「前記可変表示を各列毎に停止させる可変表示停止手段」に相当する手段を備えているといえる。
　
ｃ．甲２８発明の「入賞確率テーブル」は、甲２８の段落【００３９】、【００４０】及び図４の記載から、入賞態様として大ヒット、中ヒット及び小ヒットの３種類あることが分かるから、甲２８発明の「制御部」は、複数の入賞態様からなる入賞確率テーブルを有しているといえる。
　また、甲２８発明において「入賞リクエスト信号を発生」することは、訂正発明９において「当選フラグを成立させ」ることに相当し、甲２８発明及び訂正発明９ともに、入賞リクエスト信号の発生又は当選フラグの成立に際して、同様の処理を行っていることが明らかであるから、甲２８発明の「制御部」は、訂正発明９の「複数の入賞態様からなる確率テーブルを有し、抽出された乱数が前記確率テーブルのいずれかの入賞態様に属したとき、その属した入賞態様の当選フラグを成立させ」に相当する構成及び機能を備えたものであるといえる。
　
ｄ．甲２８発明において「入賞と判定された場合には、遊技者が前記ストップボタン１２，１３，１４を操作した時に、入賞の種類に対応したシンボル表示位置に前記複数のリール２，３，４を停止制御するが、可変表示が停止した時にその特定の入賞図柄になるかどうかは、可変表示を停止させる遊技者の操作タイミングに応じて決定され」ることと、訂正発明９において「停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない」こととは、表現ぶりが異なるだけで実質的には同様の停止制御ということができる。
　そうしてみると、甲２８発明は、訂正発明９の「遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行」う「可変表示停止手段」に相当する手段を備えたものであるといえる。
　
ｅ．甲２８発明において「ゲーム毎に」というのは、“遊技者が行う各回のゲームにおいて”ということであり、複数回のゲームにまたがるものではないことを意味している。さらに、甲２８発明における「ゲーム」は「スタートレバー１１」を操作して開始されるとともに、「ストップボタン１２，１３，１４」を操作し各リールの回転を停止させて行われるものであるから、甲２８発明における「ゲーム毎に」は、訂正発明９における「前記可変表示開始手段によって前記可変表示が開始され、前記可変表示停止手段によって前記可変表示が停止される１回の遊技の中で」に相当するものといえる。
　
ｆ．甲２８発明において「入賞態様の種類に応じて、どの種類の入賞役に当たり易い状態であるかを遊技者に知らせる」ことは、訂正発明９において「入賞態様に対応した報知情報を」「遊技者に報知する」ことに相当するから、訂正発明９と甲２８発明は「前記入賞態様決定手段で決定された入賞態様に対応した報知情報を遊技者に報知する報知手段」を備える点で一致しているといえる。
　
ｇ．甲２８発明の「適当な音」と「バックライトの点灯パターン」は報知態様が異なるといえるから、甲２８発明と訂正発明９は“報知情報が、一報知態様による報知と、前記可変表示停止手段によって前記可変表示が停止されるのに連動して行われる報知であって、前記一報知態様とは異なる報知態様による報知とからなる”点では共通している。
　
ｈ．甲２８発明において「前記ストップボタン１２が押された直後に、前記複数のリール２，３，４の内側に取り付けられているバックライトの点灯パターンを変え」ることは、訂正発明９の「前記可変表示停止手段によって」「前記可変表示が停止されるのに連動して各列の表示を演出し、各列の表示で構成される複数の連動表示態様の中の１つの連動表示態様で演出する」ことに相当するから、甲２８発明と訂正発明９の「報知手段」は“音発生手段と、前記可変表示停止手段によって前記可変表示が停止されるのに連動して各列の表示を演出し、各列の表示で構成される複数の連動表示態様の中の１つの連動表示態様で演出する連動演出手段で構成される”点で共通している。
　
　よって、訂正発明９と甲２８発明は、
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を遊技者に報知する報知手段を備え、前記報知情報が、一報知態様による報知と、前記可変表示停止手段によって前記可変表示が停止されるのに連動して行われる報知であって、前記一報知態様とは異なる報知態様による報知とからなり、
　前記報知手段は、音発生手段と、前記可変表示停止手段によって前記可変表示が停止されるのに連動して各列の表示を演出し、各列の表示で構成される複数の連動表示態様の中の１つの連動表示態様で演出する連動演出手段で構成される遊技機。」の点で一致し、以下の点で相違している。
　
［相違点１］訂正発明９は「報知情報を所定確率で遊技者に報知する」のに対し、甲２８発明は「どの種類の入賞役に当たり易い状態であるか（訂正発明９の「報知情報」に相当）」を所定確率で遊技者に知らせるものではない点。
　
［相違点２］訂正発明９は「報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知」とからなるとともに、「報知手段」が「前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段」を有するのに対し、甲２８発明は「適当な音」と「バックライトの点灯パターン」が、可変表示が開始されるときに行われる報知と、その後の、各列の前記可変表示が停止されるのに連動して行われる報知という関係ではない点、及び「適当な音」が、複数の異なる入賞態様に共通したものであるとともに複数の効果音の中の１つの音であるか明らかでない点。
　
［相違点３］訂正発明９の「報知手段」が「抽出乱数を各報知態様に区画するデータからなる報知選択抽選確率テーブルを参照して報知する入賞態様を選択し、前記音発生手段によって発生される効果音の種類と、前記連動演出手段によって演出される連動表示態様の種類との組合せを、演出態様組合せテーブルを参照して報知する入賞態様に応じて選択する報知態様選択手段」を有しているのに対し、甲２８発明は「バックライトの点灯パターン」及び「適当な音」の組合せを選択する手段を有しているか明らかでない点。
　
［相違点４］訂正発明９は「効果音の種類により配当のある複数の特定の入賞態様を含む入賞態様であることが報知され、前記効果音の種類とその後の連動表示態様の種類との組合せにより１つの入賞態様であることが報知される」のに対し、甲２８発明は「適当な音」及び「適当な音」と「バックライトの点灯パターン」との組合せにより、そのような入賞態様であることが報知されるものではない点。
　
（１１−３）訂正発明９と甲２８発明との相違点についての判断
［相違点１について］
　甲２９（特開平７−６８０２７号公報、参考判決における引用例３）の段落【００２０】には「・・・次にＳ３に進み、ランダム３カウンタのカウント値を読出す処理が行なわれる。このランダム３カウンタは、０からカウントアップしてその上限である２までカウントアップした後再度０からカウントアップし直すものである。そして、読出されたカウント値が０のときにＳ４に進み、大当り予告１を行なうためのフラグがセットされる。ランダム３カウンタの値が１のときにはＳ５に進み、リーチ予告を行なうためのフラグがセットされる。・・・ランダム３カウンタの値が２のときにはＳ６に進み、予告なしの状態となり、直接Ｓ１１に進む。・・・」と記載されており、大当り予告１を１／３の確率で行うものであることが分かる。
　また、甲３０（特開平９−７００号公報）の段落【００４９】には「ここで、大当り予告は、Ｃ  ＲＮＤ  ＹＯＫでそれを実行するか否かが決定され、同時にその予告の方法も決定される。・・・」と、段落【００５７】には「・・・遊技状態は、大当りが事前決定されていない遊技状態（図中「大当り以外」）、大当りが事前決定されておりかつ始動入賞記憶数が２以上である遊技状態（図中「大当り・始動記憶２以上」）、および大当りが事前決定されておりかつ始動入賞記憶数が１以下の遊技状態（図中「大当り・始動記憶１以下」）の３種類に分類されている。」と、段落【００５９】には「遊技状態が「大当り・始動記憶２以上」である場合には、Ｃ  ＲＮＤ  ＹＯＫとの抽出値、「報知方法」との関係が以下のように定められている。抽出値が「０」〜「９９」の場合には、特別の音による真の大当り予告の報知を行なう。抽出値が「１００」〜「１９９」の場合には、キャラクタによる真の大当り予告の報知を行なう。抽出値が「２００」〜「４４９」の場合には、音およびキャラクタの両方による真の大当り予告の報知を行なう。抽出値が「４５０」〜「８９９」の場合には、大当り予告の報知をしない。」と、段落【００６０】には「遊技状態が「大当り・始動記憶１以下」の場合には、Ｃ  ＲＮＤ  ＹＯＫと、「報知方法」との関係が以下のように定められている。抽出値が「０」〜「２２４」の場合には、特別の音による真の大当り予告の報知を行なう。抽出値が「２２５」〜「４４９」の場合には、キャラクタによる真の大当り予告の報知を行なう。抽出値が「４５０」〜「８９９」の場合には、大当り予告の報知をしない。」と記載されており、大当りが事前決定されている遊技状態において、大当り予告の報知を４５０／９００（１／２）の確率で行うものであることが分かる。
　これらの記載等からみて、入賞に関する報知情報を所定確率で遊技者に報知することは、遊技機の分野において従来周知の技術（以下「周知技術１」という。）であるといえる。
　そして、甲２９の段落【０００８】及び甲３０の段落【００１３】に、スロットマシンを対象としても良い旨記載されていることを考え合わせると、甲２８発明に周知技術１を適用して、どの種類の入賞役に当たり易い状態であるかを所定確率で遊技者に知らせるようにして、相違点１に係る訂正発明９の構成とすることは、Ｐ１出願の出願日（以下「Ｐ１出願日」という。）当時の遊技機の分野における通常の知識を有する者（以下「当業者」という。）が容易に想到し得ることといえる。
　
［相違点２について］
　甲２９（特開平７−６８０２７号公報）の段落【００２０】に「・・・このＳ８の処理を行うに際し、前記Ｓ４により大当り予告１を行なうためのフラグがセットされている場合には、レール飾りランプ２１と飾りＬＥＤ４１とを可変表示装置の可変開始時から点滅させ、スピーカ３７から大当り予告音を発生させ、大当り状態が発生することを事前に予告報知し、Ｓ5 によるリーチ予告のフラグがセットされている場合は飾りＬＥＤ４１を可変開始時から点滅させるとともにスピーカ３７からリーチ予告音を発生する。・・・」と記載され、甲３０（特開平９−７００号公報）の段落【０１０１】に「・・・その音作成手段は、表示結果内容事前決定手段により表示結果内容を特定の表示態様に相当するものにする決定が行なわれた場合に、通常の遊技状態において作成する効果音等と異なる特別の音を作成し、その作成した特別の音を、図１０等に示されるように音発生手段から発生させる。」と記載されているように、遊技状態に応じて複数の効果音の中の１つの音を発生させることは、遊技機の分野において従来周知の技術（以下「周知技術２」という。）であるといえる。
　また、甲３２（「必勝パチスロファン」１９９４年増刊７月号、参考判決における甲２２記事）の78〜79頁に記載されているフラグ成立を知らせる方法に関する事項（特に、78頁３段目「●音が鳴る」の項及び79頁下段中央「ロイヤルタカシ−ＲＴ」の項参照）から、スタートレバーをたたいた時、すなわち、可変表示開始手段によって可変表示が開始される時に、ボーナスフラグ又はシングルボーナスフラグが成立したことを共通の音により報知する技術は、遊技機の分野において従来周知の技術（以下「周知技術３」という。）であるといえる。
　さらに、甲３２の78〜79頁に記載されているフラグ成立を知らせる方法に関する事項（特に、78頁４段目「●リールがスベる」の項及び79頁下段左「スーパーヘビーメタルＡ」の項参照）や、甲３３（特開平８−１７３５９２号公報、参考判決における引用例７）の段落【０００１】及び【００４９】〜【００５５】に記載されている事項からみて、リールの各列が停止するごとに報知を行う技術は、遊技機の分野において従来周知の技術（以下「周知技術４」という。）であるといえる。
　そうすると、甲２８発明に周知技術２〜４を適用して、スタートレバー１１の操作時にＢＢ（ビッグボーナス）又はＮＢ（ノーマルボーナス）が当たっている場合、それらに共通の音であって複数の効果音の中の１つの音により報知するとともに、ストップボタン１２，１３，１４が押圧操作されて、リール２，３，４のうちの少なくとも１つが停止する時に、どの種類の入賞役に当たり易い状態であるかを遊技者に知らせるようにして、相違点２に係る訂正発明９の構成とすることは、Ｐ１出願日当時の当業者が容易に想到し得ることといえる。
　
［相違点３について］
　当審で提示した丙１（特開平６−１１４１４０号公報、参考判決における引用例２）には、次の記載がある。
【０００１】【産業上の利用分野】本発明は、スロットマシンに関し、詳しくは、複数種類の識別情報を可変表示可能な可変表示装置を有し、該可変表示装置の可変停止時の表示結果が予め定められた特定の識別情報になった場合に所定の遊技価値を付与可能となるスロットマシンに関する。
【００４１】・・・１ゲームタイマが終了すれば、Ｓ６５に進み、・・・全リールの回転が開始される。・・・
【００４２】次にＳ６６に進み、格納されているランダム値Ｒ（図６参照）を用いて所定の演算を行なう処理がなされる。・・・次にＳ６７により、その演算結果を各当選の判定値と比較する処理が行なわれる。この各当選の判定値は、ビッグボーナスゲーム当選の判定値、ボーナスゲーム当選の判定値、小役当選の判定値、再ゲーム当選の判定値の４種類がある。・・・
【００４３】次にＳ６８に進み、ボーナスゲームフラグがセットされているか否かの判断が行なわれ、ボーナスゲームフラグがセットされていない場合にはＳ７１に進み、ビッグボーナスゲームフラグがセットされているか否かの判断が行なわれ、ビッグボーナスゲームフラグがセットされていない場合にはＳ７４に進む。Ｓ７４では、リール回転音をスピーカ２８から発生させ、次にＳ７５に進み、ビッグボーナス当選フラグあるいはボーナス当選フラグがセットされているか否かの判断が行なわれ、・・・セットされていない場合にはＳ７６に進む。
【００４４】Ｓ７６では、前記Ｓ６７による比較結果、ランダム値Ｒを用いた演算結果がビッグボーナス当選許容値に含まれているか否かの判断がなされ、含まれている場合にはＳ７７に進み、ビッグボーナス当選フラグがセットされてＳ８０に進む。一方、前記Ｓ６７による比較結果、ランダム値Ｒを用いた演算結果がビッグボーナス当選許容値ではないがボーナス当選許容値に含まれている場合には、Ｓ７８によりＹＥＳの判断がなされてＳ７９に進み、ボーナス当選フラグがセットされてＳ８０に進む。Ｓ８０では、遊技効果ランプ２４（図１参照）を点灯開始させる処理がなされ、次にＳ８５に進む。Ｓ８０の処理により、ビッグボーナスあるいはボーナス当選した旨の報知が行なわれる。・・・
【００５０】・・・Ｓ１０８に進み、停止しているいずれか２つのリールにより表示されている図柄がリーチ状態の図柄になっているか否かの判断がなされる。リーチ状態とは、複数の可変表示部５Ｌ，５Ｃ，５Ｒのうちのいずれか１つがまだ可変表示している段階で、既に停止している可変表示部の表示結果が、「ＡＡＡ」，「ＢＢＢ」等の特定の識別情報の組合せとなる条件を満たす所定表示状態となっている場合を意味する。そして、Ｓ１０８により・・・リーチ状態であると判断された場合にはＳ１０９に進み、ビッグボーナス当選フラグまたはボーナス当選フラグがセットされているか否かの判断がなされ、・・・いずれかがセットされている場合にはＳ１１０に進み、リーチ音をスピーカ２８から発生させた後にＳ８７に進む。このリーチ音が発せられることにより、遊技者が現在可変表示している可変表示部の停止時の表示結果次第で前記特定の識別情報の組合せが成立するかもしれないという遊技者の期待感を効果的に盛り上げることができる。なお、・・・ビッグボーナス当選フラグセット時にのみリーチ時の報知を行なうようにしてもよいし、・・・。
　
　上記記載によると、丙１には、入賞態様決定手段で決定されたビッグボーナスゲーム当選、ボーナスゲーム当選その他の入賞態様に応じ、遊技効果ランプの点灯の有無とリーチ音の発生の有無という異なる複数の報知態様の種類の組合せを選択し報知するとの構成（以下「丙１に開示された構成」という。）が開示されているということができる。
　なぜなら、丙１の段落【００５０】に記載されるように、ビッグボーナスゲーム当選の際にのみリーチ音を発生させるとした場合には、ビッグボーナスゲーム当選のときは、遊技効果ランプが点灯するとともにリーチ音も発生し、ボーナスゲーム当選のときは、遊技効果ランプは点灯するもののリーチ音は発生せず、その他のときは、遊技効果ランプは点灯せずリーチ音も発生しないことになるからである。
　
　また、当審で提示した丙２（特開平８−３３６６４２号公報、参考判決における引用例５）の段落【０００１】、【０００７】、【００４６】、【００９０】、【０１３８】及び【図７】、【図１４】の記載によれば、丙２記載の遊技機は、表示結果内容事前決定手段により表示結果内容を特定の表示態様に相当するものにする決定が行われた場合に、当該特定の表示態様が表示されることを遊技者に報知することのできる予告報知手段を備え、当該予告報知手段は、図７の「集中リーチ用テーブル」及び図１４の「大当り予告テーブル」を備えるものであるところ、「集中リーチ用テーブル」の「Ｃ＿ＲＮＤ＿Ｒ２」に係る０から２２４までの数及び「大当り予告テーブル」の「Ｃ＿ＲＮＤ＿ＹＯＫ」に係る０から８９９までの数は、集中リーチ状態を発生させるか否かなどを決定するための乱数であり、これらが抽出乱数であることは明らかである。そして、これらの乱数は、「集中リーチ用テーブル」においては、「集中リーチ実行」又は「通常表示」との報知手段（演出態様）に、「大当り予告テーブル」においては、「音」、「キャラクタ」、「音＋キャラクタ」又は「報知しない」との報知手段（演出態様及びその組合せ）にそれぞれ区画されているのであるから、結局、丙２は、「報知手段は、抽出乱数を各報知手段に区画するデータからなる報知選択抽選確率テーブルを参照して報知する入賞態様を選択し、（…効果音の種類、および…連動表示態様の種類の組合せを、）演出態様組合せテーブルを参照して…選択する報知態様選択手段から構成され」との構成を開示するものということができる。
　さらに、当審で提示した丙３（特開平７−１００２４９号公報）の段落【００７７】〜【００７９】、【００８３】及び【図１９】(ｂ)の記載によれば、丙３記載の遊技機は、ランダムカウンタＣ＿ＲＮＤ１の値により大当りを発生させる（表示結果を特定の表示態様にする）ことが決定された場合に、リーチの態様と音声又はランプ等の点灯によって、当該特定の表示態様が表示されることを所定確率で遊技者に報知することのできる報知手段を備え、当該報知手段は図１９(ｂ)の「リーチ態様決定データテーブル」を備えるものであるところ、「リーチ態様決定データテーブル」の「Ｃ＿ＲＮＤ４＿０」に係る０から１４までの数は、リーチ態様などを決定するための乱数であり、これらが抽出乱数であることは明らかである。そして、これらの乱数は、「リーチ態様決定データテーブル」においては、「通常リーチ」、「特別リーチ１」又は「特別リーチ２」との報知態様にそれぞれ区画されているのであるから、結局、丙３は、「報知手段は、抽出乱数を各報知態様に区画するデータからなる報知選択抽選確率テーブルを参照して報知する入賞態様を選択し、（リーチ態様の種類を、）演出態様組合せテーブルを参照して選択する報知態様選択手段から構成され」との構成を開示するものということができる。
　よって、報知手段の構成として、抽出乱数を各報知態様に区画するデータからなる報知選択抽選確率テーブルを参照して報知する入賞態様を選択し、報知情報を、演出態様組合せテーブルを参照して選択する報知態様選択手段を用いることは、遊技機の分野において従来周知の技術（以下「周知技術５」という。）であるといえる。
　
　そうすると、甲２８発明に、丙１に開示された構成（入賞態様決定手段で決定された入賞態様に応じ、異なる複数の報知態様の種類の組合せを選択し報知するとの構成）を適用するとともに周知技術２〜５を考慮すれば、報知態様選択手段により選択される報知情報について、「音発生手段によって発生される効果音の種類、および連動演出手段によって演出される連動表示態様の種類の組合せを、」「入賞態様に応じて選択する」との構成を採用し、また、報知する報知情報について、「報知態様選択手段により選択された効果音の種類及び連動表示態様の種類の組合せからなる」という構成を採用するとともに、報知態様選択手段について、「抽出乱数を各報知態様に区画するデータからなる報知選択抽選確率テーブルを参照して報知する入賞態様を選択し、効果音の種類と連動表示態様の種類との組合せを、演出態様組合せテーブルを参照して選択する」ものとすること、すなわち、訂正発明９の報知態様選択手段等に係る構成を採用することは、Ｐ１出願日当時の当業者が容易に想到し得ることといえる。
　
［相違点４について］
　上記［相違点３について］の項で検討したとおり、丙１の段落【００４４】の記載によれば、ビッグボーナスあるいはボーナス当選した場合、まず遊技効果ランプ２４を点灯開始させる処理がなされることが分かる。
　また、同段落【００５０】の記載等によれば、ビッグボーナスゲーム当選の際にのみリーチ音を発生させるとした場合には、ビッグボーナスゲーム当選のときは、遊技効果ランプが点灯するとともにリーチ音も発生し、ボーナスゲーム当選のときは、遊技効果ランプは点灯するもののリーチ音は発生せず、その他のときは、遊技効果ランプは点灯せずリーチ音も発生しないことになるのであるから、丙１には、遊技効果ランプ点灯の有無によりビッグボーナスあるいはボーナス当選が報知され、前記遊技効果ランプ点灯の有無とその後のリーチ音発生の有無により、ビッグボーナスゲーム当選か、ボーナスゲーム当選か、その他であるかが報知されるものが記載されているといえる。
　そして、甲３２（「必勝パチスロファン」１９９４年増刊７月号）に記載されるように、可変表示開始時や、リール停止時に音を発生したり、表示を変化させたりして入賞に関する報知を行うことは、従来常套の手段であるから、甲２８発明に丙１に開示された構成を適用するに際して、遊技効果ランプ点灯の有無を効果音の種類に代え、リーチ音発生の有無をリール停止時における表示態様の種類に代えて、相違点４に係る訂正発明９のような構成とすることは、Ｐ１出願日当時の当業者が容易に想到し得ることといえる。
　なお、被請求人は、被請求人意見書（9頁、５．II．（１）ア（オ）の後段）において、丙１に開示された構成では、「リーチ音が発生するかしないかはリーチ状態によるのであり，リーチ状態になるか否かはあらかじめ決定できないものであるから，「異なる複数の報知態様の種類の組合せを選択し報知する」とはいえない。」と反論しているが、丙１に開示された構成は、ビッグボーナス当選フラグセット時において、少なくともビッグボーナス図柄が有効ライン上に停止する際にはリーチ状態を経るものであり、毎回ではないとしても必ず最低１回は遊技効果ランプが点灯するとともにリーチ音も発生するのであるから、「異なる複数の報知態様の種類の組合せを選択し報知する」ものであるということができる。
　
［まとめ］
　訂正発明９の作用効果も、甲２８発明、丙１に開示された構成及び周知技術１〜５から、Ｐ１出願日当時の当業者が予測できる範囲内のものであるから、訂正発明９は、甲２８発明、丙１に開示された構成及び周知技術１〜５に基づき、Ｐ１出願日当時の当業者が容易に発明をすることができたものである。
　
（１１−４）訂正発明２５と甲２８発明の対比
　訂正発明２５は、訂正発明９に対して、概略可変表示の全てが停止したときに停止演出を行う構成を追加したものであって、詳細には以下の点で異なっている。
ａ．「報知情報」に「前記各列の可変表示の全てが停止したときに行われる報知」を追加。
ｂ．「報知手段」に「前記各列の可変表示の全てが停止したときに複数の表示態様の中の１つの表示態様で演出する停止演出手段」を追加。
ｃ．「報知態様選択手段」が選択する組合せを「前記音発生手段によって発生される効果音の種類と、前記連動演出手段によって演出される連動表示態様の種類との組合せ」から「前記音発生手段によって発生される効果音の種類と、前記連動演出手段によって演出される連動表示態様の種類と、前記停止演出手段によって演出される停止表示態様の種類との組合せ」へと変更。
　そうしてみると、訂正発明９と甲２８発明との一致点は、訂正発明９と甲２８発明との一致点と同一であり、相違点は次のとおりとなる。
　なお、訂正発明９と甲２８発明との相違点と実質的に同一なものについては、［相違点１］といった表記をそのまま用い、同様の相違点ではあるが変更のあるものについては［相違点１’］のようにダッシュを付して表記する。
　
［相違点１］訂正発明２５は「報知情報を所定確率で遊技者に報知する」のに対し、甲２８発明は「どの種類の入賞役に当たり易い状態であるか（訂正発明２５の「報知情報」に相当）」を所定確率で遊技者に知らせるものではない点。
　
［相違点２’］訂正発明２５は「報知情報が、前記可変表示開始手段（当審注：「前記可変表示手段」とあるが誤記と認める。）によって前記可変表示が開始されるときに行われる報知であって、配当のある複数の異なる入賞態様に共通して演出される報知態様による報知と、その後の、前記報知態様とは異なる報知態様による報知であって、前記可変表示停止手段によって各列の前記可変表示が停止されるのに連動して行われる報知と、前記各列の可変表示の全てが停止したときに行われる報知」とからなるとともに、「報知手段」が「前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、前記各列の可変表示の全てが停止したときに複数の表示態様の中の１つの表示態様で演出する停止演出手段」を有するのに対し、甲２８発明は「適当な音」と「バックライトの点灯パターン」が、可変表示が開始されるときに行われる報知と、その後の、各列の前記可変表示が停止されるのに連動して行われる報知という関係ではない点、「適当な音」が、複数の異なる入賞態様に共通したものであるとともに複数の効果音の中の１つの音であるか明らかでない点及び各列の可変表示の全てが停止したときに複数の表示態様の中の１つの表示態様で演出する停止演出手段を有していない点。
　
［相違点３’］訂正発明２５の「報知手段」が「抽出乱数を各報知態様に区画するデータからなる報知選択抽選確率テーブルを参照して報知する入賞態様を選択し、前記音発生手段によって発生される効果音の種類と、前記連動演出手段によって演出される連動表示態様の種類と、前記停止演出手段によって演出される停止表示態様の種類との組合せを、演出態様組合せテーブルを参照して報知する入賞態様に応じて選択する報知態様選択手段」を有しているのに対し、甲２８発明は「バックライトの点灯パターン」及び「適当な音」の組合せを選択する手段を有しているか明らかでない点。
　
［相違点４’］訂正発明２５は「効果音の種類により配当のある複数の特定の入賞態様を含む入賞態様であることを報知し、前記効果音の種類とその後の連動表示態様の種類との組合せにより１つの入賞態様であることを報知するとともに当該入賞態様に対応する前記停止表示態様の種類を報知する」のに対し、甲２８発明は「適当な音」及び「適当な音」と「バックライトの点灯パターン」との組合せにより、１つの入賞態様であることが報知されるものではない点及び入賞態様に対応する停止表示態様の種類を報知するものではない点。
　
（１１−５）訂正発明２５と甲２８発明との相違点についての判断
［相違点１について］
　訂正発明２５と甲２８発明との相違点１は、訂正発明９と甲２８発明との相違点１と実質的に同じなので、上記（１１−３）［相違点１について］の項で述べたと同様の理由により、相違点１に係る訂正発明２５の構成は、甲２８発明及び周知技術１に基づき、Ｐ１出願日当時の当業者が容易に想到し得る。
　
［相違点２’について］
　相違点２’は、訂正発明９と甲２８発明との相違点２に対して、「報知手段」に「各列の可変表示の全てが停止したときに複数の表示態様の中の１つの表示態様で演出する停止演出手段」が付加されている点で異なる。
　そこで、この点について検討すると、甲３２（「必勝パチスロファン」１９９４年増刊７月号）の78頁３段目の「ボーナスフラグが成立して、そのゲームで絵柄をそろえられないと、３本目のリールを止めた瞬間、リールを照らしているライト（バックライトがパッパッパッと走るように見える。」という記載、甲３３（特開平８−１７３５９２号公報）の段落【００５５】〜【００５７】の記載及び丙４（特開平９−２９９５４８号公報）の段落【００１４】等の記載からみて、全部のリールが停止したときに、入賞態様に応じたライトや音の演出を行うことは、遊技機の分野において従来周知の技術（以下「周知技術６」という。）であるといえる。
　そして、相違点２’のその他の部分については、上記（１１−３）［相違点２について］の項で述べたとおり、甲２８発明に周知技術２〜４を適用して、Ｐ１出願日当時の当業者が容易に想到し得ることであるから、相違点２’も甲２８発明に周知技術２〜４及び周知技術６を適用して、Ｐ１出願日当時の当業者が容易に想到し得ることといえる。
　
［相違点３’について］
　相違点３’は、訂正発明９と甲２８発明との相違点３に対して、相違点３では「前記音発生手段によって発生される効果音の種類と、前記連動演出手段によって演出される連動表示態様の種類との組合せ」であったものを「前記音発生手段によって発生される効果音の種類と、前記連動演出手段によって演出される連動表示態様の種類と、前記停止演出手段によって演出される停止表示態様の種類との組合せ」としている点で異なる。
　そこで、この点について検討すると、上記［相違点２’について］の項で述べたとおり、全部のリールが停止したときに、入賞態様に応じたライトや音の演出を行うことは、遊技機の分野において従来周知の技術（周知技術６）である。
　そして、相違点３’のその他の部分については、上記（１１−３）［相違点３について］の項で述べたとおり、甲２８発明に丙１に開示された構成を適用するとともに周知技術２〜５を考慮すれば、Ｐ１出願日当時の当業者が容易に想到し得ることであるから、相違点３’も甲２８発明に丙１に開示された構成を適用するとともに周知技術２〜６を考慮すれば、Ｐ１出願日当時の当業者が容易に想到し得ることといえる。
　
［相違点４’について］
　相違点４’は、訂正発明９と甲２８発明との相違点４に対して、「当該入賞態様に対応する前記停止表示態様の種類を報知する」ことが付加されている点で異なる。
　そこで、この点について検討すると、上記［相違点２’について］の項で述べたとおり、全部のリールが停止したときに、入賞態様に応じたライトや音の演出を行うことは、遊技機の分野において従来周知の技術（周知技術６）であるといえる。
　そして、相違点４’のその他の部分については、上記（１１−３）［相違点４について］の項で述べたとおり、甲２８発明に丙１に開示された構成を適用して、Ｐ１出願日当時の当業者が容易に想到し得ることであるから、相違点４’も甲２８発明に丙１に開示された構成及び周知技術６を適用して、Ｐ１出願日当時の当業者が容易に想到し得ることといえる。
　
［まとめ］
　訂正発明２５の作用効果も、甲２８発明、丙１に開示された構成及び周知技術１〜６から、Ｐ１出願日当時の当業者が予測できる範囲内のものであるから、訂正発明２５は、甲２８発明、丙１に開示された構成及び周知技術１〜６に基づき、Ｐ１出願日当時の当業者が容易に発明をすることができたものである。
　したがって、訂正発明２５は特許法２９条２項の規定により、特許出願の際独立して特許を受けることができない。
　
（１１−６）独立特許要件違反についてのむすび
　以上のとおりであるから、訂正発明９及び２５は特許法２９条２項の規定により、特許出願の際独立して特許を受けることができない。
　よって、訂正事項ｄ及びｆは、特許法１３４条の２第５項において準用する同法１２６条５項の規定に適合していない。
　
（１２）小括
　以上のとおり、上記訂正事項ａ〜ｏは、いずれも特許請求の範囲の減縮又は明りようでない記載の釈明を目的としており、かつ、訂正前の明細書等に記載した事項の範囲内のものであって、実質上特許請求の範囲を拡張、変更するものでもないから、特許法１３４条の２第１項ただし書に適合し、同法１３４条の２第５項において準用する同法１２６条３項及び４項の規定にも適合する。
　しかし、上記（１１）で述べたとおり、本件無効審判の対象外である訂正発明９及び２５は、特許法２９条２項の規定により特許出願の際独立して特許を受けることができるものではないので、訂正事項ｄ及びｆは、特許法１３４条の２第５項において準用する同法１２６条５項の規定に適合していない。
　したがって、本件訂正のうち、請求項３、６、７、１０及び２６〜２８に関する訂正事項ａ〜ｃ、ｅ及びｇ〜ｏは訂正を認め、請求項９及び２５に関する訂正事項ｄ及びｆは訂正を認めない。
　
　
第３．当事者の主張及び当審による無効理由通知
１．請求人の主張概要（本件訂正に関するものを除く）
（１）新規性欠如（審判請求書19〜33頁）
　訂正前発明１〜８及び１０はＰ１出願の願書に最初に添付した明細書又は図面に記載されていないので、同出願に基づく優先権主張は成立せず、新規性を論ずる上での出願日（以下「基準日」という。）は、Ｐ２出願の日（平成１０年８月２４日、以下「Ｐ２出願日」という。）以降である。
　被請求人は、Ｐ２出願日前にスロットマシン「サンダーＶ」及び「ハナビ」を生産譲渡しており、「サンダーＶ」及び「ハナビ」のＲＯＭは解析可能であるから、ＲＯＭの内容を含めてスロットマシン「サンダーＶ」及び「ハナビ」はＰ２出願日前に公然実施された。
　そして、訂正前発明１〜８及び１０はスロットマシン「サンダーＶ」又は「ハナビ」そのものであるから、訂正前の請求項１〜８及び１０の特許は特許法２９条１項２号の規定に違反してされた特許であり、同法１２３条１項２号に該当し無効とされるべきである。
　以下、この無効理由を「無効理由１」という。
　
（２）進歩性欠如（審判請求書33〜118頁）
　訂正前発明１〜８及び１０は、甲２８〜３６に記載された発明に基づいて当業者が容易に発明をすることができたものであるから、訂正前の請求項１〜８及び１０の特許は特許法２９条２項の規定に違反してされた特許であり、同法１２３条１項２号に該当し無効とされるべきである。
　以下、この無効理由を「無効理由２」という。
　
（３）補足（平成２３年６月１７日付け上申書4〜24頁）
　平成２３年６月１７日付け上申書における、本件訂正発明に関する請求人の主張は次のとおりである。
（３−１）訂正発明３，６及び７について（4〜13頁）
　訂正後の請求項３は、要するに、
（ａ）連動演出手段によって演出する連動表示態様を、「各列の表示を演出」するものに特定する点。
（ｂ）「選択された効果音の種類により配当のある複数の特定の入賞態様を含む入賞態様であること」を報知するとともに、「前記効果音の種類とその後の連動表示態様の種類との組合せにより１つの入賞態様であること」を報知する点
に特定したものである。
　しかし、各列の可変表示の停止に連動して行われる連動表示態様による報知は、Ｐ１出願日当時、当業者であれば誰もが知っている構成にすぎないものであって、甲２８発明に同構成を適用することは、当業者が容易に想到し得るものである（甲３２（「必勝パチスロファン」１９９４年増刊７月号）の78頁第２段19〜27行目、同頁第４段6〜10行目及び７９頁「ニューパルサー」の説明並びに甲３３（特開平８−１７３５９２号公報）の段落【０００１】、【００４９】、【００５１】〜【００５５】の記載を例示）。
　訂正後の請求項６は、訂正後の請求項３に対して、「各列の可変表示の全てが停止したときに複数の表示態様の中の１つの表示態様で演出する停止演出手段」による報知を追加し、入賞態様に対応する停止表示の種類を報知することを限定したものにすぎない。
　したがって、訂正後の請求項３と同様に前記各証拠に記載された発明に基づいて、当業者が容易に発明をすることができたものである。
　訂正後の請求項７は、訂正後の請求項３及び請求項６に対して、「連動演出手段は、前記可変表示停止手段によって前記各列の可変表示が停止されるのに連動し、複数の表示態様の中の１つの表示態様で演出する」限定したものである。
　したがって、訂正後の請求項３及び請求項６と同様に前記各証拠に記載された発明に基づいて、当業者が容易に発明をすることができたものである。
　
（３−２）訂正発明１０及び２６〜２８について（13〜24頁）
　訂正後の請求項１０は、要するに、ＢＢ，ＲＢを告知するための表示であって、所定の確定パターンを表示することにより、遊技者にその旨を表示するものであり、訂正の根拠となるのは、主に【図５３】〜【図５８】である。
　しかし、前記構成は、Ｐ２出願日前に公然実施された遊技機「サンダーＶ」に含まれるものである。遊技機「サンダーＶ」には、甲２７（本件特許に係る発明と「サンダーＶ」及び「ハナビ」との対照表）に示すとおり、【図５８】の確定パターンと同様のプログラムが「ＢＢ内部当たり中またはＲＢ内部当たり中にしか出現しない演出一覧」として含まれている。
　また、【図５３】のデモ抽選テーブル選択テーブルに該当するものや【図５４】〜【図５６】のデモ抽選テーブルに該当するテーブルも甲２７の32〜35頁に示すように、遊技機「サンダーＶ」に含まれている。
　したがって、訂正発明１０は、Ｐ２出願日前に公然実施された発明と同一のものであるか、または少なくとも公然実施された発明に基づいて、当業者であれば容易に発明をすることができたものである。
　訂正後の請求項２６〜２８は、訂正前の請求項１０（多数項引用形式）を独立形式に改めたものであって、前記デモ抽選テーブル選択テーブルを限定するものである。
　しかしながら、前記構成は、Ｐ２出願日前に公然実施された遊技機「サンダーＶ」に含まれる「デモ抽選テーブル選択テーブル」（甲２７、32頁参照）と同様であり、したがって、訂正発明２６は、Ｐ２出願日前に公然実施された発明と同一のものであるか、または少なくとも公然実施された発明に基づいて、当業者であれば容易に発明をすることができたものである。
　
２．当審が通知した平成２３年４月１日付け無効理由通知の概要
（１）平成２２年７月２６日付けの訂正請求について（1〜3頁）
　平成２２年７月２６日付けの訂正請求のうち、請求項３、６及び７についての訂正請求は認められない蓋然性が高く、請求項１０及び２６〜２８についての訂正請求は認められる蓋然性が高い。
　
（２）請求項３、６、７、１０及び２６〜２８に係る発明の認定（3〜8頁）
　上記（１）のとおり、請求項３、６及び７についての訂正請求は認められない蓋然性が高く、請求項１０及び２６〜２８についての訂正請求は認められる蓋然性が高いので、請求項３、６及び７に係る発明は本件特許明細書、請求項１０及び２６〜２８に係る発明は平成２２年７月２６日付けの訂正請求に係る明細書に記載されているとおりのものと仮定して無効理由を通知することとする。
　以下では、本件特許明細書に記載されている請求項３、６及び７に係る発明を、上記第２．１．で述べたとおり、それぞれ「訂正前発明３、６及び７」といい、平成２２年７月２６日付けの訂正請求に係る明細書に記載されている請求項１０及び２６〜２８に係る発明を、それぞれ「前回訂正発明１０及び２６〜２８」ということとする。
　
（３）基準日の認定（8〜10頁）
　本件特許の無効を審理するにあたって、その基準日は、訂正前発明３、６及び７についてはＰ１出願日（平成９年１２月５日）であり、前回訂正発明１０及び２６〜２８についてはＰ２出願日（平成１０年８月２８日）である。
　
（４）書証（10〜11頁）
　請求人が提出した書証である甲２８〜甲３４及び当審で追加する書証である丙１〜丙１１を利用する。なお、各書証の詳細は後記する。
　また、丙５の頒布時期は１９９８年８月中旬以前であると認められるので、丙５はＰ２出願日前に頒布された刊行物であるといえる。
　
（５）訂正前発明３、６及び７の進歩性について（14〜25頁）
　訂正前発明３は、甲２８発明、丙１に開示された構成及び周知技術Ａ〜Ｄに基づき、また、訂正前発明６及び７は、甲２８発明、丙１に開示された構成及び周知技術Ａ〜Ｅに基づき、Ｐ１出願日当時の当業者が容易に発明をすることができたものである。
　以下、この無効理由を「無効理由３」という。
　
（６）前回訂正発明１０及び２６〜２８の進歩性について（25〜39頁）
　前回訂正発明１０及び２７は、甲２８発明、丙５発明及び周知技術Ｆ〜Ｈに基づき、Ｐ２出願日当時の当業者が容易に発明をすることができたものである。
　前回訂正発明２６は、甲２８発明、丙５発明及び周知技術Ｆ〜Ｉに基づき、Ｐ２出願日当時の当業者が容易に発明をすることができたものである。
　前回訂正発明２８は、甲２８発明、丙５発明、周知技術Ｆ〜Ｈ及び周知技術Ｄに基づき、Ｐ２出願日当時の当業者が容易に発明をすることができたものである。
　以下、この無効理由を「無効理由４」という。
　
３．被請求人の主張概要（本件訂正に関するものを除く）
（１）主位的主張と予備的主張
　被請求人は、本件無効審判請求書は、特許法１３１条２項に違反する不適法な審判請求書であるから、同法１３５条の規定により却下されるべきであると主位的に主張し（平成１９年１１月５日の答弁書11〜15頁、(4)）、予備的に以下の主張をしている。
　なお、同答弁書12頁及び15頁には「特許法第131条第1項第2号」と記載されているが、被請求人の主張の趣旨からみて「特許法第131条第2項」の誤記と認める。
　
（２）訂正発明３，６及び７の進歩性について（被請求人意見書4〜14頁）
（２−１）訂正発明３について（5〜10頁）
　本件訂正は認められるから、訂正発明３と甲２８発明との相違点Ｂは、以下のとおりのものとすべきである。
　訂正発明３は「報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知とからなり、」「前記可変表示開始手段によって前記可変表示が開始されるときに複数の効果音の中の１つの音を発生させる音発生手段と、前記可変表示停止手段によって各列の前記可変表示が停止されるのに連動し、各列の表示を演出して、各列の表示で構成される複数の連動表示態様の中の１つの連動表示態様で演出する連動演出手段」を有するのに対し、甲２８発明は「適当な音」と「バックライトの点灯パターン」が、ゲームスタート時（訂正発明３の「可変表示が開始されるとき」に相当）に行われる報知と、その後の、各列の可変表示が停止されるのに連動して行われる報知という関係ではない点、及び「適当な音」が、複数の異なる入賞態様に共通したものであるとともに複数の効果音の中の１つの音であるかどうか明らかでない点。
　そして、周知技術Ｂとは、遊技状態に応じて複数の効果音の中の１つの音を発生させることであり、周知技術Ｃとは、可変表示が開始される時に、ボーナスフラグ又はシングルボーナスフラグが成立したことを共通の音により報知する技術であり、周知技術Ｄとは、リールの各列が停止するごとに報知を行う技術にすぎないから、いずれの周知技術からも、「可変表示が開始されるとき」と「可変表示停止手段によって各列の前記可変表示が停止される」ときとに報知を行うとともに、「可変表示が開始されるとき」の報知は「配当のある複数の異なる入賞態様に共通して演出される報知態様による報知」とするという一連の具体的な発想に至ることはない。
　訂正発明３は、遊技上の興趣を高める格別の作用効果が奏されるということができるから、上記相違点Ｂに係る訂正発明３の構成を当業者が容易になし得るということはできない。
　また、他にそのような一連の具体的な報知を行うことを開示又は示唆する証拠もない。
　平成２３年４月１日付け無効理由通知（以下単に「無効理由通知」という。）では、相違点Ｃについて、
　「丙１には、入賞態様決定手段で決定されたビッグボーナスゲーム当選、ボーナスゲーム当選その他の入賞態様に応じ、遊技効果ランプの点灯の有無とリーチ音の発生の有無という異なる複数の報知態様の種類の組合せを選択し報知するとの構成が開示されているということができる。
　なぜなら、丙１の段落【００５０】に記載されるように、ビッグボーナスゲーム当選の際にのみリーチ音を発生させるとした場合には、ビッグボーナスゲーム当選のときは、遊技効果ランプが点灯するとともにリーチ音も発生し、ボーナスゲーム当選のときは、遊技効果ランプは点灯するもののリーチ音は発生せず、その他のときは、遊技効果ランプは点灯せずリーチ音も発生しないことになるからである。
　そうすると、甲２８発明に、丙１に開示された上記構成（入賞態様決定手段で決定された入賞態様に応じ、異なる複数の報知態様の種類の組合せを選択し報知するとの構成）を適用するとともに周知技術Ｂ〜Ｄを考慮すれば、報知態様選択手段により選択される報知情報について、「音発生手段によって発生される効果音の種類、および連動演出手段によって演出される連動表示態様の種類の組合せを、」「入賞態様に応じて選択する」との構成を採用し、また、報知する報知情報について、「報知態様選択手段により選択された、効果音の種類及び連動表示態様の種類の組合せからなる」との構成を採用すること、すなわち、訂正前発明３の報知態様選択手段等に係る構成を採用することは、Ｐ１出願日当時の当業者が容易に想到し得ることといえる。」
としている。
　しかしながら、丙１に開示された上記構成においては、ビッグボーナスゲームかあるいはボーナスゲームに当選すれば遊技効果ランプは点灯するが、ビッグボーナスゲームが当選していても、２つのリールが停止したときにリーチ状態になっていなければリーチ音は発生しないから、リーチ音が発生しない場合にビッグボーナスゲームではなくボーナスゲームに当選していると確定できない。すなわち、ビッグボーナスゲームに当選したかあるいはボーナスゲームに当選したかを明確に報知することはできないものであり、せいぜい、ビッグボーナスゲームかボーナスゲームかを区別できるだけであるから、「異なる複数の報知態様の種類の組合せを選択し報知する」とはいえない。さらに、訂正発明３では、複数の効果音の中から１つの音を選択し、その後の、各列の可変表示が停止されるのに連動して演出される複数の連動表示態様の中から１つ連動表示態様を選択して、その組合せを報知しているのに対し、丙１では、１種類の遊技効果ランプの点灯と、１種類のリーチ音の発生について、両方の報知をするか、一方の報知をするかにより報知しているだけであるから、相違点Ｃの判断には影響を及ぼさないものである。
　訂正発明３は、遊技上の興趣を高める格別の作用効果が奏されるということができるから、上記相違点Ｃに係る訂正発明３の構成を当業者が容易になし得るということはできない。
　ところで、本件の新たな訂正により、以下の相違点Ｅが生じることになる。
　訂正発明３は「報知態様選択手段により選択された効果音の種類により配当のある複数の特定の入賞態様を含む入賞態様であることが報知され、効果音の種類とその後の連動表示態様の種類との組合せにより１つの入賞態様であることが報知される」のに対し、甲２８発明は「適当な音」は複数の異なる入賞態様に共通したものとはいえず、「適当な音」と「バックライトの点灯パターン」との組合せにより１つの入賞態様であることが報知されるものではない点。
　相違点Ｅについても、相違点Ｂ及び相違点Ｃと同様、遊技場の興趣を高める格別の作用効果が奏されるということができるから、上記相違点Ｅに係る訂正発明３の構成を当業者が容易になし得るということはできない。
　
（２−２）参考判決について（10〜14頁）
　参考判決は、主文において、「特許庁が無効２００６−８０１１６号事件について平成２０年１１月１９日にした審決中，特許第３０６９０９２号の請求項３，請求項６，請求項７，請求項９，請求項１８及び請求項２５に係る部分を取り消す。」と判示しているので、これについて反論する。
　無効２００６−８０１１６号審決（以下「別件審決」という。）では、引用発明（本件の甲２８発明）の認定を誤っており、正しくは、引用発明は、「前記報知手段は、前記ストップボタン１２が押された直後に、前記複数のリール２，３，４の内側に取り付けられているバックライトの点灯パターンを変え、加えて発音装置から適当な音を発生する」ものであり、一致点は、「前記報知手段は、音発生手段と、前記可変表示停止手段によって前記可変表示が停止されるのに連動し、複数の表示態様の中の１つの表示態様で演出する連動演出手段で構成される」点であるから、相違点２及び３についても、引用発明は、「適当な音」と「バックライトの点灯パターン」が、ゲームスタート時に行われる報知と、その後の、各列の可変表示が停止されるのに連動して行われる報知という関係にはない点、及び「適当な音」が、複数の異なる入賞態様に共通したものではなく、また、複数の効果音の中の１つの音であるかどうか明らかでない点。」、及び「「バックライトの点灯パターン」の種類及び「適当な音」の種類の組合せを選択しているものではない点。」と認定すべきである。
　別件審決に対する参考判決では、別件審決の上記認定に基づいて、相違点２及び３が判断されたため、誤った判断がなされたのである。
　引用発明には、「配当のある複数の異なる入賞態様に共通して演出される報知態様による報知」や、「報知手段は、複数の効果音の中の１つの音を発生させる音発生手段・・・前記音発生手段によって発生される効果音の種類、および前記連動演出手段によって演出される連動表示態様の種類を、それぞれ選択する報知態様選択手段とから構成され、前記報知態様選択手段により選択された効果音の種類からなる報知情報および連動表示態様の種類からなる報知情報をそれぞれ報知する」構成は記載されていないから、判決のような論理付けを行うことができないことは明らかである。
　また、本件の新たな訂正により、連動報知態様の意味が明確となり、引用発明に連動報知態様が開示ないし示唆されていないことが明らかとなったことに加え、さらに新たに生じた相違点Ｅについては、判決が全く審理していない事項であり、可変表示が開始されるときに複数の入賞態様であることが報知され、各列の可変表示が停止されるごとに入賞態様が順次報知され、すべての可変表示が停止した際に１つの入賞態様であることが報知されることにより、遊技上の興趣を高める格別の作用効果が奏されるのであるから、当業者が容易になし得るということはできない。
　
（２−３）訂正発明６について（14頁）
　訂正発明６は、訂正発明３と比較すると、音発生手段と連動演出手段による報知に加え、「各列の可変表示の全てが停止したときに複数の表示態様の中の１つの表示態様で演出する停止演出手段」による報知を追加し、入賞態様に対応する停止表示態様の種類を報知することを限定したものである。
　したがって、訂正発明３と同様に、各証拠に記載された発明に基づいて、当業者が容易に発明をすることができたものではない。
　
（２−４）訂正発明７について（14頁）
　訂正発明７は、訂正発明３及び訂正発明６に対し、「連動演出手段は、前記可変表示停止手段によって前記各列の可変表示が停止されるのに連動し、複数の表示態様の中の１つの表示態様で演出する」と限定したものである。
　したがって、訂正発明３及び訂正発明６と同様に、各証拠に記載された発明に基づいて、当業者が容易に発明をすることができたものではない。
　
（３）訂正発明１０及び訂正発明２６〜２８について（同14〜25頁）
（３−１）訂正発明１０について（14〜22頁）
　無効理由通知では、訂正発明１０と甲２８発明との相違点は、訂正前発明６と甲２８発明との相違点である相違点Ａ，Ｂ’，Ｃ’に加え、相違点Ｄであるとしている。
　そして、丙５発明を認定し、丙５発明は相違点Ａ，Ｂ’，Ｃ’に係る訂正発明１０の構成を有しており、相違点Ｄについても、「報知態様選択手段」が、“遊技状態および入賞態様に応じて組合せ選択用テーブルを参照して演出態様組合せを選択する”構成、及び“ボーナス・ゲーム作動中を除く各遊技状態においては、入賞態様毎に異なる組合せ選択用テーブルが対応”している構成は有しているとし、
　甲２８発明及び丙５発明がともに有していない訂正発明１０の構成は、以下のａ．及びｂ．であり、
ａ．訂正発明１０の「報知態様選択手段」が、「デモ抽選テーブル選択テーブルを参照して遊技状態および入賞態様に応じてデモ抽選テーブルを選択し、選択されたデモ抽選テーブルを参照して抽選乱数に応じて演出態様組合せを選択する」点。
ｂ．訂正発明１０の「デモ抽選テーブル選択テーブル」が、「ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」点。
　ａ．については、複数のテーブルから１つのテーブルを選択するに際して、テーブル選択用の別のテーブルを参照することは、甲３４、丙６、丙７、丙８及び丙９に記載されているように周知技術Ｆであり、さらに、テーブルを参照して抽選乱数に応じて１つの事象を選択することも例を挙げるまでもなく、周知技術Ｇであるとともに、甲３４、丙６及び丙７においても、選択されたテーブルを参照し乱数に応じたリーチモード等を選択しており、
　ｂ．については、丙５発明の「選択率表」では、「ボーナスフラグ成立中」の状態における表しか示されていないが、「ボーナス成立プレイ」の状態においては、「ＲＥＧ」（レギュラーボーナス）又は「ＢＩＧ」（ビッグボーナス）が成立した場合とで振り分け率の規定が変えてあり、丙１０や丙１１に記載されているように、ビッグボーナス内部当たり中かレギュラーボーナス内部当たり中かによって、出現する報知態様を一部異ならせることは、周知技術Ｈであり、
　甲２８発明と丙５発明は、ともに遊技機（スロットマシン）に関する発明であり、かつ、いずれも入賞態様の種類（丙５発明では成立フラグ）を遊技者に知らせる機能を有する点で共通しているから、甲２８発明に丙５発明を適用することは、Ｐ２出願日当時の当業者にとって容易であり、
　甲２８発明に丙５発明を適用する際に、周知技術Ｆ及びＧを考慮して、丙５発明の「選択率表」に含まれる、「状態」及び「成立フラグ」に応じた“組合せ選択用テーブル”をテーブル選択用の別のテーブルを参照して選択し、かつ、そのようにして選択した“組合せ選択用テーブル”を参照して抽選乱数に応じて「前記２種類のスタート音、前記リール消灯及び前記フラッシュのセット」を選択するようにし、さらに、周知技術Ｈを考慮して、丙５発明の「選択率表」に含まれる「ボーナスフラグ成立中」の状態における表を「レギュラーボーナスフラグ成立中」の状態における表と「ビッグボーナスフラグ成立中」の状態における表に分けて、少なくとも一部の振り分け率が異なるようにして、上記ａ．及びｂ．に係る訂正発明１０のような構成とすることは、Ｐ２出願日当時の当業者が適宜実施し得るとし、
　相違点Ａ、Ｂ’、Ｃ’及びＤに係る訂正発明１０の構成は、甲２８発明、丙５発明及び周知技術Ｆ〜Ｈから、Ｐ２出願日当時の当業者が容易に想到し得ることといえる、
　と説示している。
　
　無効理由通知では、丙５の頒布された時期について、(１)丙５の裏表紙に記載されている発行日は１９９８年９月１０日であるが、この種の雑誌は記載された発行日より前に頒布されることが慣行となっていること、(２)販売業者のホームページによると丙５の発行年月は１９９８年７月となっていること、(３)丙５の98頁右下にある囲み記事にパチスロ必勝本ＧＯＬＤに関して「ただいま製作中８月下旬発売予定」と記載されていること、から丙５の頒布時期は１９９８年８月中旬以前であると認定している。
　しかしながら、(１)は単なる慣行のことをいうにすぎず、(２)はホームページに掲載された日が本件出願前であることを主張・立証するものではなく、(３)は「ただいま製作中」の「ただいま」は、丙５の発行日ではなく、丙５の製作中である可能性もあり、また、丙５が１９９８年８月２８日より前に発行されたことを証明するものでもない。
　以上のとおり、上記事実のみでは丙５は公知刊行物として認定できないものと思料する。
　
　無効理由通知では、甲２８発明と丙５発明は、ともに遊技機（スロットマシン）に関する発明であり、かつ、いずれも入賞態様の種類（丙５発明では成立フラグ）を遊技者に知らせる機能を有する点で共通しているから、甲２８発明に丙５発明を適用することは、Ｐ２出願日当時の当業者にとって容易であると説示している。
　しかしながら、甲２８発明は、所定の払出率を維持しつつ、従来よりも遊技者の技術を関与させるようにしてゲームの興趣を向上させた遊技機を提供することが主たる課題であり、段落【００７９】に「内部的当選を遊技者に知らせる報知手段を設けてもよい。」と記載されているように、報知手段は付随的なものにすぎない。報知手段は、内部的当選を遊技者に知らせれば課題を解決できるものであって、徐々に入賞態様を報知するという課題は存在しないし、確率的に報知するという課題も存在しない。
　これに対して、丙５発明は、２種類のスタート音、リール消灯及びフラッシュのセットを成立フラグに対して選択するチャンスパターンの選択率表を備え、選択率表は、成立フラグに応じて複数用意されているセットの何れを選択するかの振り分け表を規定し、各状態において、成立フラグごとに複数用意されているセットの振り分け率を異ならせるなど、極めて多彩な報知手段を備えるものであって、ゲームの進行に伴って、徐々に入賞態様を報知するというものであり、また、確率的に報知するものであるから、丙５発明の報知手段を、甲２８発明の報知手段として適用する動機付けは全くないといえる。
　
　無効理由通知では、ｂ．については、丙５発明の「ボーナス成立プレイ」の状態においては、「ＲＥＧ」又は「ＢＩＧ」が成立した場合とで振り分け率の規定が変えてあり、丙１０や丙１１に記載されているように、ビッグボーナス内部当たり中かレギュラーボーナス内部当たり中かによって、出現する報知態様を一部異ならせることは、周知技術Ｈである旨説示している。
　まず、丙５発明の「ボーナス成立プレイ」の状態において、「ＲＥＧ」又は「ＢＩＧ」が成立した場合とで振り分け率の規定が変えてある点は、上記構成要件とは全く関係のない事項である。
　また、丙１０及び丙１１に開示されている事項は、いずれも、全てのリールが停止した後（２つ目のリールが停止した後で確定するものがあるが）に行われる報知であり、「可変表示が開始されるとき」や「可変表示停止手段によって各列の前記可変表示が停止されるとき」などに、入賞態様ごとに異なる報知態様の組合せで行われる報知ではないから、デモ抽選テーブルに関連のあるものとして認定することはできないし、丙５発明の「選択率表」に適用できる周知技術を認定できるものでもない。
　
　本件の新たな訂正請求により、訂正発明１０と甲２８発明とは、確定パターンの演出についての相違点Ｆでも相違する。
　このような確定パターンを演出することを示す証拠はないから、訂正発明１０の相違点Ｆは、当業者が容易に想到できるものではない。
　
（３−２）訂正発明２６について（22〜23頁）
　無効理由通知では、訂正発明２６と甲２８発明との相違点は、訂正発明１０と甲２８発明との相違点に対して「連動演出手段」を省いたことによる差に過ぎないとし、甲３２から、ボーナスフラグ又はシングルボーナスフラグが成立したことを、可変表示が開始される時の音で報知するとともに、リーチ目、すなわちリールが停止した時の表示でも報知する技術は周知技術Ｉであるから、相違点は容易である旨説示している。
　しかしながら、訂正発明１０について示した、(イ) 丙５の公知日について、(ウ) 甲２８発明に丙５発明を適用する動機付けについて、及び(エ)ｂ．については、訂正発明２６でも同様である。
　また、周知技術Ｉはボーナスフラグの成立を２回報知する技術にすぎないから、訂正発明２６の進歩性の判断には影響を及ぼすことのないものである。
　したがって、訂正発明２６は、訂正発明１０と同様に、各証拠に記載された発明に基づいて、当業者が容易に発明をすることができたものではない。
　
（３−３）訂正発明２７について（23〜24頁）
　無効理由通知では、訂正発明２７と甲２８発明との相違点Ｂ及びＣについては、いずれも相違点Ｂ’及びＣ’に対して「停止演出手段」を省いたことによる差に過ぎないとし、丙１に記載されるように、全リール回転開始時の遊技効果ランプの点灯の有無と中リール停止時のリーチ音の発生の有無という異なる複数の報知態様の種類の組合せを選択し報知することが知られているから、相違点Ｂ及びＣに係る訂正発明２７の構成は、甲２８発明、丙５発明、丙１記載の事項及び周知技術から容易である旨説示している。
　しかしながら、訂正発明１０について示した、(イ) 丙５の公知日について、(ウ) 甲２８発明に丙５発明を適用する動機付けについて、及び(エ)ｂ．については、訂正発明２６でも同様である。
　また、丙１記載の事項は、ビッグボーナスゲーム当選とボーナスゲーム当選とを区別する報知をすることがあるとしても、両者を明確に区別する報知ではなく、また、リーチ音はリーチ状態になった場合にのみ報知されるものであり、かつ、中リール停止時にのみ報知するものであるから、訂正発明２７の連動報知とは異なり、訂正発明２７の進歩性の判断には影響を及ぼすことのないものである。
　したがって、訂正発明２７は、訂正発明１０と同様に、各証拠に記載された発明に基づいて、当業者が容易に発明をすることができたものではない。
　
（３−４）訂正発明２８について（24〜25頁）
　訂正発明２８は、訂正発明２７に対して、「音発生手段」に、「前記連動演出手段によって前記各列の表示が演出される毎に、予め定められた種類または長さの効果音を発生させる」機能を付加するものである。
　したがって、 (イ) 丙５の公知日について、(ウ) 甲２８発明に丙５発明を適用する動機付けについて、及び(エ)ｂ．については、訂正発明１０と同様であり、甲２８発明に丙５発明を適用する動機付けがないことに加え、仮に適用したとしても、訂正発明２８とはならない。
　また、無効理由通知では、「音発生手段は、前記連動演出手段によって前記各列の表示が演出される毎に、予め定められた種類または長さの効果音を発生させる」点を相違点Ｅとして、該相違点Ｅは、甲２８発明に周知技術Ｄを適用して、当業者が容易に想到し得ることであるとしている。
　しかしながら、甲３２に記載されているのはボーナスフラグ成立を知らせるために各リールをスベらせる技術であるから、連動報知とともに音を発生させるものではなく、また、甲３３に記載されているのは、有効化入賞ライン上に停止したシンボルの音を発生させるものであるから、連動報知とともに予め定められた種類または長さの効果音を発生させるものではない。
　よって、周知技術Ｄは、相違点Ｅの判断とは関係のない技術であり、相違点Ｅは、当業者が容易に想到し得ることとはいえない。
　したがって、訂正発明２８は、訂正発明１０と同様に、各証拠に記載された発明に基づいて、当業者が容易に発明をすることができたものではない。
　
　
第４．当事者の提出した書証及び当審が提示した書証
１．はじめに
　この審決においては、上記第２．６．（１１）に記載したように「甲第２８号証」及び「丙第１号証」を、それぞれ「甲２８」及び「丙１」と記載し、「甲第２９号証」や「丙第２号証」等についても同様に記載するのに加え、「検甲第１号証」及び「乙第１号証」を、それぞれ「検甲１」及び「乙１」と記載し、「検甲第２号証」及び「乙第２号証」等についても同様に記載することとする。
　
２．請求人が提出した書証
【平成１９年８月２０日の審判請求書に添付】
甲１　：特許原簿
甲２　：本件特許公報（特許第３０６９０９２号公報）
甲３　：異議２００１−７０２７１の特許決定公報
甲４　：Ｐ１出願時の明細書及び図面
甲５　：Ｐ２出願時の明細書及び図面
甲６　：原出願の公開公報（特開２０００−１３５３０６号公報）
甲７　：基準日時系列表
甲８　：Ｐ１、Ｐ２、原出願、本件特許対照表
甲９　：請求項対応表
甲１０：東京高裁平成１４年（行ケ）５３９号判決要旨
甲１１：早期審査に関する事情説明書
甲１２：早期審査に関する報告書
甲１３：アルゼ株式会社第２６期有価証券報告書
甲１４：「サンダーＶ」のマシン語の出力画面
甲１５：「サンダーＶ」の逆アセンブルの出力画面
甲１６：「ハナビ」のマシン語の出力画面
甲１７：「ハナビ」の逆アセンブルの出力画面
甲１８：「サンダーＶ」のマシン語プログラム
甲１９：「ハナビ」のマシン語プログラム
甲２０：「サンダーＶ」のアセンブルリスト
甲２１：「ハナビ」のアセンブルリスト
甲２２：アセンブルリスト対照表
甲２３：遊技機の取扱説明書（サンダーＶ）
甲２４：「実践！スロッター勝利の掟」の表紙、裏表紙及び44〜45頁（２００３年４月　株式会社宝島社発行）
甲２５：「パチスロ攻略マガジン」の表紙、裏表紙及び8〜9頁（平成１０年５月１日　株式会社双葉社発行）
甲２６：「パチスロ攻略マガジン」の表紙、裏表紙及び10〜15頁（平成１０年１０月１日　株式会社双葉社発行）
甲２７：本件特許に係る発明と「サンダーＶ」及び「ハナビ」との対照表
甲２８：特開平８−１１７３９０号公報
甲２９：特開平７−６８０２７号公報
甲３０：特開平９−７００号公報
甲３１：特開平９−２６２３４８号公報
甲３２：「必勝パチスロファン」１９９４年増刊７月号、ＶＯＬ．２５（日本文芸社より発行）
甲３３：特開平８−１７３５９２号公報
甲３４：特開平１０−２０１９１１号公報
甲３５：特開平８−２１１８６９号公報
甲３６：特開平８−９９４０７号公報
甲３７：東京高裁平成１５年（行ケ）３０２号判決
甲３８：東京高裁平成８年（行ケ）１０３号判決
【平成２０年１月４日の弁駁書に添付】
甲３９：「工業所有権法逐条解説　第１３版」表紙、125頁及び奥付（１９９６年１月１日　社団法人発明協会発行）
甲４０：「パチンコ・パチスロ白書　１９９８〜９９」表紙、210頁及び奥付（１９９８年３月２０日　現代書林発行）
甲４１：「月刊　パチスロ必勝ガイド」１９９８年４月号、表紙、裏表紙及び4〜10頁（株式会社白夜書房発行、平成１０年２月２３日国会図書館東京本館受入）
甲４２：「月刊　パチスロ必勝ガイド」１９９８年１１月号、表紙、裏表紙及び6〜10頁（株式会社白夜書房発行、平成１０年９月２４日国会図書館東京本館受入）
甲４３：履歴事項全部証明書（有限会社パティオ）
甲４４：http://patio.ocnk.net/（有限会社パティオのインターネットホームページ）
甲４５：履歴事項全部証明書（株式会社東プロ）
甲４６：http://www.topro-am.jp（株式会社東プロのインターネットホームページ）
甲４７：「月刊アミューズメント・ジャーナル」２００７年１１月号、表紙、裏表紙、64〜65頁
甲４８：「パチスロ攻略マガジン」１９９８年８月号、表紙、裏表紙及び72頁（株式会社双葉社発行）
【平成２０年１月４日の意見書に添付】
甲４９：「月刊　パチスロ必勝ガイド」１９９８年１０月号、表紙及び3〜5頁（株式会社白夜書房発行、平成１０年８月２１日国会図書館東京本館受入）
【平成２０年５月２１日の上申書に添付】
甲５０：平成１８年（ワ）第２８２４４号において、被告（本件請求人）が乙１５として提出した書類
【平成２０年５月３０日の上申書に添付】
甲５１：田中正彦の陳述書
甲５２：田中正彦の陳述書
【平成１９年８月２０日の審判請求書に添付】
甲５３：「サンダーＶ」の筐体の正面写真（検甲１）
甲５４：「サンダーＶ」の前面扉開口状態の正面写真（検甲２）
甲５５：「サンダーＶ」の開口部拡大正面写真（検甲３）
甲５６：「サンダーＶ」の可変表示部と制御基板の拡大正面写真（検甲４）
甲５７：「サンダーＶ」の制御基板の拡大正面写真（検甲５）
甲５８：「サンダーＶ」の制御基板に実装されたＲＯＭの拡大写真（検甲６）
甲５９：「ハナビ」の筐体の正面写真（検甲７）
甲６０：「ハナビ」の前面扉を開口した内部写真（検甲８）
甲６１：「ハナビ」の開口部正面写真（検甲９）
甲６２：「ハナビ」の可変表示部と制御基板の拡大正面写真（検甲１０）
甲６３：「ハナビ」の制御基板の拡大正面写真（検甲１１）
甲６４：「ハナビ」の制御基板に実装されたＲＯＭの拡大写真（検甲１２）
甲６５：「サンダーＶ」に実装されたＲＯＭを解析中の写真（検甲１３）
甲６６：「ハナビ」に実装されたＲＯＭを解析中の写真（検甲１４）
　
３．被請求人が提出した書証
【平成１９年１１月６日の答弁書に添付】
乙１　：「サンダーＶ」の遊技機本体内部の写真
乙２　：「ハナビ」の遊技本体内部の写真
乙３　：「ハナビ」の取扱説明書
【平成２０年５月３０日の上申書に添付】
乙４　：健全化対策実施要綱
乙５　：四訂版　風営適正化法関係法令集に掲載された保証書の書式
乙６　：サンダーＶの販売台数に関する資料
乙７　：サンダーＶのパンフレット
乙８　：別所直鋼の陳述書（１）
乙９　：磯山裕一の陳述書
乙１０：福田貞夫の陳述書（１）
乙１１：並木利夫の陳述書
乙１２の１〜乙１２の１６：サンダーＶの販売台数（出荷台数）について、被請求人から株式会社メーシー販売への通知書
乙１３：売買契約書
乙１４：約款
乙１５：「回胴式遊技機の機能及び構造等（日電協内規）（案）」　日本電動式遊技機工業協同組合
乙１６：「遊技機試験運用細目」　保安電子通信技術協会
乙１７：「パチスロ攻略マガジン」１９９８年４月号　平成１０年４月１日、株式会社双葉社発行）
乙１８：「最新　パチスロ完全攻略ガイド」平成１０年７月１日、辰巳出版株式会社発行
乙１９：畠山裕明の陳述書
乙２０：福田貞夫の陳述書（２）
乙２１：別所直鋼の陳述書（２）
【平成２１年６月１８日の答弁書に添付】
乙２２：無効2006-80116の平成２０年４月１４日付け訂正請求書
乙２３：無効2006-80116の平成２０年１１月１９日付け審決
乙２４：「広辞苑第４版」145頁（「一意」の部分、１９９１年１１月１５日　株式会社岩波書店発行）
乙２５：「工業所有権法逐条解説　第１３版」表紙、100〜111頁及び奥付（１９９６年１月１日　社団法人発明協会発行）
乙２６：「月刊　パチスロ必勝ガイド」１９９９年２月号、表紙及び66〜67頁（平成１０年１２月２５日国立国会図書館受入）
【平成２１年６月２６日の上申書に添付】
乙２７：別所直鋼の陳述書（３）
乙２８：平成１３年６月５日付け沖縄本部営業社員からの市場調査の報告、ＦＡＸ送信文書
乙２９：平成１２年１１月２１日付け沖縄本部営業社員からの新規機種「大花火−３０」についての稼働率の報告、ＦＡＸ送信文書
乙３０：平成１４年５月付けパチスロ機「バベル」売買契約書
乙３１：平成１２年２〜９月におけるパチスロ機「大花火−３０」「サンダーＶ−３０」「アステカ−３０」の注文書
乙３２：塚越繁の陳述書（１）
乙３３：塚越繁の陳述書（２）
乙３４：弁護士長沢幸男の陳述書（１）
【平成２１年７月３日の上申書に添付】
乙３５：別所直鋼の陳述書（４）
乙３６：風営適正化法関係法令集　四訂版、表紙、85、102、138頁及び奥付（平成１６年１０月５日　東京法令出版株式会社発行）
乙３７：風営適正化法関係法令集　四訂版、表紙、244、277頁及び奥付（平成１６年１０月５日　東京法令出版株式会社発行）
【平成２１年７月８日の上申書に添付】
乙３８：弁護士長沢幸男の陳述書（２）
乙３９：弁護士長沢幸男の陳述書（３）
【平成２２年７月２６日の訂正請求書に添付】
乙４０：知財高裁平成１８年（行ケ）１０１０２号判決（同年１２月２０日）
乙４１：特許・実用新案審査基準第II部第２章１．２．４
乙４２：知財高裁平成２０年（行ケ）１０１１５号判決（平成２１年２月２４日）
【平成２３年５月１１日の意見書に添付】
乙４３：請求項３に係る発明に関する両審決の認定の対比
　
４．当審による無効理由通知で提示した書証
甲２８：特開平８−１１７３９０号公報
甲２９：特開平７−６８０２７号公報
甲３０：特開平９−７００号公報
甲３２：「必勝パチスロファン」１９９４年増刊７月号、ＶＯＬ．２５、表紙、75〜79頁及び裏表紙（日本文芸社発行）
甲３３：特開平８−１７３５９２号公報
甲３４：特開平１０−２０１９１１号公報
丙　１：特開平６−１１４１４０号公報＜無効2006-80116の甲５＞
丙　２：特開平８−３３６６４２号公報＜無効2006-80116の甲２３＞
丙　３：特開平７−１００２４９号公報
丙　４：特開平９−２９９５４８号公報＜無効2006-80116の甲１０＞
丙　５：「パチスロ必勝本ＳＰＥＣＩＡＬ vol.1」、36〜65頁、98頁及び裏表紙（株式会社辰巳書房発行）
丙　６：特開平１０−１１３４３９号公報
丙　７：特開平１０−１５１７５号公報
丙　８：特開平１０−１５１５６号公報
丙　９：特開平８−１３１６２２号公報
丙１０：「パチスロ必勝ガイド」１９９８年８月号、123〜125頁及び裏表紙（株式会社白夜書房発行）
丙１１：「パチスロ攻略マガジン」１９９８年１月号、132〜133頁及び裏表紙（株式会社双葉社発行）
　
　
第５．本件審判請求についての当審の判断
１．被請求人の主位的主張について
　当審は、本件審判請求を却下しない。その理由は以下に述べるとおりである。
　第一に、特許法１３５条は「不適法な審判の請求であつて、その補正をすることができないものについては、被請求人に答弁書を提出する機会を与えないで、審決をもつてこれを却下することができる。」と定めているところ、「被請求人に答弁書を提出する機会を与えないで、」とある以上、「不適法な審判の請求であつて、その補正をすることができないもの」かどうかの判断は審判合議体に委ねられており、「却下することができる」のであって却下しなければならない旨定めているのではないから、仮に「不適法な審判の請求であつて、その補正をすることができないもの」に該当しても、却下しなければならないものではないから、被請求人が単なる意見として述べるのは可能であるものの、主張として述べることは許されない。
　第二に、請求人が主張する無効理由は２つあり、被請求人が不適法かつ補正をすることができないと主張するのは、無効理由１に対してのみである。仮に無効理由１が被請求人主張のとおりであるとしても、無効理由２が不適法な理由でない以上、無効理由１については、その理由により本件特許を無効にできない旨判断し、無効理由２により本件特許を無効にすべきかどうかの判断をすべきである。
　第三に、無効理由１が「補正をすることができない」ほど不適法であるとも認めない。被請求人は、優先権効果の主張が認められない理由を具体的に特定しておらず、「後の出願の特許請求の範囲に記載された発明の要旨となる技術的事項」及び「先の出願の当初明細書等に記載された技術的事項の範囲」を具体的に特定していないなどと主張し、そのため、反論の対象を特定できないと主張する。無効理由１が、被請求人が主張するように具体性を欠くことは認めるが、無効理由１は、本件訂正前発明の出願日を優先権との関係で問題とし、Ｐ１出願の優先権の効果が認められないことを中核とした無効理由であることは明らかであり、Ｐ１出願の優先権の効果が認められない理由やその範囲を具体化することは、特許法１３１条の２の「要旨を変更するもの」には該当しない。
　
２．本件訂正発明の認定
　上記第２．６．に記載したとおり、本件無効審判の対象となっている請求項３、６、７、１０及び２６〜２８に関する訂正事項ａ〜ｃ、ｅ及びｇ〜ｏは、いずれも適法なものであるので、本件審判請求について当審が判断する本件訂正発明は訂正後の明細書の記載からみて、訂正後の請求項３、６、７、１０及び２６〜２８に記載された事項により特定されるとおりのものであり、各請求項に記載された事項は次のとおりである。
【請求項３】　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、前記音発生手段によって発生される効果音の種類と、前記連動演出手段によって演出される連動表示態様の種類との組合せを、前記入賞態様決定手段で決定された入賞態様に応じて選択する報知態様選択手段とから構成され、
　前記報知態様選択手段により選択された効果音の種類により配当のある複数の特定の入賞態様を含む入賞態様であることが報知され、前記効果音の種類とその後の連動表示態様の種類との組合せにより１つの入賞態様であることが報知されることを特徴とする遊技機。
【請求項６】　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記報知態様とは異なる報知態様による報知であって、前記可変表示停止手段によって各列の前記可変表示が停止されるのに連動して行われる報知と、前記各列の可変表示の全てが停止したときに行われる報知とからなり、
　前記報知手段は、前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、前記各列の可変表示の全てが停止したときに複数の表示態様の中の１つの表示態様で演出する停止演出手段と、前記音発生手段によって発生される効果音の種類と、前記連動演出手段によって演出される連動表示態様の種類と、前記停止演出手段によって演出される停止表示態様の種類との組合せを、前記入賞態様決定手段で決定された入賞態様に応じて選択する報知態様選択手段とから構成され、
　前記報知態様選択手段は、前記効果音の種類により配当のある複数の特定の入賞態様を含む入賞態様であることを報知し、前記効果音の種類とその後の連動表示態様の種類との組合せにより１つの入賞態様であることを報知するとともに当該入賞態様に対応する前記停止表示態様の種類を報知することを特徴とする遊技機。
【請求項７】　前記連動演出手段は、前記可変表示停止手段によって前記各列の可変表示が停止されるのに連動し、複数の表示態様の中の１つの表示態様で演出することを特徴とする請求項３または請求項６に記載の遊技機。
【請求項１０】　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、配当のある複数の異なる入賞態様に共通して演出される報知態様による報知と、その後の、前記報知態様とは異なる報知態様による報知とからなり、
　前記報知手段は、前記可変表示手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記各列の可変表示の全てが停止したときに複数の表示態様の中の１つの表示態様で演出する停止演出手段と、前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択するものであり、
　前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではなく、
　前記演出態様組合せは、遊技状態が一般遊技中においてボーナスが入賞態様となった場合、及び遊技状態がボーナスの内部当たり中である場合にのみ前記報知態様選択手段によって選択される複数の確定パターンを含み、
　前記ボーナスは、少なくとも種類の異なる２つのボーナスがあり、
　前記確定パターンは、２つのボーナスのうち、一方のボーナスの当選フラグが成立している場合にのみ選択される第１の確定パターンと、他方のボーナスの当選フラグが成立している場合にのみ選択される第２の確定パターンと、２つのボーナスのいずれかの当選フラグが成立している場合に選択される第３の確定パターンとを含み、
　前記デモ抽選テーブル選択テーブルにより、遊技状態が一般遊技中においてボーナスが入賞態様となった場合、及び遊技状態がボーナスの内部当たり中である場合に選択されるデモ抽選テーブルは、当該デモ抽選テーブルに対応づけされた複数の演出態様組合せの一部が前記確定パターンであり、
　前記報知態様選択手段は、遊技状態が一般遊技中においてボーナスが入賞態様となった場合には、前記第１の確定パターン及び前記第２の確定パターンを選択せず前記第３の確定パターンのみを選択するように構成され、遊技状態がボーナスの内部当たり中である場合には、前記第１の確定パターン乃至前記第３の確定パターンを選択しうるように構成されており、
　前記報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高いことを特徴とする遊技機。
【請求項２６】　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、配当のある複数の異なる入賞態様に共通して演出される報知態様による報知と、その後の、前記報知態様とは異なる報知態様による報知とからなり、
　前記報知手段は、前記可変表示開始手段によって前記可変表示が開始されるときに複数の効果音の中の１つの音を発生させる音発生手段と、前記各列の可変表示の全てが停止したときに複数の表示態様の中の１つの表示態様で演出する停止演出手段と、前記音発生手段によって発生される効果音の種類、および前記停止演出手段によって演出される停止表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択するものであり、
　前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではないことを特徴とする遊技機。
【請求項２７】　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって少なくとも１列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記音発生手段によって発生される効果音の種類、および前記連動演出手段によって演出される連動表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択するものであり、
　前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではないことを特徴とする遊技機。
【請求項２８】　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段を備え、前記報知情報が、前記可変表示開始手段によって前記可変表示が開始されるときに行われる報知であって、配当のある複数の異なる入賞態様に共通して演出される報知態様による報知と、その後の、前記可変表示停止手段によって少なくとも１列の前記可変表示が停止されるのに連動して行われる報知であって、前記報知態様とは異なる報知態様による報知とからなり、
　前記報知手段は、前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記音発生手段によって発生される効果音の種類、および前記連動演出手段によって演出される連動表示態様の種類の組合せを、前記入賞態様決定手段で決定された入賞態様に応じて選択する報知態様選択手段とから構成され、
　前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択し、
　前記音発生手段は、前記連動演出手段によって前記各列の表示が演出される毎に、予め定められた種類または長さの効果音を発生させるものであり、
　前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではないことを特徴とする遊技機。
　
３．基準日の認定
（１）はじめに
　請求人の主張している無効理由１は、上記第３．１．（１）に記載したように、訂正前発明１〜８及び１０は、Ｐ２出願日前に公然実施されたスロットマシン「サンダーＶ」又は「ハナビ」そのものであるから、特許法２９条１項２号に規定する要件を満たしていないというものであり、訂正発明３、６、７、１０及び２６〜２８を対象としていると認められる。
　また、審判合議体が指摘した無効理由４は、上記第３．２．（６）に記載したように、前回訂正発明１０及び２６〜２８は、甲２８発明、丙５発明及び周知技術に基づいて、当業者が容易に発明をすることができたものであるから、特許法２９条２項に規定する要件を満たしていないというものであり、訂正発明１０及び２６〜２８を対象としていると認められる。
　すなわち、無効理由１は、Ｐ１出願日とＰ２出願日との間に発売されたパチスロ機「サンダーＶ」を主な証拠とし、無効理由４は、Ｐ１出願日とＰ２出願日との間に頒布された刊行物である丙５である「パチスロ必勝本ＳＰＥＣＩＡＬ vol.1」（以下「必勝本ＳＰＥＣＩＡＬ」という。）を主な証拠としており、本件訂正発明の基準日が問題となるので、無効理由１及び４の判断に先立ち、無効審判請求の対象となる訂正発明３、６、７、１０及び２６〜２８の各々について基準日を認定する。
　
（２）訂正発明３及び７について
　訂正後の請求項３に記載されている構成のうち、基準日の検討が必要なものは、「報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知とから」なる点、「前記音発生手段によって発生される効果音の種類と、前記連動演出手段によって演出される連動表示態様の種類との組合せを、前記入賞態様決定手段で決定された入賞態様に応じて選択する」点、及び「効果音の種類により配当のある複数の特定の入賞態様を含む入賞態様であることが報知され、前記効果音の種類とその後の連動表示態様の種類との組合せにより１つの入賞態様であることが報知される」点である。
　そこで検討するに、上記第２．６．（１）に記載したように、Ｐ１出願時の明細書の段落【００１５】（当審注：本件出願時の明細書の段落【００１６】とほぼ同じ）に「可変表示が開始されるときに音発生手段によって発生される効果音の種類，各列の可変表示が停止されるのに連動して連動演出手段によって順次演出される各列の表示態様の種類、および各列の可変表示の全てが停止したときに停止演出手段によって演出される可変表示装置の表示態様の種類の組合せにより、入賞態様を遊技者に報知させると効果的である」と記載され、Ｐ１出願時の【図１８】によれば、遊技開始音と連動表示態様の組合せのみによって、対応する報知当選フラグは定まるから、さらに付加される停止表示態様は、報知当選フラグとの対応を示す上では必須でない確認的な報知演出に過ぎないことがわかり、同じく段落【０１１４】（当審注：本件出願時の明細書の段落【０１１９】とほぼ同じ）にもＢＢフラグ成立の際の例のみではあるが、同趣旨の記載があるので、音発生手段によって発生される効果音の種類、連動演出手段によって順次演出される各列の表示態様の種類（連動表示態様の種類）及び停止演出手段によって演出される可変表示装置の表示態様の種類（停止表示態様の種類）の組合せから停止表示態様の種類を省略することは、Ｐ１出願時の明細書等から明らかな事項であるといえる。
　そして、訂正発明３においては「配当のある複数の異なる入賞態様に共通して演出される報知態様」が、可変表示が開始されるときに行われる報知であって、音発生手段によって発生される効果音であること、及び「報知態様とは異なる報知態様」が、可変表示停止手段によって各列の前記可変表示が停止されるのに連動して行われる報知であって、連動演出手段によって演出される連動表示態様であることも限定されているので、基準日の検討が必要となる訂正発明３の構成は、いずれもＰ１出願時の明細書等に記載した事項の範囲内のものであるということができる。
　よって、訂正発明３及び請求項３を引用する訂正発明７の基準日はＰ１出願日と認められる。
　
（３）訂正発明６及び７について
　訂正後の請求項６に記載されている構成のうち、基準日の検討が必要なものは、「報知情報が、前記可変表示開始手段によって前記可変表示が開始されるときに行われる報知であって、配当のある複数の異なる入賞態様に共通して演出される報知態様による報知と、その後の、前記報知態様とは異なる報知態様による報知であって、前記可変表示停止手段によって各列の前記可変表示が停止されるのに連動して行われる報知と、前記各列の可変表示の全てが停止したときに行われる報知とから」なる点、「前記音発生手段によって発生される効果音の種類と、前記連動演出手段によって演出される連動表示態様の種類と、前記停止演出手段によって演出される停止表示態様の種類との組合せを、前記入賞態様決定手段で決定された入賞態様に応じて選択する」点、及び「前記効果音の種類により配当のある複数の特定の入賞態様を含む入賞態様であることを報知し、前記効果音の種類とその後の連動表示態様の種類との組合せにより１つの入賞態様であることを報知するとともに当該入賞態様に対応する前記停止表示態様の種類を報知する」点である。
　そこで検討するに、上記（２）に示したＰ１出願時の明細書等の【図１８】及び段落【００５９】〜【００６４】（当審注：本件出願時の明細書の段落【００６４】〜【００６９】とほぼ同じ）に記載された実施例は、まさにそのような報知情報、報知態様の組合せ選択及び入賞態様報知となっており、同じく段落【００１５】及び【０１１４】の記載も、そのような実施例の報知情報、報知態様の組合せ選択及び入賞態様報知に即した説明になっている。そのため、基準日の検討が必要となる訂正発明６の構成は、いずれもＰ１出願時の明細書等に記載した事項の範囲内のものであるということができる。
　よって、訂正発明６及び請求項６を引用する訂正発明７の基準日はＰ１出願日と認められる。
　
（４）訂正発明１０について
　訂正後の請求項１０に記載されている構成のうち、基準日の検討が必要なものは、「報知情報が、配当のある複数の異なる入賞態様に共通して演出される報知態様による報知と、その後の、前記報知態様とは異なる報知態様による報知とから」なる点、「連動演出手段」が「可変表示停止手段によって少なくとも１列の前記可変表示が停止されるのに連動し、複数の表示態様の中の１つの表示態様で演出する」ものである点、報知態様が「前記音発生手段によって発生される効果音の種類、前記連動演出手段によって演出される連動表示態様の種類および前記停止演出手段によって演出される停止表示態様の種類の組合せ」からなる点及び「報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択する」点等である。
　そこで、「報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択する」点について検討すると、「デモ抽選テーブル選択テーブル」及び「デモ抽選テーブル」を用いて演出態様組合せを選択する点は、Ｐ２出願時の明細書等の段落【０１２４】〜【０２０８】及び【図２８】〜【図６３】に記載された第２の実施形態において、特に段落【０１４８】〜【０１５５】、【０１６６】及び【図５３】〜【図５６】に説明されるものであり、当該第２の実施形態は、Ｐ１出願時の明細書等には記載されていない。
　よって、訂正後の請求項１０に記載されている他の構成の基準日を検討するまでもなく、訂正発明１０の基準日はＰ２出願日以降と認められる。
　
（５）訂正発明２６〜２８について
　訂正発明２６〜２８は、いずれも「デモ抽選テーブル選択テーブル」及び「デモ抽選テーブル」を用いて演出態様組合せを選択する点を発明の構成として含んでいるから、上記（４）で検討したと同様に、他の構成の基準日を検討するまでもなく、訂正発明２６〜２８の基準日はＰ２出願日以降と認められる。
　
（６）基準日についての結論
　以上によれば、訂正発明３、６及び７については、その基準日はＰ１出願日（平成９年１２月５日）であり、訂正発明１０及び２６〜２８については、Ｐ２出願日（平成１０年８月２８日）以降である。
　なお、訂正発明１０及び２６〜２８の基準日がＰ２出願日であることについては、被請求人も認めている（平成２１年６月１８日の答弁書20〜21頁、う〜お）。
　
４．訂正発明３、６及び７に対する無効理由１〜３について
（１）はじめに
　訂正発明３、６及び７の基準日は、上記３．で検討したとおりＰ１出願日（平成９年１２月５日）である。
　一方、無効理由１の主な証拠であるパチスロ機「サンダーＶ」は、審判請求書における請求人の主張（特に27〜28頁、７．（４）II．（ii））や請求人が提出した各種証拠（特に甲１１）を参酌すれば、平成９年１２月２４日に販売開始されたものと認められる。
　そうすると、Ｐ１出願日以降に発売されたパチスロ機「サンダーＶ」は訂正発明３、６及び７の新規性あるいは進歩性を否定する根拠にはなり得ないから、無効理由１で訂正発明３、６及び７の新規性あるいは進歩性が否定されることはあり得ない。
　また、無効理由２と３は、どちらもＰ１出願日前の刊行物を証拠とする無効理由であって、無効理由３は、無効理由２で進歩性を否定できない構成に対して丙１〜丙１１を追加したものであるから、無効理由３で無効となれば請求人の目的は達成され、無効理由３で無効とならなければ無効理由２でも無効とならない。
　よって、無効理由３について検討し、無効理由１及び２は検討しない。
　
（２）無効理由３における証拠方法
　当審による無効理由通知で証拠方法として提示した甲２８〜３０、３２〜３４及び丙１〜１１は、上記第４．４．に記載したとおりであるので概略のみ記載する。
甲２８：特開平８−１１７３９０号公報
甲２９：特開平７−６８０２７号公報
甲３０：特開平９−７００号公報
甲３２：「必勝パチスロファン」1994年増刊7月号、VOL.25、p75-79
甲３３：特開平８−１７３５９２号公報
甲３４：特開平１０−２０１９１１号公報
丙　１：特開平６−１１４１４０号公報
丙　２：特開平８−３３６６４２号公報
丙　３：特開平７−１００２４９号公報
丙　４：特開平９−２９９５４８号公報
丙　５：「パチスロ必勝本ＳＰＥＣＩＡＬ vol.1」
丙　６：特開平１０−１１３４３９号公報
丙　７：特開平１０−１５１７５号公報
丙　８：特開平１０−１５１５６号公報
丙　９：特開平８−１３１６２２号公報
丙１０：「パチスロ必勝ガイド」1998年8月号
丙１１：「パチスロ攻略マガジン」1998年1月号
　なお、訂正発明３、６及び７については、上記３．（２）及び（３）で検討したとおり、基準日がＰ１出願日と認められるので、甲３４、丙５〜８、丙１０及び丙１１は、訂正発明３、６及び７の進歩性を判断する際の証拠にはならない。
　
（３）甲２８発明
　甲２８発明は、上記第２．６．（１１）（１１−１）において認定したとおり、以下のものである。
「　乱数をサンプリングし、入賞態様を判定し、その判定結果により可変表示部の可変表示動作を停止制御する制御部と、複数のリール２，３，４で構成され、複数の図柄を可変表示する前記可変表示部と、前記複数のリール２，３，４を一斉に回転させるスタートレバー１１と、各リールに対応して設けられ、押圧操作することで対応するリールの回転を停止させることができるストップボタン１２，１３，１４とを備えた遊技機において、
　前記制御部は、サンプリングされた乱数が、入賞確率テーブルにおいて、どの入賞態様に属する値になっているかを判定し、それぞれの種類に対応した入賞リクエスト信号を発生し、
　入賞と判定された場合には、遊技者が前記ストップボタン１２，１３，１４を操作した時に、入賞の種類に対応したシンボル表示位置に前記複数のリール２，３，４を停止制御するが、可変表示が停止した時にその特定の入賞図柄になるかどうかは、可変表示を停止させる遊技者の操作タイミングに応じて決定され、
　ゲーム毎に、前記制御部で判定された入賞態様の種類に応じて、どの種類の入賞役に当たり易い状態であるかを遊技者に知らせる報知手段を設け、
　前記報知手段は、前記ストップボタン１２が押された直後に、前記複数のリール２，３，４の内側に取り付けられているバックライトの点灯パターンを変え、加えて発音装置から適当な音を発生する遊技機。」
　
（４）訂正発明３、６及び７の進歩性について
（４−１）訂正発明３と甲２８発明の対比
　訂正発明３と甲２８発明を対比すると、甲２８発明の「可変表示部」は、訂正発明３の「可変表示装置」に相当し、以下同様に、
「前記複数のリール２，３，４を一斉に回転させるスタートレバー１１」は「この可変表示装置の可変表示を開始させる可変表示開始手段」に、
「サンプリングされた乱数」は「抽出された乱数」に、
「入賞確率テーブル」は「確率テーブル」に、
「それぞれの種類に対応した入賞リクエスト信号」は「その属した入賞態様の当選フラグ」に、
「ストップボタン１２，１３，１４」は「遊技者が操作可能な停止ボタン」に、
「前記制御部で判定された入賞態様」は「前記入賞態様決定手段で決定された入賞態様」に、
「遊技者に知らせる」は「遊技者に報知する」に、
「発音装置」は「音発生手段」に、それぞれ相当する。
　
　また、甲２８の記載等から、次のことが言える。
ａ．甲２８発明の「制御部」は、「乱数をサンプリングし、入賞態様を判定し」ており、「乱数をサンプリング」すること、及び「入賞態様を判定」することは、それぞれ訂正発明３の「乱数抽選」を行うこと、及び「遊技の入賞態様を決定する」ことに相当している。
　また、甲２８発明において、「その判定結果により可変表示部の可変表示動作を停止制御する」ことは、訂正発明３において、「可変表示装置」に「前記入賞態様決定手段で決定された入賞態様に応じた図柄組み合わせを前記各列に停止表示する」ことに相当する。
　よって、甲２８発明の「制御部」及び「可変表示部」は、訂正発明３の「乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置」に相当するものといえる。
　
ｂ．甲２８発明は「ストップボタン１２，１３，１４」を押圧操作することで対応するリールの回転を停止させることができるのであるから、訂正発明３の「前記可変表示を各列毎に停止させる可変表示停止手段」に相当する手段を備えているといえる。
　
ｃ．甲２８発明の「入賞確率テーブル」は、甲２８の段落【００３９】、【００４０】及び図４の記載から、入賞態様として大ヒット、中ヒット及び小ヒットの３種類あることが分かるから、甲２８発明の「制御部」は、複数の入賞態様からなる入賞確率テーブルを有しているといえる。
　また、甲２８発明において「入賞リクエスト信号を発生」することは、訂正発明９において「当選フラグを成立させ」ることに相当し、甲２８発明及び訂正発明３ともに、入賞リクエスト信号の発生又は当選フラグの成立に際して、同様の処理を行っていることが明らかであるから、甲２８発明の「制御部」は、訂正発明３の「複数の入賞態様からなる確率テーブルを有し、抽出された乱数が前記確率テーブルのいずれかの入賞態様に属したとき、その属した入賞態様の当選フラグを成立させ」に相当する構成及び機能を備えたものであるといえる。
　
ｄ．甲２８発明において「入賞と判定された場合には、遊技者が前記ストップボタン１２，１３，１４を操作した時に、入賞の種類に対応したシンボル表示位置に前記複数のリール２，３，４を停止制御するが、可変表示が停止した時にその特定の入賞図柄になるかどうかは、可変表示を停止させる遊技者の操作タイミングに応じて決定され」ることと、訂正発明３において「停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない」こととは、表現ぶりが異なるだけで実質的には同様の停止制御ということができる。
　そうしてみると、甲２８発明は、訂正発明３の「遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行」う「可変表示停止手段」に相当する手段を備えたものであるといえる。
　
ｅ．甲２８発明において「ゲーム毎に」というのは、“遊技者が行う各回のゲームにおいて”ということであり、複数回のゲームにまたがるものではないことを意味している。さらに、甲２８発明における「ゲーム」は「スタートレバー１１」を操作して開始されるとともに、「ストップボタン１２，１３，１４」を操作し各リールの回転を停止させて行われるものであるから、甲２８発明における「ゲーム毎に」は、訂正発明３における「前記可変表示開始手段によって前記可変表示が開始され、前記可変表示停止手段によって前記可変表示が停止される１回の遊技の中で」に相当するものといえる。
　
ｆ．甲２８発明において「入賞態様の種類に応じて、どの種類の入賞役に当たり易い状態であるかを遊技者に知らせる」ことは、訂正発明３において「入賞態様に対応した報知情報を」「遊技者に報知する」ことに相当するから、訂正発明３と甲２８発明は「前記入賞態様決定手段で決定された入賞態様に対応した報知情報を遊技者に報知する報知手段」を備える点で一致しているといえる。
　
ｇ．甲２８発明の「適当な音」と「バックライトの点灯パターン」は報知態様が異なるといえるから、甲２８発明と訂正発明３は“報知情報が、一報知態様による報知と、前記可変表示停止手段によって前記可変表示が停止されるのに連動して行われる報知であって、前記一報知態様とは異なる報知態様による報知とからなる”点では共通している。
　
ｈ．甲２８発明において「前記ストップボタン１２が押された直後に、前記複数のリール２，３，４の内側に取り付けられているバックライトの点灯パターンを変え」ることは、訂正発明３の「前記可変表示停止手段によって」「前記可変表示が停止されるのに連動して各列の表示を演出し、各列の表示で構成される複数の連動表示態様の中の１つの連動表示態様で演出する」ことに相当するから、甲２８発明と訂正発明３の「報知手段」は“音発生手段と、前記可変表示停止手段によって前記可変表示が停止されるのに連動して各列の表示を演出し、各列の表示で構成される複数の連動表示態様の中の１つの連動表示態様で演出する連動演出手段で構成される”点で共通している。
　
　よって、訂正発明３と甲２８発明は、
「　乱数抽選によって遊技の入賞態様を決定する入賞態様決定手段と、種々の図柄を複数列に可変表示し、前記入賞態様決定手段で決定された入賞態様に応じた図柄組み合わせを前記各列に停止表示する可変表示装置と、この可変表示装置の可変表示を開始させる可変表示開始手段と、前記可変表示を各列毎に停止させる可変表示停止手段とを備えて構成される遊技機において、
　前記入賞態様決定手段は、複数の入賞態様からなる確率テーブルを有し、抽出された乱数が前記確率テーブルのいずれかの入賞態様に属したとき、その属した入賞態様の当選フラグを成立させ、
　前記可変表示停止手段は、遊技者が操作可能な停止ボタンからなり、この停止ボタンの操作タイミングに応じて前記可変表示を各列毎に停止させるが、前記当選フラグが成立していても、前記停止ボタンが前記当選フラグに対応した図柄を有効化入賞ライン上に停止できる所定タイミングで操作されないと、前記有効化入賞ライン上に入賞が発生する図柄組み合わせを停止表示させない制御を行い、
　前記可変表示開始手段によって前記可変表示が開始され、前記可変表示停止手段によって前記可変表示が停止される１回の遊技の中で、前記入賞態様決定手段で決定された入賞態様に対応した報知情報を遊技者に報知する報知手段を備え、前記報知情報が、一報知態様による報知と、前記可変表示停止手段によって前記可変表示が停止されるのに連動して行われる報知であって、前記一報知態様とは異なる報知態様による報知とからなり、
　前記報知手段は、音発生手段と、前記可変表示停止手段によって前記可変表示が停止されるのに連動して各列の表示を演出し、各列の表示で構成される複数の連動表示態様の中の１つの連動表示態様で演出する連動演出手段で構成される遊技機。」の点で一致し、以下の点で相違している。
　
［相違点Ａ］訂正発明３は「報知情報を所定確率で遊技者に報知する」のに対し、甲２８発明は「どの種類の入賞役に当たり易い状態であるか（訂正発明３の「報知情報」に相当）」を所定確率で遊技者に知らせるものではない点。
　
［相違点Ｂ］訂正発明３は「報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知」とからなるとともに、「報知手段」が「前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段」を有するのに対し、甲２８発明は「適当な音」と「バックライトの点灯パターン」が、可変表示が開始されるときに行われる報知と、その後の、各列の前記可変表示が停止されるのに連動して行われる報知という関係ではない点、及び「適当な音」が、複数の異なる入賞態様に共通したものであるとともに複数の効果音の中の１つの音であるか明らかでない点。
　
［相違点Ｃ］訂正発明３の「報知手段」は「前記音発生手段によって発生される効果音の種類と、前記連動演出手段によって演出される連動表示態様の種類との組合せを、前記入賞態様決定手段で決定された入賞態様に応じて選択する報知態様選択手段」を有するのに対し、甲２８発明は「バックライトの点灯パターン」及び「適当な音」の組合せを選択しているか明らかでない点。
　
［相違点Ｄ］訂正発明３は「効果音の種類により配当のある複数の特定の入賞態様を含む入賞態様であることが報知され、前記効果音の種類とその後の連動表示態様の種類との組合せにより１つの入賞態様であることが報知される」のに対し、甲２８発明は「適当な音」及び「適当な音」と「バックライトの点灯パターン」との組合せにより、そのような入賞態様であることが報知されるものではない点。
　
（４−２）訂正発明３と甲２８発明との相違点についての判断
［相違点Ａについて］
　甲２９（特開平７−６８０２７号公報）の段落【００２０】には「・・・次にＳ３に進み、ランダム３カウンタのカウント値を読出す処理が行なわれる。このランダム３カウンタは、０からカウントアップしてその上限である２までカウントアップした後再度０からカウントアップし直すものである。そして、読出されたカウント値が０のときにＳ４に進み、大当り予告１を行なうためのフラグがセットされる。ランダム３カウンタの値が１のときにはＳ５に進み、リーチ予告を行なうためのフラグがセットされる。・・・ランダム３カウンタの値が２のときにはＳ６に進み、予告なしの状態となり、直接Ｓ１１に進む。・・・」と記載されており、大当り予告１を１／３の確率で行うものであることが分かる。
　また、甲３０（特開平９−７００号公報）の段落【００４９】には「ここで、大当り予告は、Ｃ  ＲＮＤ  ＹＯＫでそれを実行するか否かが決定され、同時にその予告の方法も決定される。・・・」と、段落【００５７】には「・・・遊技状態は、大当りが事前決定されていない遊技状態（図中「大当り以外」）、大当りが事前決定されておりかつ始動入賞記憶数が２以上である遊技状態（図中「大当り・始動記憶２以上」）、および大当りが事前決定されておりかつ始動入賞記憶数が１以下の遊技状態（図中「大当り・始動記憶１以下」）の３種類に分類されている。」と、段落【００５９】には「遊技状態が「大当り・始動記憶２以上」である場合には、Ｃ  ＲＮＤ  ＹＯＫとの抽出値、「報知方法」との関係が以下のように定められている。抽出値が「０」〜「９９」の場合には、特別の音による真の大当り予告の報知を行なう。抽出値が「１００」〜「１９９」の場合には、キャラクタによる真の大当り予告の報知を行なう。抽出値が「２００」〜「４４９」の場合には、音およびキャラクタの両方による真の大当り予告の報知を行なう。抽出値が「４５０」〜「８９９」の場合には、大当り予告の報知をしない。」と、段落【００６０】には「遊技状態が「大当り・始動記憶１以下」の場合には、Ｃ  ＲＮＤ  ＹＯＫと、「報知方法」との関係が以下のように定められている。抽出値が「０」〜「２２４」の場合には、特別の音による真の大当り予告の報知を行なう。抽出値が「２２５」〜「４４９」の場合には、キャラクタによる真の大当り予告の報知を行なう。抽出値が「４５０」〜「８９９」の場合には、大当り予告の報知をしない。」と記載されており、大当りが事前決定されている遊技状態において、大当り予告の報知を４５０／９００（１／２）の確率で行うものであることが分かる。
　これらの記載等からみて、入賞に関する報知情報を所定確率で遊技者に報知することは、遊技機の分野において従来周知の技術（以下「周知技術Ａ」という。）であるといえる。
　そして、甲２９の段落【０００８】及び甲３０の段落【００１３】に、スロットマシンを対象としても良い旨記載されていることを考え合わせると、甲２８発明に周知技術Ａを適用して、どの種類の入賞役に当たり易い状態であるかを所定確率で遊技者に知らせるようにして、相違点Ａに係る訂正発明３の構成とすることは、Ｐ１出願日当時の当業者が容易に想到し得ることといえる。
　
［相違点Ｂについて］
　甲２９（特開平７−６８０２７号公報）の段落【００２０】に「・・・このＳ８の処理を行うに際し、前記Ｓ４により大当り予告１を行なうためのフラグがセットされている場合には、レール飾りランプ２１と飾りＬＥＤ４１とを可変表示装置の可変開始時から点滅させ、スピーカ３７から大当り予告音を発生させ、大当り状態が発生することを事前に予告報知し、Ｓ5 によるリーチ予告のフラグがセットされている場合は飾りＬＥＤ４１を可変開始時から点滅させるとともにスピーカ３７からリーチ予告音を発生する。・・・」と記載され、甲３０（特開平９−７００号公報）の段落【０１０１】に「・・・その音作成手段は、表示結果内容事前決定手段により表示結果内容を特定の表示態様に相当するものにする決定が行なわれた場合に、通常の遊技状態において作成する効果音等と異なる特別の音を作成し、その作成した特別の音を、図１０等に示されるように音発生手段から発生させる。」と記載されているように、遊技状態に応じて複数の効果音の中の１つの音を発生させることは、遊技機の分野において従来周知の技術（以下「周知技術Ｂ」という。）であるといえる。
　また、甲３２（「必勝パチスロファン」１９９４年増刊７月号）の78〜79頁に記載されているフラグ成立を知らせる方法に関する事項（特に、78頁３段目「●音が鳴る」の項及び79頁下段中央「ロイヤルタカシ−ＲＴ」の項参照）から、スタートレバーをたたいた時、すなわち、可変表示開始手段によって可変表示が開始される時に、ボーナスフラグ又はシングルボーナスフラグが成立したことを共通の音により報知する技術は、遊技機の分野において従来周知の技術（以下「周知技術Ｃ」という。）であるといえる。
　さらに、甲３２の78〜79頁に記載されているフラグ成立を知らせる方法に関する事項（特に、78頁４段目「●リールがスベる」の項及び79頁下段左「スーパーヘビーメタルＡ」の項参照）や、甲３３（特開平８−１７３５９２号公報）の段落【０００１】及び【００４９】〜【００５５】に記載されている事項からみて、リールの各列が停止するごとに報知を行う技術は、遊技機の分野において従来周知の技術（以下「周知技術Ｄ」という。）であるといえる。
　そうすると、甲２８発明に周知技術Ｂ〜Ｄを適用して、スタートレバー１１の操作時にＢＢ（ビッグボーナス）又はＮＢ（ノーマルボーナス）が当たっている場合、それらに共通の音であって複数の効果音の中の１つの音により報知するとともに、ストップボタン１２，１３，１４が押圧操作されて、リール２，３，４のうちの少なくとも１つが停止する時に、どの種類の入賞役に当たり易い状態であるかを遊技者に知らせるようにして、相違点Ｂに係る訂正発明３の構成とすることは、Ｐ１出願日当時の当業者が容易に想到し得ることといえる。
　
［相違点Ｃについて］
　丙１（特開平６−１１４１４０号公報）には、上記第２．６．（１１）（１１−３）［相違点３について］の項において摘記した記載があり、以下には摘記した段落番号のみを示す。
　【０００１】、【００４１】、【００４４】、【００５０】。
　これらの記載によると、丙１には、入賞態様決定手段で決定されたビッグボーナスゲーム当選、ボーナスゲーム当選その他の入賞態様に応じ、遊技効果ランプの点灯の有無とリーチ音の発生の有無という異なる複数の報知態様の種類の組合せを選択し報知するとの構成（以下「丙１に開示された構成」という。）が開示されているということができる。
　なぜなら、丙１の段落【００５０】に記載されるように、ビッグボーナスゲーム当選の際にのみリーチ音を発生させるとした場合には、ビッグボーナスゲーム当選のときは、遊技効果ランプが点灯するとともにリーチ音も発生し、ボーナスゲーム当選のときは、遊技効果ランプは点灯するもののリーチ音は発生せず、その他のときは、遊技効果ランプは点灯せずリーチ音も発生しないことになるからである。
　そうすると、甲２８発明に、丙１に開示された構成（入賞態様決定手段で決定された入賞態様に応じ、異なる複数の報知態様の種類の組合せを選択し報知するとの構成）を適用するとともに周知技術Ｂ〜Ｄを考慮すれば、異なる複数の報知態様の種類の組合せを選択し報知するに際して、「発音装置」から発生する音の種類と、「バックライトの点灯パターン」の種類との組合せを、決定された入賞態様に応じて選択するようにして、報知態様選択手段に係る訂正発明３のような構成とすることは、Ｐ１出願日当時の当業者が容易に想到し得たものというべきである。
　
［相違点Ｄについて］
　上記［相違点Ｃについて］の項で検討したとおり、丙１の段落【００４４】の記載によれば、ビッグボーナスあるいはボーナス当選した場合、まず遊技効果ランプ２４を点灯開始させる処理がなされることが分かる。
　また、同段落【００５０】の記載等によれば、ビッグボーナスゲーム当選の際にのみリーチ音を発生させるとした場合には、ビッグボーナスゲーム当選のときは、遊技効果ランプが点灯するとともにリーチ音も発生し、ボーナスゲーム当選のときは、遊技効果ランプは点灯するもののリーチ音は発生せず、その他のときは、遊技効果ランプは点灯せずリーチ音も発生しないことになるのであるから、丙１には、遊技効果ランプ点灯の有無によりビッグボーナスあるいはボーナス当選が報知され、前記遊技効果ランプ点灯の有無とその後のリーチ音発生の有無により、ビッグボーナスゲーム当選か、ボーナスゲーム当選か、その他であるかが報知されるものが記載されているといえる。
　そして、甲３２（「必勝パチスロファン」１９９４年増刊７月号）に記載されるように、可変表示開始時や、リール停止時に音を発生したり、表示を変化させたりして入賞に関する報知を行うことは、従来常套の手段であるから、甲２８発明に丙１に開示された構成を適用するに際して、遊技効果ランプ点灯の有無を効果音の種類に代え、リーチ音発生の有無をリール停止時における表示態様の種類に代えて、相違点Ｄに係る訂正発明３のような構成とすることは、Ｐ１出願日当時の当業者が容易に想到し得ることといえる。
　
［まとめ］
　訂正発明３の作用効果も、甲２８発明、丙１に開示された構成及び周知技術Ａ〜Ｄから、Ｐ１出願日当時の当業者が予測できる範囲内のものであるから、訂正発明３は、甲２８発明、丙１に開示された構成及び周知技術Ａ〜Ｄに基づき、Ｐ１出願日当時の当業者が容易に発明をすることができたものである。
　
（４−３）訂正発明６と甲２８発明の対比
　訂正発明６は、訂正発明３に対して、概略可変表示の全てが停止したときに停止演出を行う構成を追加したものであって、詳細には以下の点で異なっている。
ａ．「報知手段」に「前記各列の可変表示の全てが停止したときに複数の表示態様の中の１つの表示態様で演出する停止演出手段」を追加。
ｂ．「報知態様選択手段」が選択する組合せを「前記音発生手段によって発生される効果音の種類、および前記連動演出手段によって演出される連動表示態様の種類の組合せ」から「前記音発生手段によって発生される効果音の種類、前記連動演出手段によって演出される連動表示態様の種類および前記停止演出手段によって演出される停止表示態様の種類の組合せ」へと変更。
　そうしてみると、訂正発明６と甲２８発明との一致点は、訂正発明３と甲２８発明との一致点と同一であり、相違点は次のとおりである。
　なお、訂正発明３と甲２８発明との相違点と実質的に同一なものについては、［相違点Ａ］といった表記をそのまま用い、同様の相違点ではあるが変更のあるものについては［相違点Ｂ’］のようにダッシュを付して表記する。
　
［相違点Ａ］訂正発明６は「報知情報を所定確率で遊技者に報知する」のに対し、甲２８発明は「どの種類の入賞役に当たり易い状態であるか（訂正発明６の「報知情報」に相当）」を所定確率で遊技者に知らせるものではない点。
　
［相違点Ｂ’］訂正発明６は「報知情報が、前記可変表示開始手段によって前記可変表示が開始されるときに行われる報知であって、配当のある複数の異なる入賞態様に共通して演出される報知態様による報知と、その後の、前記可変表示停止手段によって各列の前記可変表示が停止されるのに連動して行われる報知であって、前記報知態様とは異なる報知態様による報知とからなる」とともに、「報知手段」が「前記可変表示開始手段によって前記可変表示が開始されるときに複数の効果音の中の１つの音を発生させる音発生手段と、前記可変表示停止手段によって各列の前記可変表示が停止されるのに連動して各列の表示を演出し、各列の表示で構成される複数の連動表示態様の中の１つの連動表示態様で演出する連動演出手段と、前記各列の可変表示の全てが停止したときに複数の表示態様の中の１つの表示態様で演出する停止演出手段」を有するのに対し、甲２８発明は「適当な音」と「バックライトの点灯パターン」が、可変表示が開始されるときに行われる報知と、その後の、各列の前記可変表示が停止されるのに連動して行われる報知という関係ではない点、「適当な音」が、複数の異なる入賞態様に共通したものであるとともに複数の効果音の中の１つの音であるか明らかでない点及び各列の可変表示の全てが停止したときに複数の表示態様の中の１つの表示態様で演出する停止演出手段を有していない点。
　
［相違点Ｃ’］訂正発明６の「報知手段」は「前記音発生手段によって発生される効果音の種類と、前記連動演出手段によって演出される連動表示態様の種類と、前記停止演出手段によって演出される停止表示態様の種類との組合せを、前記入賞態様決定手段で決定された入賞態様に応じて選択する報知態様選択手段」を有するのに対し、甲２８発明は「バックライトの点灯パターン」及び「適当な音」の組合せを選択しているか明らかでない点。
　
［相違点Ｄ’］訂正発明６は「効果音の種類により配当のある複数の特定の入賞態様を含む入賞態様であることを報知し、前記効果音の種類とその後の連動表示態様の種類との組合せにより１つの入賞態様であることを報知するとともに当該入賞態様に対応する前記停止表示態様の種類を報知する」のに対し、甲２８発明は「適当な音」及び「適当な音」と「バックライトの点灯パターン」との組合せにより、１つの入賞態様であることが報知されるものではない点及び入賞態様に対応する停止表示態様の種類を報知するものではない点。
　
（４−４）訂正発明６と甲２８発明との相違点についての判断
［相違点Ａについて］
　訂正発明６と甲２８発明との相違点Ａは、訂正発明３と甲２８発明との相違点Ａと実質的に同じなので、上記（４−２）［相違点Ａについて］の項で述べたと同様の理由により、相違点Ａに係る訂正発明６の構成は、甲２８発明及び周知技術Ａに基づき、Ｐ１出願日当時の当業者が容易に想到し得る。
　
［相違点Ｂ’について］
　相違点Ｂ’は、訂正発明３と甲２８発明との相違点Ｂに対して、「報知手段」に「各列の可変表示の全てが停止したときに複数の表示態様の中の１つの表示態様で演出する停止演出手段」が付加されている点で異なる。
　そこで、この点について検討すると、甲３２（「必勝パチスロファン」１９９４年増刊７月号）の78頁３段目の「ボーナスフラグが成立して、そのゲームで絵柄をそろえられないと、３本目のリールを止めた瞬間、リールを照らしているライト（バックライトがパッパッパッと走るように見える。」という記載、甲３３（特開平８−１７３５９２号公報）の段落【００５５】〜【００５７】の記載及び丙４（特開平９−２９９５４８号公報）の段落【００１４】等の記載からみて、全部のリールが停止したときに、入賞態様に応じたライトや音の演出を行うことは、遊技機の分野において従来周知の技術（以下「周知技術Ｅ」という。）であるといえる。
　そして、相違点Ｂ’のその他の部分については、上記（４−２）［相違点Ｂについて］の項で述べたとおり、甲２８発明に周知技術Ｂ〜Ｄを適用して、Ｐ１出願日当時の当業者が容易に想到し得ることであるから、相違点Ｂ’も甲２８発明に周知技術Ｂ〜Ｅを適用して、Ｐ１出願日当時の当業者が容易に想到し得ることといえる。
　
［相違点Ｃ’について］
　相違点Ｃ’は、訂正発明３と甲２８発明との相違点Ｃに対して、相違点Ｃでは「前記音発生手段によって発生される効果音の種類、および前記連動演出手段によって演出される連動表示態様の種類の組合せ」であったものを「前記音発生手段によって発生される効果音の種類、前記連動演出手段によって演出される連動表示態様の種類および前記停止演出手段によって演出される停止表示態様の種類の組合せ」としている点で異なる。
　そこで、この点について検討すると、上記［相違点Ｂ’について］の項で述べたとおり、全部のリールが停止したときに、入賞態様に応じたライトや音の演出を行うことは、遊技機の分野において従来周知の技術（周知技術Ｅ）である。
　そして、相違点Ｃ’のその他の部分については、上記（４−２）［相違点Ｃについて］の項で述べたとおり、甲２８発明に丙１に開示された構成を適用するとともに周知技術Ｂ〜Ｄを考慮すれば、Ｐ１出願日当時の当業者が容易に想到し得ることであるから、相違点Ｃ’も甲２８発明に丙１に開示された構成を適用するとともに周知技術Ｂ〜Ｅを考慮すれば、Ｐ１出願日当時の当業者が容易に想到し得ることといえる。
　
［相違点Ｄ’について］
　相違点Ｄ’は、訂正発明３と甲２８発明との相違点Ｄに対して、「当該入賞態様に対応する前記停止表示態様の種類を報知する」点が付加されている点で異なる。
　そこで、この点について検討すると、上記［相違点Ｂ’について］の項で述べたとおり、全部のリールが停止したときに、入賞態様に応じたライトや音の演出を行うことは、遊技機の分野において従来周知の技術（周知技術Ｅ）である。
　そして、相違点Ｄ’のその他の部分については、上記（４−２）［相違点Ｄについて］の項で述べたとおり、甲２８発明に周知技術Ｂ〜Ｄを適用して、Ｐ１出願日当時の当業者が容易に想到し得ることであるから、相違点Ｄ’も甲２８発明に周知技術Ｂ〜Ｅを適用して、Ｐ１出願日当時の当業者が容易に想到し得ることといえる。
　
［まとめ］
　訂正発明６の作用効果も、甲２８発明、丙１に開示された構成及び周知技術Ａ〜Ｅから、Ｐ１出願日当時の当業者が予測できる範囲内のものであるから、訂正発明６は、甲２８発明、丙１に開示された構成及び周知技術Ａ〜Ｅに基づき、Ｐ１出願日当時の当業者が容易に発明をすることができたものである。
　したがって、訂正発明６は特許法２９条２項の規定により、特許出願の際独立して特許を受けることができない。
　
（４−５）訂正発明７について
　訂正発明７は、訂正発明３又は６と実質的に同一である。
　そうすると、訂正発明３は上記（４−２）で検討したとおり、甲２８発明、丙１に開示された構成及び周知技術Ａ〜Ｄに基づき、また、訂正発明６は上記（４−４）で検討したとおり、甲２８発明、丙１に開示された構成及び周知技術Ａ〜Ｅに基づいて、Ｐ１出願日当時の当業者が容易に発明をすることができたものであるから、訂正発明７も、甲２８発明、丙１に開示された構成及び周知技術Ａ〜Ｄ、又は甲２８発明、丙１に開示された構成及び周知技術Ａ〜Ｅに基づいて、Ｐ１出願日当時の当業者が容易に発明をすることができたものである。
　
（４−６）訂正発明３、６及び７の進歩性に関する被請求人の反論について
　上記第３．３．（２）（２−１）に記載したように、被請求人は、周知技術Ｂ〜Ｄのいずれからも、「可変表示が開始されるとき」と「可変表示停止手段によって各列の前記可変表示が停止される」ときとに報知を行うとともに、「可変表示が開始されるとき」の報知は「配当のある複数の異なる入賞態様に共通して演出される報知態様による報知」とするという一連の具体的な発想に至ることはないと反論している（被請求人意見書6〜8頁、５．II．（１）ア（ウ））。
　しかし、可変表示が開始されるときの報知と、可変表示停止手段によって可変表示が停止するときの報知を組み合わせて入賞態様に応じた報知を行うという発想は、上記（４−２）［相違点Ｃについて］の項や、上記第２．６．（１１）（１１−３）［相違点３について］の項で述べたように、丙１（特開平６−１１４１４０号公報）に開示されているから、甲２８発明、丙１に開示された構成及び周知技術Ｂ〜Ｄを合わせ考えれば、被請求人のいう上記一連の具体的な発想に至ることは当業者にとって容易なことと判断される。
　また、同じく上記第３．３．（２）（２−１）に記載したように、被請求人は、丙１に開示された構成では、「リーチ音が発生するかしないかはリーチ状態によるのであり，リーチ状態になるか否かはあらかじめ決定できないものであるから，「異なる複数の報知態様の種類の組合せを選択し報知する」とはいえない。」と反論している（被請求人意見書6〜8頁、５．II．（１）ア（オ）の後段）。
　しかし、この反論に関しては、上記第２．６．（１１）（１１−３）［相違点４について］の項で述べたように、丙１に開示された構成は、「異なる複数の報知態様の種類の組合せを選択し報知する」ものであるということができる。
　
５．訂正発明１０及び２６〜２８に対する無効理由４について
（１）はじめに
　無効理由１は、パチスロ機「サンダーＶ」を証拠とする無効理由であり、無効理由４は、無効理由３で主たる引用文献とした甲２８及びパチスロ機「サンダーＶ」に関する記事を掲載した刊行物である丙５を主たる証拠とする無効理由である。
　そして、無効理由４で無効となれば請求人の目的は達成されるので、まず、無効理由４から検討し、無効理由４で無効とならない請求項に係る発明についてのみ、無効理由１及び２を検討することとする。
　
（２）無効理由４おける証拠方法
　当審による無効理由通知で証拠方法として提示した甲２８〜３０、３２〜３４及び丙１〜１１は、上記第４．４．及び上記４．（２）に記載したとおりであるので、概略のみ記載する。
甲２８：特開平８−１１７３９０号公報
甲２９：特開平７−６８０２７号公報
甲３０：特開平９−７００号公報
甲３２：「必勝パチスロファン」1994年増刊7月号
甲３３：特開平８−１７３５９２号公報
甲３４：特開平１０−２０１９１１号公報
丙　１：特開平６−１１４１４０号公報
丙　２：特開平８−３３６６４２号公報
丙　３：特開平７−１００２４９号公報
丙　４：特開平９−２９９５４８号公報
丙　５：「パチスロ必勝本ＳＰＥＣＩＡＬ vol.1」p36-65、p98等
丙　６：特開平１０−１１３４３９号公報
丙　７：特開平１０−１５１７５号公報
丙　８：特開平１０−１５１５６号公報
丙　９：特開平８−１３１６２２号公報
丙１０：「パチスロ必勝ガイド」1998年8月号
丙１１：「パチスロ攻略マガジン」1998年1月号
　
（３）丙５の頒布された時期について
　上記書証のうち、丙５（パチスロ必勝本ＳＰＥＣＩＡＬ vol.1）については、その裏表紙に記載されている発行日からは、丙５の頒布時期がＰ２出願日より前か後か特定できないので、頒布時期について検討を行うこととする。
　丙５の裏表紙に記載されている発行日は１９９８年９月１０日であるが、(１)この種の雑誌は記載された発行日より前に頒布されることが慣行となっていること、(２)販売業者のホームページによると丙５の発行年月は１９９８年７月となっていること（ジェイブック株式会社http://www.jbook.co.jp/p/p.aspx/1244158/s/及びヤフー株式会社http://books.yahoo.co.jp/book_detail/AAE24873/参照）、並びに(３)丙５の98頁右下にある囲み記事にパチスロ必勝本ＧＯＬＤに関して「ただいま製作中８月下旬発売予定」と記載されていることを勘案すると、丙５の頒布時期は１９９８年８月中旬以前であると認められる。
　よって、丙５はＰ２出願前に頒布された刊行物であるといえる。
　
　被請求人は上記第３．３．（３）（３−１）に記載したとおり、(１)は単なる慣行のことをいうにすぎず、(２)はホームページに掲載された日が本件出願前であることを主張・立証するものではなく、(３)は「ただいま製作中」の「ただいま」は、丙５の発行日ではなく、丙５の製作中である可能性もあり、また、丙５が１９９８年８月２８日より前に発行されたことを証明するものでもないから、上記事実のみでは丙５は公知刊行物として認定できないものと思料すると主張している。
　しかし、特に(３)に関しては、８月下旬に頒布する雑誌において、同じ出版社で扱っている他の雑誌について「８月下旬発売予定」と紹介することは有り得ないことであり、「ただいま製作中」の「ただいま」が、丙５の発行日ではなく、丙５の製作中である可能性もあるという被請求人の主張は当を得ない。
　そして、上記３つの事実を総合すると、丙５の頒布時期が１９９８年８月下旬以降でないことは明らかである。
　
（４）甲２８発明
　甲２８発明は、上記第２．６．（１１）（１１−１）において認定したとおり、以下のものである。
「　乱数をサンプリングし、入賞態様を判定し、その判定結果により可変表示部の可変表示動作を停止制御する制御部と、複数のリール２，３，４で構成され、複数の図柄を可変表示する前記可変表示部と、前記複数のリール２，３，４を一斉に回転させるスタートレバー１１と、各リールに対応して設けられ、押圧操作することで対応するリールの回転を停止させることができるストップボタン１２，１３，１４とを備えた遊技機において、
　前記制御部は、サンプリングされた乱数が、入賞確率テーブルにおいて、どの入賞態様に属する値になっているかを判定し、それぞれの種類に対応した入賞リクエスト信号を発生し、
　入賞と判定された場合には、遊技者が前記ストップボタン１２，１３，１４を操作した時に、入賞の種類に対応したシンボル表示位置に前記複数のリール２，３，４を停止制御するが、可変表示が停止した時にその特定の入賞図柄になるかどうかは、可変表示を停止させる遊技者の操作タイミングに応じて決定され、
　ゲーム毎に、前記制御部で判定された入賞態様の種類に応じて、どの種類の入賞役に当たり易い状態であるかを遊技者に知らせる報知手段を設け、
　前記報知手段は、前記ストップボタン１２が押された直後に、前記複数のリール２，３，４の内側に取り付けられているバックライトの点灯パターンを変え、加えて発音装置から適当な音を発生する遊技機。」
　
（５）訂正発明１０及び２６〜２８の進歩性について
（５−１）訂正発明１０と甲２８発明の対比
　訂正発明１０は、訂正発明６に対して、概略「報知態様選択手段」をデモ抽選テーブル及びデモ抽選テーブル選択テーブルで構成した点及び「演出態様組合せ」がボーナス入賞した場合及びボーナス内部当たり中である場合にのみ選択される複数の確定パターンを含む点を追加したものであって、詳細には以下の点で異なっている。
ａ．訂正発明６では「前記可変表示開始手段によって前記可変表示が開始されるときに行われる報知であって、配当のある複数の異なる入賞態様に共通して演出される報知態様による報知」であるのに対し、訂正発明１０は単に「配当のある複数の異なる入賞態様に共通して演出される報知態様による報知」である点。
ｂ．訂正発明６では「前記可変表示停止手段によって各列の前記可変表示が停止されるのに連動して各列の表示を演出し、各列の表示で構成される複数の連動表示態様の中の１つの連動表示態様で演出する連動演出手段」であるのに対し、訂正発明１０は「前記可変表示停止手段によって少なくとも１列の前記可変表示が停止されるのに連動し、複数の表示態様の中の１つの表示態様で演出する連動演出手段」である点。
ｃ．訂正発明６では「前記音発生手段によって発生される効果音の種類と、前記連動演出手段によって演出される連動表示態様の種類と、前記停止演出手段によって演出される停止表示態様の種類との組合せ」であるのに対し、訂正発明１０は「前記音発生手段によって発生される効果音の種類、前記連動演出手段によって演出される連動表示態様の種類および前記停止演出手段によって演出される停止表示態様の種類の組合せ」である点。
ｄ．「報知態様選択手段」が「デモ抽選テーブル選択テーブルを参照して遊技状態および入賞態様に応じてデモ抽選テーブルを選択し、選択されたデモ抽選テーブルを参照して抽選乱数に応じて演出態様組合せを選択するもの」である点を追加。
ｅ．「デモ抽選テーブル選択テーブル」が「ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」ものである点を追加。
ｆ．「演出態様組合せ」が「遊技状態が一般遊技中においてボーナスが入賞態様となった場合、及び遊技状態がボーナスの内部当たり中である場合にのみ前記報知態様選択手段によって選択される複数の確定パターンを含む」点を追加。
ｇ．「ボーナスは、少なくとも種類の異なる２つのボーナスがあり、前記確定パターンは、２つのボーナスのうち、一方のボーナスの当選フラグが成立している場合にのみ選択される第１の確定パターンと、他方のボーナスの当選フラグが成立している場合にのみ選択される第２の確定パターンと、２つのボーナスのいずれかの当選フラグが成立している場合に選択される第３の確定パターンとを含む」点を追加。
ｈ．「デモ抽選テーブル選択テーブルにより、遊技状態が一般遊技中においてボーナスが入賞態様となった場合、及び遊技状態がボーナスの内部当たり中である場合に選択されるデモ抽選テーブルは、当該デモ抽選テーブルに対応づけされた複数の演出態様組合せの一部が前記確定パターンである」点を追加。
ｉ．「報知態様選択手段」が「遊技状態が一般遊技中においてボーナスが入賞態様となった場合には、前記第１の確定パターン及び前記第２の確定パターンを選択せず前記第３の確定パターンのみを選択するように構成され、遊技状態がボーナスの内部当たり中である場合には、前記第１の確定パターン乃至前記第３の確定パターンを選択しうるように構成されている」点を追加。
ｊ．「報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高い」点を追加。
　そうしてみると、訂正発明１０と甲２８発明との一致点は、訂正発明６と甲２８発明との一致点と同一であり、相違点は次のとおりである。
　なお、上記４．（４）（４−４）に記載した、訂正発明６と甲２８発明との相違点Ａ、相違点Ｂ’及び相違点Ｃ’に類似する相違点を、それぞれ相違点ａ、相違点ｂ’及び相違点ｃ’と表記し、その他の相違点は相違点ｅ〜ｊと表記する。
　
［相違点ａ］訂正発明１０は「報知情報を所定確率で遊技者に報知する」のに対し、甲２８発明は「どの種類の入賞役に当たり易い状態であるか（訂正発明１０の「報知情報」に相当）」を所定確率で遊技者に知らせるものではない点。
　
［相違点ｂ’］訂正発明１０は「報知情報が、配当のある複数の異なる入賞態様に共通して演出される報知態様による報知と、その後の、前記報知態様とは異なる報知態様による報知とからなる」とともに、「報知手段」が「前記可変表示開始手段によって前記可変表示が開始されるときに複数の効果音の中の１つの音を発生させる音発生手段と、前記可変表示停止手段によって少なくとも１列の前記可変表示が停止されるのに連動し、複数の表示態様の中の１つの表示態様で演出する連動演出手段と、前記各列の可変表示の全てが停止したときに複数の表示態様の中の１つの表示態様で演出する停止演出手段」を有するのに対し、甲２８発明は「適当な音」と「バックライトの点灯パターン」が、可変表示が開始されるときに行われる報知と、その後の、可変表示が停止されるのに連動して行われる報知という関係ではない点、及び「適当な音」が、複数の異なる入賞態様に共通したものであるとともに複数の効果音の中の１つの音であるか明らかでない点。
　
［相違点ｃ’］訂正発明１０の「報知手段」は「前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する報知態様選択手段」を有するのに対し、甲２８発明は「バックライトの点灯パターン」及び「適当な音」の組合せを選択しているか明らかでない点。
　
［相違点ｅ］訂正発明１０は「前記報知態様選択手段は、デモ抽選テーブル選択テーブルを参照して遊技状態および入賞態様に応じてデモ抽選テーブルを選択し、選択されたデモ抽選テーブルを参照して抽選乱数に応じて演出態様組合せを選択するものであり、前記デモ抽選テーブル選択テーブルは、ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」ものであるのに対し、甲２８発明は、そのような構成を有していない点。
　
［相違点ｆ］訂正発明１０は「演出態様組合せ」が「遊技状態が一般遊技中においてボーナスが入賞態様となった場合、及び遊技状態がボーナスの内部当たり中である場合にのみ前記報知態様選択手段によって選択される複数の確定パターンを含む」ものであるのに対し、甲２８発明は、そのような構成を有していない点。
　
［相違点ｇ］訂正発明１０は「ボーナスは、少なくとも種類の異なる２つのボーナスがあり、前記確定パターンは、２つのボーナスのうち、一方のボーナスの当選フラグが成立している場合にのみ選択される第１の確定パターンと、他方のボーナスの当選フラグが成立している場合にのみ選択される第２の確定パターンと、２つのボーナスのいずれかの当選フラグが成立している場合に選択される第３の確定パターンとを含む」ものであるのに対し、甲２８発明は、そのような構成を有していない点。
　
［相違点ｈ］訂正発明１０は「デモ抽選テーブル選択テーブルにより、遊技状態が一般遊技中においてボーナスが入賞態様となった場合、及び遊技状態がボーナスの内部当たり中である場合に選択されるデモ抽選テーブルは、当該デモ抽選テーブルに対応づけされた複数の演出態様組合せの一部が前記確定パターンである」のに対し、甲２８発明は、そのような構成を有していない点。
　
［相違点ｉ］訂正発明１０は「報知態様選択手段」が「遊技状態が一般遊技中においてボーナスが入賞態様となった場合には、前記第１の確定パターン及び前記第２の確定パターンを選択せず前記第３の確定パターンのみを選択するように構成され、遊技状態がボーナスの内部当たり中である場合には、前記第１の確定パターン乃至前記第３の確定パターンを選択しうるように構成されている」ものであるのに対し、甲２８発明は、そのような構成を有していない点。
　
［相違点ｊ］訂正発明１０は「報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高い」ものであるのに対し、甲２８発明は、そのような構成を有していない点。
　
（５−２）訂正発明１０と甲２８発明との相違点についての判断
（５−２−１）丙５に開示されている発明
　丙５には、パチスロ機サンダーＶについて、以下の各記載又は図示がある。
ア．37頁２段目4〜11行に「その最大の魅力となっているのが、単なるフラグ告知に留まらないサンダーＶならではのチャンスパターンだ。消灯やフラッシュといったバックライトを使った視覚による演出に加え、２種類のスタート音によって聴覚までも刺激。それらが複雑に絡み合い、常に期待感を持ってプレイする事ができるのである。」との記載がある。
イ．38頁２〜３段目に「サンダーＶが大ヒットしている最大の要因が、リーチ目や告知を超越したとまで言われているチャンスパターンだ。これは、アルゼ系メーカーが２号機の時代から採用しているバックライト（・・・）を使ったリール消灯＆フラッシュと、パチスロ史上初の２種類のスタート音によって構成され、それぞれの絡みによってフラグ成立を告知するというもの。　大別すると現在大流行している告知台になるのだが、他とは決定的に違うのがボーナスフラグ不成立時でもチャンスパターンが発生するという事。その組み合わせも膨大で、これによって常に期待を持ってプレイできるようになっているのだ。」との記載がある。
ウ．38頁上部に「ゲームの流れ」と記載され、その左側の囲み欄に「レバーを叩く」、「予告音が鳴った？」、「リールランプが消灯」、「１つ消灯　２つ消灯　３つ消灯」、「フラッシュした」及び「チャンスの数だけ期待度アップ」という記載とともに、「予告音が鳴った？」の下のＹＥＳを示す矢印の先、「３つ消灯」の下のＹＥＳを示す矢印の先及び「フラッシュした」の下のＹＥＳを示す矢印の先に「チャンス」の表記がある。
エ．38頁下部の囲み欄に「レバーを叩いた瞬間…」、「どちらかの音が鳴るぞ！」及び「普通はスタート音（リールが回転を始める時の効果音）は１種類なのだが、サンダーＶでは２種類のスタート音が用意されている。そして、普段とは違う派手なスタート音が鳴った場合には（低音で聞きづらいのが難点）単なる効果音ではなく、何らかのフラグが成立している可能性が高い。だからこそ予告音という事になるのだ。」との各記載がある。
オ．39頁上部の囲み欄に「ストップボタンを押すと対応したリールのバックライトが消える。これがリール消灯で、消えれば消えるほど（当たり前だが、最高で３つまで）ボーナスフラグ成立の可能性もアップ。全部消えて何も揃わなければ期待してもイイぞ。」との記載がある。
カ．39頁中段に「各リールの上〜下段、計９個のバックライトによって繰り広げられるイリュージョンが、サンダーＶ最大の魅力であるフラッシュだ。フラッシュは全部で８パターンあり、各々が概ね成立しているフラグ（小役からボーナスまで）に対応。派手なフラッシュほど、ボーナスフラグ成立の可能性が高くなっているぞ。
キ．41頁右上に「リール消灯パーフェクト解説　１消→２消→３消と期待感アップ」と題して、「リールが停止した瞬間、意味有りげにリール照明が消えるというリール消灯。」との記載がある。
ク．42頁の２段目に「左の表から分かるように、通常時とボーナスフラグ成立中を比べると圧倒的にボーナスフラグ成立中の方が予告音の鳴る割合が高くなっている。」と記載され、その右の囲み欄に「ボーナス成立プレイでの予告音」と題して、レギュラーボーナス成立プレイで予告音の鳴る確率が５１．５％、ビッグボーナス成立プレイで予告音の鳴る確率が５１．５％であることが示されるとともに、「▲ボーナス成立プレイでは約５０％の確率で予告音が発生する。これは他の状態よりも格段に高くなっているのだ。」と記載されている。
ケ．43頁上部に「下表は、解析から判明した成立フラグに対するチャンスパターンの選択率表。リール消灯、フラッシュ、予告音はそれぞれバラバラに選択されるのではなくセットになっているのだ。」との記載がある。
コ．43頁下部に「完全網羅！！解析から判明したチャンスパターンの全て！」と題するチャンスパターンの選択率表が掲載され、同表は「ボーナスフラグ成立中」の状態、「ボーナスフラグ不成立時」の状態及び「ボーナス成立プレイ」の状態に分けて、成立フラグに応じて複数用意されている「予告音」（「予告者」と記載されているが誤記と認める。）、「リール消灯」及び「フラッシュパターン」のセットの何れを選択するかの「振り分け率（％）」を規定していることが示され、さらに、上記各状態においては、成立フラグ毎に複数用意されている前記セットの振り分け率が異なっていることも示されている。
サ．45頁中段に「ＪＡＣゲームでのチャンスパターン」及び「ＢＩＧ中小役ゲームでのチャンスパターン」と題する表が示されており、43頁の表同様、「予告音」、「リール消灯」及び「フラッシュパターン」が「振り分け率（％）」とともに示されている。
　
　さらに、上記の記載等から以下のことがいえる。
ａ．上記ウ．に記載した38頁上部左側のゲームの流れに関する囲み欄とともに、上記イ．エ．の記載を合わせ考えると、このパチスロ機は、“レバーを叩くことによってリールが回転を始め、ストップボタンを押すとリールが停止して行われる１回のゲームの中で、バックライトを使ったリール消灯及びフラッシュと、レバーを叩いた瞬間にどちらかが鳴る２種類のスタート音の絡みによってフラグ成立を告知する”ものであると認められ、また、「リール消灯」としてはバックライトが消える場合と消えない場合の２パターンがあり、「フラッシュ」は３つのリールが停止したときに発生するものと認められる。
ｂ．43頁下部の上記チャンスパターンの選択率表から、ＲＥＧのフラグが成立している場合にのみ選択されるチャンスパターン“♪・１・星屑”及び“♪・２・Ｖ字”があること、ＢＩＧのフラグが成立している場合にのみ選択されるチャンスパターン“♪・０・稲妻”、“♪・１・Ｖ字”及び“♪・２・星屑”があること、ＲＥＧ・ＢＩＧいずれかのフラグが成立している場合に選択されるチャンスパターン“−・３・竜巻”、“−・３・星屑”、“♪・０・Ｗ反転”、“♪・１・竜巻”、“♪・２・Ｗ反転”、“♪・２・竜巻”、“♪・３・星屑”、“♪・３・Ｖ字”、“♪・３・直線”、“♪・３・竜巻”及び“♪・３・Ｗ字”が含まれていることが分かる。
ｃ．43頁下部の上記チャンスパターンの選択率表から、ＲＥＧ又はＢＩＧのフラグが成立したボーナス成立プレイの状態である場合、及びボーナスフラグ成立中の状態である場合の各成立フラグに対応するチャンスパターンは、その一部がＲＥＧのフラグが成立している場合にのみ選択されるチャンスパターン、ＢＩＧのフラグが成立している場合にのみ選択されるチャンスパターン又はＲＥＧ・ＢＩＧいずれかのフラグが成立している場合に選択されるチャンスパターンであることが分かる。
　
　上記ア〜サの記載及び図示並びに上記ａ〜ｃの認定事項によると、丙５には、
「パチスロ機であって、
　レバーを叩くことによってリールが回転を始め、ストップボタンを押すとリールが停止して行われる１回のゲームの中で、バックライトを使ったリール消灯及びフラッシュと、レバーを叩いた瞬間にどちらかが鳴る２種類のスタート音の絡みによってフラグ成立を告知し、
　前記２種類のスタート音のうちの予告音はレギュラーボーナス成立プレイ及びビッグボーナス成立プレイに共通して約５０％の確率で発生し、前記バックライトを使ったリール消灯は前記ストップボタンを押すと発生し、前記フラッシュは３つのリールが停止したときに発生するものであって、前記リール消灯は前記バックライトが消える場合と消えない場合の２パターン、前記フラッシュは全部で８パターンがあり、
　前記２種類のスタート音、前記リール消灯及び前記フラッシュのセットを成立フラグに対して選択するチャンスパターンの選択率表を備え、
　前記選択率表は、ボーナスフラグ成立中の状態、ボーナスフラグ不成立時の状態及びボーナス成立プレイの状態に分けて、成立フラグに応じて複数用意されている前記セットの何れを選択するかの振り分け率を規定し、
　前記各状態においては、成立フラグ毎に複数用意されている前記セットの振り分け率が異なっており、
　前記チャンスパターンは、前記ボーナス成立プレイの状態である場合、及び前記ボーナスフラグ成立中の状態である場合にのみ選択される複数のチャンスパターンを含み、
　前記ボーナスフラグにはＲＥＧとＢＩＧがあり、
　前記ボーナス成立プレイの状態である場合、及び前記ボーナスフラグ成立中の状態である場合にのみ選択される複数のチャンスパターンは、ＲＥＧのフラグが成立している場合にのみ選択されるチャンスパターンと、ＢＩＧのフラグが成立している場合にのみ選択されるチャンスパターンと、ＲＥＧ・ＢＩＧいずれかのフラグが成立している場合に選択されるチャンスパターンとを含み、
　前記ボーナス成立プレイの状態である場合、及び前記ボーナスフラグ成立中の状態である場合の各成立フラグに対応するチャンスパターンは、その一部が前記ＲＥＧのフラグが成立している場合にのみ選択されるチャンスパターン、前記ＢＩＧのフラグが成立している場合にのみ選択されるチャンスパターン又は前記ＲＥＧ・ＢＩＧいずれかのフラグが成立している場合に選択されるチャンスパターンであるパチスロ機。」
の発明（以下「丙５発明」という。）が開示されていると認められる。
　
（５−２−２）丙５発明と各相違点に係る訂正発明１０の構成との関係
　そこで、丙５発明と相違点ａ、ｂ’、ｃ’及びｅ〜ｊに係る訂正発明１０の構成との関係について検討する。
［相違点ａに係る構成との関係］
　丙５発明の「レバーを叩くことによってリールが回転を始め、ストップボタンを押すとリールが停止して行われる１回のゲーム」は、訂正発明１０の「前記可変表示開始手段によって前記可変表示が開始され、前記可変表示停止手段によって前記可変表示が停止される１回の遊技」に相当し、丙５発明の「フラグ」は入賞態様を判別するものであり、「リール消灯」、「フラッシュ」及び「スタート音」は、訂正発明１０の「報知情報」に相当するものといえるから、丙５発明において「バックライトを使ったリール消灯及びフラッシュと、レバーを叩いた瞬間にどちらかが鳴る２種類のスタート音の絡みによってフラグ成立を告知」することは、訂正発明１０において「決定された入賞態様に対応した報知情報」を遊技者に報知することに相当する。
　また、丙５発明がどのフラグを成立させるかを決定する手段（訂正発明１０の「入賞態様決定手段」に相当）を備えることは明らかであり、さらに、丙５発明の「チャンスパターンの選択率表」等からみて、フラグ成立の告知が所定確率で行われることも明らかであるから、丙５発明は、訂正発明１０の「前記可変表示開始手段によって前記可変表示が開始され、前記可変表示停止手段によって前記可変表示が停止される１回の遊技の中で、前記入賞態様決定手段で決定された入賞態様に対応した報知情報を所定確率で遊技者に報知する報知手段」に相当する手段を備えているといえる。
　
［相違点ｂ’の「報知情報」 に係る構成との関係］
　丙５発明において「２種類のスタート音のうちの予告音はレギュラーボーナス成立プレイ及びビッグボーナス成立プレイに共通して約５０％の確率で発生」し、予告音でない方のスタート音も同様の確率で発生するのであるから、２種類のスタート音は訂正発明１０の「配当のある複数の異なる入賞態様に共通して演出される報知態様による報知」に相当するものといえる。
　また、丙５発明において「リール消灯はストップボタンを押すと発生し、フラッシュは３つのリールが停止した後に発生する」ものであって、「リール消灯」及び「フラッシュ」ともに、「２種類のスタート音」とは異なる報知態様であるから、丙５発明は、訂正発明１０の「前記報知情報が、配当のある複数の異なる入賞態様に共通して演出される報知態様による報知と、その後の、前記報知態様とは異なる報知態様による報知とからなり」に相当する構成を有しているということができる。
　
［相違点ｂ’の「報知手段」 に係る構成との関係］
　丙５発明の「２種類のスタート音」は、訂正発明１０の「複数の効果音」に相当するとともに、「レバーを叩いた瞬間にどちらかが鳴る」のであるから、丙５発明は訂正発明１０の「前記可変表示開始手段によって前記可変表示が開始されるときに複数の効果音の中の１つの音を発生させる音発生手段」に相当する手段を有しているといえる。
　また、丙５発明において「リール消灯はストップボタンを押すと発生し、フラッシュは３つのリールが停止したときに発生する」から、丙５発明の「リール消灯」及び「フラッシュ」は、それぞれ訂正発明１０の「連動表示態様」及び「停止表示態様」に相当し、丙５発明の「リール消灯」及び「フラッシュ」には、それぞれ複数の態様（「リール消灯」についてはバックライトが消える場合と消えない場合の２パターン、「フラッシュ」については８パターン）があるから、丙５発明は訂正発明１０の「前記可変表示停止手段によって少なくとも１列の前記可変表示が停止されるのに連動し、複数の表示態様の中の１つの表示態様で演出する連動演出手段と、前記各列の可変表示の全てが停止したときに複数の表示態様の中の１つの表示態様で演出する停止演出手段」に相当する手段を有しているといえる。
　
［相違点ｃ’に係る構成との関係］
　丙５発明の「前記２種類のスタート音、前記リール消灯及び前記フラッシュのセット」が、２種類のスタート音と２パターンのリール消灯及び８パターンのフラッシュのうちから、それぞれ１つずつ組合せたものを意味することは明らかであるから、該セット及びそれと同義の「チャンスパターン」は訂正発明１０の「前記音発生手段によって発生される効果音の種類、前記連動演出手段によって演出される連動表示態様の種類および前記停止演出手段によって演出される停止表示態様の種類の組合せ」に相当するものといえる。
　また、丙５発明においては「２種類のスタート音、前記リール消灯及び前記フラッシュのセット」を、チャンスパターンの選択率表を備えて、成立フラグ（訂正発明１０の「入賞態様決定手段で決定された入賞態様」に相当）に対して選択しているから、丙５発明は訂正発明１０の「前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する報知態様選択手段」に相当する手段をその構成の一部としているものといえる。
　
［相違点ｅの「報知態様選択手段」に係る構成との関係］
　丙５発明の「ボーナスフラグ成立中の状態」、「ボーナスフラグ不成立時の状態」及び「ボーナス成立プレイの状態」は、訂正発明１０の「遊技状態」に相当し、また丙５発明の「前記２種類のスタート音、前記リール消灯及び前記フラッシュのセット」及び「チャンスパターン」は、訂正発明１０の「演出態様組合せ」にも相当しているといえる。
　そして、丙５発明の「選択率表」は、上記３つの状態に分けて、成立フラグ（訂正発明１０の「入賞態様」に相当）に応じて複数用意されている「２種類のスタート音、前記リール消灯及び前記フラッシュのセット」の何れを選択するかの振り分け率を規定しているから、丙５発明は、「前記２種類のスタート音、前記リール消灯及び前記フラッシュのセット」を選択するに際して、選択率表におけるその時の状態と成立フラグが対応する部分のテーブルを参照していることは明らかであり、かつ、該テーブルと訂正発明１０の「デモ抽選テーブル」は、いずれも“組合せ選択用テーブル”ということができるから、丙５発明と訂正発明１０は“報知態様選択手段は、遊技状態および入賞態様に応じて組合せ選択用テーブルを参照して演出態様組合せを選択する”点で共通しているといえる。
　
［相違点ｅの「デモ抽選テーブル選択テーブル」に係る構成との関係］
　丙５発明の「選択率表」は、「ボーナスフラグ成立中」の状態、「ボーナスフラグ不成立時」の状態及び「ボーナス成立プレイ」の状態に分けられているところ、丙５には、これら３つの状態以外の状態として、「ＪＡＣゲーム」及び「ＢＩＧ中小役ゲーム」が示され（上記サ．を参照）、これらは、訂正発明１０における「ボーナス・ゲーム作動中」の遊技状態に相当するから、丙５発明における上記３つの状態は、訂正発明１０における「ボーナス・ゲーム作動中を除く遊技状態」に相当する。
　そして、丙５発明は、上記３つの状態においては、成立フラグ毎に複数用意されている前記セットの振り分け率が異なっているから、前項で述べた丙５発明の“組合せ選択用テーブル”は、成立フラグ毎に異なっているということができる。
　そうしてみると、丙５発明と訂正発明１０は“ボーナス・ゲーム作動中を除く各遊技状態においては、入賞態様毎に異なる組合せ選択用テーブルが対応”している点で共通しているといえる。
　
［相違点ｆに係る構成との関係］
　丙５発明の「ボーナス成立プレイの状態である場合」及び「ボーナスフラグ成立中の状態である場合」は、それぞれ訂正発明１０における「遊技状態が一般遊技中においてボーナスが入賞態様となった場合」及び「遊技状態がボーナスの内部当たり中である場合」に相当することが明らかであるから、丙５発明における「前記ボーナス成立プレイの状態である場合、及び前記ボーナスフラグ成立中の状態である場合にのみ選択される複数のチャンスパターン」は、訂正発明１０における「遊技状態が一般遊技中においてボーナスが入賞態様となった場合、及び遊技状態がボーナスの内部当たり中である場合にのみ前記報知態様選択手段によって選択される複数の確定パターン」に相当するものといえる。
　そして、上記［相違点ｅの「報知態様選択手段」に係る構成との関係］の項で述べたように、丙５発明の「チャンスパターン」は、訂正発明１０の「演出態様組合せ」に相当しているから、丙５発明は、訂正発明１０の「前記演出態様組合せは、遊技状態が一般遊技中においてボーナスが入賞態様となった場合、及び遊技状態がボーナスの内部当たり中である場合にのみ前記報知態様選択手段によって選択される複数の確定パターンを含み」に相当する構成を有しているということができる。
　
［相違点ｇに係る構成との関係］
　丙５発明の「ボーナスフラグ」にはＲＥＧとＢＩＧがあるから、丙５発明は訂正発明１０における「前記ボーナスは少なくとも種類の異なる２つのボーナスがあり」に相当する構成を有するものといえる。
　そして、丙５発明の「ＲＥＧのフラグが成立している場合にのみ選択されるチャンスパターン」、「ＢＩＧのフラグが成立している場合にのみ選択されるチャンスパターン」及び「ＲＥＧ・ＢＩＧいずれかのフラグが成立している場合に選択されるチャンスパターン」は、それぞれ訂正発明１０における「一方のボーナスの当選フラグが成立している場合にのみ選択される第１の確定パターン」、「他方のボーナスの当選フラグが成立している場合にのみ選択される第２の確定パターン」及び「２つのボーナスのいずれかの当選フラグが成立している場合に選択される第３の確定パターン」に相当することが明らかであるから、丙５発明は、訂正発明１０の「前記確定パターンは、２つのボーナスのうち、一方のボーナスの当選フラグが成立している場合にのみ選択される第１の確定パターンと、他方のボーナスの当選フラグが成立している場合にのみ選択される第２の確定パターンと、２つのボーナスのいずれかの当選フラグが成立している場合に選択される第３の確定パターンとを含み」に相当する構成を有しているということができる。
　
［相違点ｈに係る構成との関係］
　上記［相違点ｆに係る構成との関係］の項で述べた、丙５発明における構成と訂正発明１０における構成との相当関係及び上記［相違点ｅの「報知態様選択手段」に係る構成との関係］の項で述べた事項とを考え合わせると、丙５発明と訂正発明１０は“遊技状態が一般遊技中においてボーナスが入賞態様となった場合、及び遊技状態がボーナスの内部当たり中である場合の組合せ選択用テーブルは、当該組合せ選択用テーブルに対応づけされた複数の演出態様組合せの一部が前記確定パターンである”点で共通しているといえる。
　
［相違点ｉに係る構成との関係］
　訂正発明１０においては、「遊技状態が一般遊技中においてボーナスが入賞態様となった場合には、前記第１の確定パターン及び前記第２の確定パターンを選択せず前記第３の確定パターンのみを選択するように構成」され、かつ「遊技状態がボーナスの内部当たり中である場合には、前記第１の確定パターン乃至前記第３の確定パターンを選択しうるように構成」されている。
　これに対して、丙５発明においては、丙５の43頁下部に掲載されているチャンスパターンの選択率表から分かるように、「ボーナスフラグ成立中の状態である場合」は、ＲＥＧのフラグ成立中とＢＩＧのフラグ成立中に分かれていないため、その場合に「ＲＥＧのフラグが成立している場合にのみ選択されるチャンスパターン」又は「ＢＩＧのフラグが成立している場合にのみ選択されるチャンスパターン」が選択されることは有り得ない。
　また、同選択率表から、丙５発明の「ボーナス成立プレイの状態である場合」においては、ＲＥＧのフラグが成立した場合には、「前記ボーナス成立プレイの状態である場合、及び前記ボーナスフラグ成立中の状態である場合にのみ選択される複数のチャンスパターン」（訂正発明１０の「複数の確定パターン」に相当）のうち、“♪・１・星屑”、“♪・２・Ｖ字”、“♪・３・星屑”及び“♪・３・Ｖ字”が選択される可能性があり、ＢＩＧのフラグが成立した場合には、同「複数のチャンスパターン」のうち、“♪・０・稲妻”、“♪・１・Ｖ字”、“♪・２・星屑”、“♪・３・星屑”及び“♪・３・Ｖ字”が選択される可能性があることが分かるが、このうち“♪・１・星屑”及び“♪・２・Ｖ字”は、ＲＥＧのフラグが成立している場合にのみ選択されるチャンスパターン（訂正発明１０の「第１の確定パターン」に相当）であり、“♪・０・稲妻”、“♪・１・Ｖ字”及び“♪・２・星屑” は、ＢＩＧのフラグが成立している場合にのみ選択されるチャンスパターン（訂正発明１０の「第２の確定パターン」に相当）である。
　そうしてみると、丙５発明は上記相違点ｉに係る構成を備えていない。
　
［相違点ｊに係る構成との関係］
　訂正発明１０においては、「前記報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高い」ものとなっている。
　これに対して、丙５発明では、丙５の43頁下部に掲載されているチャンスパターンの選択率表から、「ボーナスフラグ成立中の状態である場合」において「前記ボーナス成立プレイの状態である場合、及び前記ボーナスフラグ成立中の状態である場合にのみ選択される複数のチャンスパターン」（訂正発明１０の「複数の確定パターン」に相当）が選択される確率は、成立フラグが「ハズレ」の時３２／１２８、「チェリー」の時１８／１２８、「ベル」の時４０／１２８、「スイカ」の時４４／１２８、「リプレイ」の時３２／１２８であり、「ボーナス成立プレイの状態である場合」において同「複数のチャンスパターン」が選択される確率は、ＲＥＧのフラグが成立した時２５／１２８、ＢＩＧのフラグが成立した時２９／１２８となっている。
　すなわち、「ボーナスフラグ成立中の状態である場合」において成立フラグが「チェリー」の時に同「複数のチャンスパターン」が選択される確率は、「ボーナス成立プレイの状態である場合」において同「複数のチャンスパターン」が選択される確率より低くなっている。
　よって、丙５発明は上記相違点ｊに係る構成を備えていない。
　
［まとめ］
　以上のとおりであるから、丙５発明は、訂正発明１０と甲２８発明との相違点のうち、相違点ａ、ｂ’、ｃ’、ｆ及びｇの構成を有し、相違点ｅについては、「報知態様選択手段」が“遊技状態および入賞態様に応じて組合せ選択用テーブルを参照して演出態様組合せを選択する”構成、及び“ボーナス・ゲーム作動中を除く各遊技状態においては、入賞態様毎に異なる組合せ選択用テーブルが対応”している構成を有している点、相違点ｈについては、“遊技状態が一般遊技中においてボーナスが入賞態様となった場合、及び遊技状態がボーナスの内部当たり中である場合の組合せ選択用テーブルは、当該組合せ選択用テーブルに対応づけされた複数の演出態様組合せの一部が前記確定パターンである”点では共通しているといえる。
　
（５−２−３）甲２８発明及び丙５発明がともに有していない訂正発明１０の構成
　上記（５−２−２）で検討した丙５発明と各相違点に係る訂正発明１０の構成との関係に基づけば、甲２８発明及び丙５発明がともに有していない訂正発明１０の構成として、以下の点が挙げられる。
　
ａ．訂正発明１０の「報知態様選択手段」が、「デモ抽選テーブル選択テーブルを参照して遊技状態および入賞態様に応じてデモ抽選テーブルを選択し、選択されたデモ抽選テーブルを参照して抽選乱数に応じて演出態様組合せを選択する」点。
　
ｂ．訂正発明１０の「デモ抽選テーブル選択テーブル」が、「ボーナス・ゲーム作動中を除く各遊技状態においては、入賞態様毎に異なるデモ抽選テーブルが対応し、かつ、ボーナスの内部当たり中であってボーナスの種類により異なる遊技状態においては、入賞態様とデモ抽選テーブルとのすべての対応が同一ではない」点。
　
ｃ．訂正発明１０の「報知態様選択手段」が、「遊技状態が一般遊技中においてボーナスが入賞態様となった場合には、前記第１の確定パターン及び前記第２の確定パターンを選択せず前記第３の確定パターンのみを選択するように構成され、遊技状態がボーナスの内部当たり中である場合には、前記第１の確定パターン乃至前記第３の確定パターンを選択しうるように構成」されている点。
　
ｄ．訂正発明１０の「前記報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高い」点。
　
（５−２−４）上記ａ．〜ｄ．の点についての検討
［ａ．の点についての検討］
　丙５発明の「選択率表」に含まれる、状態及び成立フラグ（訂正発明１０の「遊技状態および入賞態様」に相当）に応じた“組合せ選択用テーブル”は、丙５の43頁下部に記載されている表を見れば分かるように、「振り分け率（％）」は、それぞれ「整数／１２８」を％表示したものとなっており、割り当てられている振り分け率の総和は１００％となっている。
　また、複数のテーブルから１つのテーブルを選択するに際して、テーブル選択用の別のテーブルを参照することは、例えば、甲３４（特開平１０−２０１９１１号公報、特に、段落【０１０７】〜【０１１２】及び【表５】〜【表１１】）、丙６（特開平１０−１１３４３９号公報、特に、段落【００５５】〜【００５８】及び【表２３】〜【表２４】）、丙７（特開平１０−１５１７５号公報、特に、段落【００８７】〜【００９８】及び【表５】〜【表１１】）、丙８（特開平１０−１５１５６号公報、特に、段落【００４５】〜【００５４】及び【図５】〜【図６】）、及び丙９（特開平８−１３１６２２号公報、特に、段落【００３７】）に記載されているように、遊技機の分野において従来周知の技術（以下「周知技術Ｆ」という。）である。
　さらに、テーブルを参照して抽選乱数に応じて１つの事象を選択することも例を挙げるまでもなく、遊技機の分野において従来周知の技術（以下「周知技術Ｇ」という。）であるとともに、甲３４、丙６及び丙７においても、選択されたテーブルを参照し乱数に応じたリーチモード等を選択している。
　
［ｂ．の点についての検討］
　丙５発明の「選択率表」では、「ボーナスフラグ成立中」の状態における表しか示されておらず、「レギュラーボーナスフラグ成立中」の状態における表と「ビッグボーナスフラグ成立中」の状態における表とを分けてはいないが、「ボーナス成立プレイ」の状態においては、「ＲＥＧ」（レギュラーボーナス）又は「ＢＩＧ」（ビッグボーナス）が成立した場合とで振り分け率の規定が変えてあること、例えば、丙10（「パチスロ必勝ガイド」１９９８年８月号、123〜125頁）や丙11（「パチスロ攻略マガジン」１９９８年１月号、132〜133頁）に記載されているように、ビッグボーナス内部当たり中かレギュラーボーナス内部当たり中かによって、出現する報知態様を一部異ならせることは、スロットマシンの分野において従来周知の技術（以下「周知技術Ｈ」という。）である。
　
［ｃ．及びｄ．の点についての検討］
　訂正発明１０は、「報知態様選択手段」が、「遊技状態が一般遊技中においてボーナスが入賞態様となった場合には、前記第１の確定パターン及び前記第２の確定パターンを選択せず前記第３の確定パターンのみを選択するように構成され、遊技状態がボーナスの内部当たり中である場合には、前記第１の確定パターン乃至前記第３の確定パターンを選択しうるように構成」されているとともに、「前記報知態様選択手段により複数の前記確定パターンのいずれかが選択される確率は、遊技状態がボーナスの内部当たり中である場合であっていずれの入賞態様が決定された場合には、遊技状態が一般遊技中においてボーナスが入賞態様となった場合より高い」点の構成を有しているのに対し、甲２８発明及び丙５発明はこれらの構成を有しておらず、また、他にこれらの構成に類する構成を有する証拠を見出すこともできない。
　そして、訂正発明１０は、遊技状態が一般遊技中においてボーナスが入賞態様となった場合よりも、その後の遊技状態がボーナスの内部当たり中である場合において、確定パターンが現れる確率を高めることにより、ボーナス・ゲームを作動させられない状態で遊技を行った場合の方がボーナスの内部当たり中であることをより確実に報知できるという効果があり、さらに、ボーナスが入賞態様となった場合には入賞したボーナスの種類が不明な第３の確定パターンのみを出現させ、ボーナスの内部当たり中である場合においては入賞したボーナスの種類が分かる第１、第２の確定パターンが出現する場合もあるという効果があるので、ボーナス・ゲームを作動させられない状態で遊技を進めれば進めるほどボーナスの種類が判明し易いという格別な作用効果を奏するものといえる。
　
（５−２−５）甲２８発明、丙５発明及び周知技術を総合しての判断
　甲２８発明と丙５発明は、ともに遊技機（スロットマシン）に関する発明であり、かつ、いずれも入賞態様の種類（丙５発明では成立フラグ）を遊技者に知らせる機能を有する点で共通しているから、甲２８発明に丙５発明を適用することは、Ｐ２出願日当時の当業者にとって容易である。
　また、上記（５−２−３）及び（５−２−４）における検討を総合すると、甲２８発明に丙５発明を適用する際に、周知技術Ｆ及びＧを考慮して、丙５発明の「選択率表」に含まれる、「状態」及び「成立フラグ」に応じた“組合せ選択用テーブル”をテーブル選択用の別のテーブルを参照して選択し、かつ、そのようにして選択した“組合せ選択用テーブル”を参照して抽選乱数に応じて「前記２種類のスタート音、前記リール消灯及び前記フラッシュのセット」を選択するようにし、さらに、周知技術Ｈを考慮して、丙５発明の「選択率表」に含まれる「ボーナスフラグ成立中」の状態における表を「レギュラーボーナスフラグ成立中」の状態における表と「ビッグボーナスフラグ成立中」の状態における表に分けて、少なくとも一部の振り分け率が異なるようにして、上記ａ．及びｂ．に係る訂正発明１０のような構成とすることは、Ｐ２出願日当時の当業者が適宜実施し得る。
　そして、上記（５−２−２）で検討したとおり、丙５発明は、訂正発明１０と甲２８発明との相違点ａ、ｂ’、ｃ’及びｅ〜ｊのうち、相違点ａ、ｂ’、ｃ’、ｆ及びｇに係る訂正発明１０の構成を有しており、相違点ｅについては、「報知態様選択手段」が“遊技状態および入賞態様に応じて組合せ選択用テーブルを参照して演出態様組合せを選択する”構成、及び“ボーナス・ゲーム作動中を除く各遊技状態においては、入賞態様毎に異なる組合せ選択用テーブルが対応”している構成を有している点、相違点ｈについては、“遊技状態が一般遊技中においてボーナスが入賞態様となった場合、及び遊技状態がボーナスの内部当たり中である場合の組合せ選択用テーブルは、当該組合せ選択用テーブルに対応づけされた複数の演出態様組合せの一部が前記確定パターンである”点では共通しているといえるから、相違点ａ、ｂ’、ｃ’及びｅ〜ｈに係る訂正発明１０の構成は、甲２８発明、丙５発明及び周知技術Ｆ〜Ｈから、Ｐ２出願日当時の当業者が容易に想到し得ることといえる。
　しかし、相違点ｉ及びｊに係る構成は、甲２８発明、丙５発明、周知技術Ｆ〜Ｈ及びその他の証拠に記載された事項に示されるものではなく、また、訂正発明１０は、該相違点ｉ及びｊに係る構成によって、上記（５−２−４）［ｃ．及びｄ．の点についての検討］に記載したとおり、ボーナス・ゲームを作動させられない状態で遊技を進めれば進めるほどボーナスの内部当たり中であることをより確実に報知でき、かつ、ボーナスの種類が判明し易いという格別の作用効果を奏するものということができる。
　よって、訂正発明１０は、甲２８発明、丙５発明、周知技術Ｆ〜Ｈ及びその他の証拠に記載された事項に基づいて、Ｐ２出願日当時の当業者が容易に発明できたものとはいえない。
　以上のとおりであるので、訂正後の請求項１０の特許は特許法２９条２項の規定に違反してされた特許ということはできない。
　
（５−３）訂正発明２６と甲２８発明の対比
　訂正発明２６は、訂正発明１０に対して、「前記可変表示停止手段によって少なくとも１列の前記可変表示が停止されるのに連動し、複数の表示態様の中の１つの表示態様で演出する連動演出手段」を削除するとともに、「報知態様選択手段」を「前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する」ものから、「前記音発生手段によって発生される効果音の種類、および前記停止演出手段によって演出される停止表示態様の種類の組合せを、前記入賞態様決定手段で決定された入賞態様に応じて選択する」ものへと変更し、また、上記相違点ｆ〜ｊに係る構成を削除したものである。
　そうしてみると、訂正発明２６と甲２８発明との一致点は、訂正発明１０と甲２８発明との一致点と同一である。
　また、訂正発明２６と甲２８発明との相違点についてみると、訂正発明２６と訂正発明１０との上記の関係から、訂正発明１０と甲２８発明との相違点ａ、ｂ’、ｃ’及びｅと同様の相違点があり、このうち相違点ａ及びｅについては実質的に同一、相違点ｂ’については 「前記可変表示停止手段によって少なくとも１列の前記可変表示が停止されるのに連動し、複数の表示態様の中の１つの表示態様で演出する連動演出手段」を削除したものとなり、相違点ｃ’については 「報知態様選択手段」を「前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する」ものから、「前記音発生手段によって発生される効果音の種類、および前記停止演出手段によって演出される停止表示態様の種類の組合せを、前記入賞態様決定手段で決定された入賞態様に応じて選択する」ものへと変更したものとなる。
　そこで、相違点ｂ’及び相違点ｃ’に対応する訂正発明２６と甲２８発明との相違点を、それぞれ相違点ｂ”及び相違点ｃ”と表記することとする。
　
（５−４）訂正発明２６と甲２８発明との相違点についての判断
［相違点ａ及び相違点ｅについて］
　訂正発明２６と甲２８発明との相違点ａ及びｅは、訂正発明１０と甲２８発明との相違点ａ及びｅと実質的に同じなので、上記（５−２）（５−２−５）の項で述べたと同様の理由により、相違点ａ及び相違点ｅに係る訂正発明２６の構成は、甲２８発明、丙５発明及び周知技術Ｆ〜Ｈから、Ｐ２出願日当時の当業者が容易に想到し得る。
　
［相違点ｂ”及び相違点ｃ”について］
　相違点ｂ”及び相違点ｃ”については、いずれも相違点ｂ’及び相違点ｃ’に対して「連動演出手段」を省いたことによる差に過ぎない。
　しかも、甲３２（「必勝パチスロファン」１９９４年増刊７月号）の78〜79頁に記載されているフラグ成立を知らせる方法に関する事項（特に、78頁３段目「●音が鳴る」の項及び79頁下段中央「ロイヤルタカシ−ＲＴ」の項に記載されている事項並びに78頁３段目「●バックライトが走る」の項の「どの機種にも一応リーチ目があるので念のために覚えておこう。」という記載参照）に関する記載からも分かるように、ボーナスフラグ又はシングルボーナスフラグが成立したことを、可変表示が開始される時の音で報知するとともに、リーチ目、すなわちリールが停止した時の表示でも報知する技術は、遊技機の分野において従来周知の技術（以下「周知技術Ｉ」という。）であるといえる。
　周知技術Ｉは、可変表示が開始される時の音による報知内容とリールが停止した時の表示による報知内容が異なるものではないが、報知タイミングとして、可変表示が開始される時とリールが停止した時を選択しているから、可変表示が開始されるときと、少なくとも１列の前記可変表示が停止されるときと、前記可変表示の全てが停止したときに演出を行う丙５発明において可変表示が開始されるときと、前記可変表示の全てが停止したときに演出を行うようにすることを想起させる技術として利用可能である。
　よって、上記（５−２）（５−２−２）及び（５−２−５）の項で述べた事項を考え合わせると、相違点ｂ”及び相違点ｃ”に係る訂正発明１０の構成は、甲２８発明、丙５発明及び周知技術Ｆ〜Ｉから、Ｐ２出願日当時の当業者が容易に想到し得ることといえる。
　
［まとめ］
　訂正発明２６の作用効果も、甲２８発明、丙５発明及び周知技術Ｆ〜Ｉから、Ｐ２出願日当時の当業者が予測できる範囲内のものであるから、訂正発明２６は、甲２８発明、丙５発明及び周知技術Ｆ〜Ｉに基づき、Ｐ２出願日当時の当業者が容易に発明をすることができたものである。
　
（５−５）訂正発明２７と甲２８発明の対比
　訂正発明２７は、訂正発明１０に対して、「前記各列の可変表示の全てが停止したときに複数の表示態様の中の１つの表示態様で演出する停止演出手段」を削除するとともに、「報知態様選択手段」を「前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する」ものから、「前記音発生手段によって発生される効果音の種類、および前記連動演出手段によって演出される連動表示態様の種類の組合せを、前記入賞態様決定手段で決定された入賞態様に応じて選択する」ものへと変更するものである。
　そうしてみると、訂正発明２７と甲２８発明との一致点は、訂正発明１０と甲２８発明との一致点と同一である。
　また、訂正発明２７と甲２８発明との相違点についてみると、訂正発明２７と訂正発明１０との上記の関係から、訂正発明１０と甲２８発明との相違点ａ、ｂ’、ｃ’及びｅと同様の相違点があり、このうち相違点ａ及びｅについては実質的に同一、相違点ｂ’については 「前記各列の可変表示の全てが停止したときに複数の表示態様の中の１つの表示態様で演出する停止演出手段」を削除したものとなり、相違点ｃ’については 「報知態様選択手段」を「前記音発生手段によって発生される効果音の種類、前記連動演出手段によって演出される連動表示態様の種類および前記停止演出手段によって演出される停止表示態様の種類の組合せを、前記入賞態様決定手段で決定された入賞態様に応じて選択する」ものから、「前記音発生手段によって発生される効果音の種類、および前記連動演出手段によって演出される連動表示態様の種類の組合せを、前記入賞態様決定手段で決定された入賞態様に応じて選択する」ものへと変更したものとなる。
　そうすると、相違点ｂ’及び相違点ｃ’に対応する訂正発明２７と甲２８発明との相違点は、実質的に訂正発明３と甲２８発明との相違点Ｂ及び相違点Ｃ（上記４．（４）（４−１）参照）と同一となるから、訂正発明２７と甲２８発明との相違点を、それぞれ相違点ａ、相違点ｂ、相違点ｃ及び相違点ｅと表記する。
　
（５−６）訂正発明２７と甲２８発明との相違点についての判断
［相違点ａ及び相違点ｅについて］
　訂正発明２７と甲２８発明との相違点ａ及びｅは、訂正発明１０と甲２８発明との相違点ａ及びｅと実質的に同じなので、上記（５−２）（５−２−５）の項で述べたと同様の理由により、相違点ａ及び相違点ｅに係る訂正発明２７の構成は、甲２８発明、丙５発明及び周知技術Ｆ〜Ｈから、Ｐ２出願日当時の当業者が容易に想到し得る。
　
［相違点ｂ及び相違点ｃについて］
　また、相違点ｂ及び相違点ｃについては、いずれも相違点ｂ’及び相違点ｃ’に対して「停止演出手段」を省いたことによる差に過ぎない。
　しかも、上記４．（４）（４−２）［相違点Ｃについて］の項で述べたように、丙１（特開平６−１１４１４０号公報）に記載されるように、入賞態様決定手段で決定されたビッグボーナスゲーム当選、ボーナスゲーム当選その他の入賞態様に応じ、遊技効果ランプの点灯の有無（点灯時期は、図１０及びその説明から、全リール回転開始とほぼ同時である。）とリーチ音の発生の有無（発生時期は、図１１及びその説明から、中リールの停止とほぼ同時である。）という異なる複数の報知態様の種類の組合せを選択し報知することが知られている。
　よって、上記（５−２）（５−２−２）及び（５−２−５）の項で述べた事項を考え合わせると、相違点ｂ及び相違点ｃに係る訂正発明２７の構成は、甲２８発明、丙５発明、丙１記載の事項及び周知技術Ｆ〜Ｈから、Ｐ２出願日当時の当業者が容易に想到し得ることといえる。
　
［まとめ］
　訂正発明２７の作用効果も、甲２８発明、丙５発明、丙１記載の事項及び周知技術Ｆ〜Ｈから、Ｐ２出願日当時の当業者が予測できる範囲内のものであるから、訂正発明２７は、甲２８発明、丙５発明、丙１記載の事項及び周知技術Ｆ〜Ｈに基づき、Ｐ２出願日当時の当業者が容易に発明をすることができたものである。
　
（５−７）訂正発明２８と甲２８発明の対比
　訂正発明２８は、訂正発明２７に対して、「音発生手段」に、「前記連動演出手段によって前記各列の表示が演出される毎に、予め定められた種類または長さの効果音を発生させる」機能を付加するものである。
　そして、甲２８発明の「発音装置」（訂正発明２８の「音発生手段」に相当）は、「ストップボタン１２が押された直後に、前記複数のリール２，３，４の内側に取り付けられているバックライトの点灯パターンを変え」るのに加えて、適当な音を発生するのであり、その発生タイミングがバックライトの点灯パターンを変えているときであることは明らかであるとともに、適当な音が「予め定められた種類または長さの効果音」となることも当然であるから、両者は“連動演出手段によって表示が演出されるときに、予め定められた種類または長さの効果音を発生させる”点でも一致している。
　そうしてみると、訂正発明２８と甲２８発明との一致点は、訂正発明２７と甲２８発明との一致点及び“連動演出手段によって表示が演出されるときに、予め定められた種類または長さの効果音を発生させる”点である。
　また、訂正発明２８と甲２８発明との相違点についてみると、訂正発明２８と訂正前発明３又は６との上記の関係から、訂正発明２７と甲２８発明との相違点ａ〜ｃ及びｅと対応する相違点を有し、さらに次の相違点ｋがある。
　なお、相違点ｋ以外は、実質的に訂正発明２７と甲２８発明との相違点と同一であるから、それぞれ相違点ａ〜ｃ及びｅと表記する。
［相違点ｋ］訂正発明２８は「前記音発生手段は、前記連動演出手段によって前記各列の表示が演出される毎に、予め定められた種類または長さの効果音を発生させる」ものであるのに対し、甲２８発明は、バックライトの点灯パターンを変えるのは、１回のゲームにおいては、「ストップボタン１２が押された直後」だけであって、バックライトの点灯パターンを変える毎に、適当な音を発生するものではない点。
　
（５−８）訂正発明２８と甲２８発明との相違点についての判断
［相違点ａ〜ｃ及びｅについて］
　訂正発明２８と甲２８発明との相違点ａ〜ｃ及びｅは、訂正発明２７と甲２８発明との相違点ａ〜ｃ及びｅと同一なので、上記（５−６）の項で述べたと同様の理由により、相違点ａ〜ｃ及びｅに係る訂正発明２８の構成は、甲２８発明、丙５発明、丙１記載の事項及び周知技術Ｆ〜Ｈから、Ｐ２出願日当時の当業者が容易に想到し得る。
　
［相違点ｋについて］
　丙１（特開平６−１１４１４０号公報）の段落【００５１】及び【００５９】や丙４（特開平９−２９９５４８号公報）の段落【００５３】に記載されている事項からみて、他の報知演出を行いつつリールの各列が停止する毎に音を発生させる技術は、遊技機の分野において従来周知の技術（以下「周知技術Ｊ」という。）であるといえる。
　そうすると、甲２８発明に周知技術Ｊを適用して、ストップボタン１２，１３，１４が押圧操作されて、複数のリール２，３，４が停止する毎に、バックライトの点灯パターンを変え、加えて発音装置から適当な音を発生するようにして、相違点ｋに係る訂正発明２８の構成とすることは、Ｐ２出願日当時の当業者が容易に想到し得ることである。
　
［まとめ］
　訂正発明２８の作用効果も、甲２８発明、丙５発明、丙１に開示された構成、周知技術Ｆ〜Ｈ及び周知技術Ｊから、Ｐ２出願日当時の当業者が予測できる範囲内のものであるから、訂正発明２８は、甲２８発明、丙５発明、丙１に開示された構成、周知技術Ｆ〜Ｈ及び周知技術Ｊに基づき、Ｐ２出願日当時の当業者が容易に発明をすることができたものである。
　
６．訂正発明１０に対する無効理由１及び２について
（１）はじめに
　上記５．（５）（５−２）に記載したように、無効理由４によっては訂正発明１０を無効とすることができないので、訂正発明１０について無効理由１及び２を検討することとする。
　
（２）無効理由１について
　無効理由１は、パチスロ機「サンダーＶ」を証拠とし、請求項１０等に係る発明は同パチスロ機と同一のものであるとする無効理由である。
　そこで、無効理由４の検討において甲２８発明、丙５発明、周知技術Ｆ〜Ｈ及びその他の証拠に記載された事項に基づいて、当業者が容易に発明できたものとはいえないとした訂正発明１０と甲２８発明との相違点ｉ及びｊに係る構成（上記５．（５）（５−１）参照）について、請求人の提出した無効理由１における証拠に記載されているか否かについて検討する。
　請求人は、上記第３．１．（３）（３−２）に記載したように、所定の確定パターンを表示することにより、遊技者にその旨を表示する構成は、Ｐ２出願日前に公然実施された遊技機「サンダーＶ」に含まれるものであるとし、その根拠として甲２７（本件特許に係る発明と「サンダーＶ」及び「ハナビ」との対照表）に【図５８】の確定パターンと同様のプログラムが「ＢＢ内部当たり中またはＲＢ内部当たり中にしか出現しない演出一覧」として含まれている旨主張している。
　しかし、甲２７の記載が正確なものだとしても、32頁右から２欄目に記載されたパチスロ機「サンダーＶ」のデモ抽選テーブル選択テーブルは、ＲＢ内部当り中（４）の各当選フラグに対応するデモ抽選テーブル番号とＢＢ内部当り中（５）の各当選フラグに対応するデモ抽選テーブル番号が同一であって、丙５の43頁下部に掲載されているチャンスパターンの選択率表と同様の構成となっているため、上記５．（５）（５−２）（５−２−２）［相違点ｉに係る構成との関係］の項で述べたと同様、ＲＢ内部当り中又はＢＢ内部当り中に選択されるボーナス内部当り中である場合に、ＲＢ内部当り中にしか出現しない演出やＢＢ内部当り中にしか出現しない演出が選択されることは有り得ない。
　さらに、ＲＢ内部当たり中またはＢＢ内部当たり中にしか出現しない演出の選択確率をみても、ＲＢ当選時（33頁右から２欄目の０５Ｈ）２５／１２８、ＢＢ当選時（34頁右から２欄目の０６Ｈ）２９／１２８、ＲＢ又はＢＢ内部当り中のはずれ（34頁右から２欄目の０７Ｈ）３２／１２８、ＲＢ又はＢＢ内部当り中の２枚チェリー及び４枚チェリー（34頁右から２欄目の０８Ｈ）１８／１２８、ＲＢ又はＢＢ内部当り中のベル（34頁右から２欄目の０９Ｈ）４０／１２８、ＲＢ又はＢＢ内部当り中のスイカ（34頁右から２欄目の０ＡＨ）２０／１２８、ＲＢ又はＢＢ内部当り中のリプレイ（34頁右から２欄目の０ＢＨ）３２／１２８となっており、上記５．（５）（５−２）（５−２−２）［相違点ｊに係る構成との関係］の項で述べたと同様、ＲＢ又はＢＢ内部当り中の２枚チェリー及び４枚チェリー及びＲＢ又はＢＢ内部当り中のスイカにおいて、ＲＢ当選時やＢＢ当選時よりも選択確率が低くなっている。
　よって、甲２７には相違点ｉ及びｊに係る構成が記載されているとはいえない。
　また、請求人が提出した他の証拠にも、パチスロ機「サンダーＶ」が相違点ｉ及びｊに係る構成を備えていることは示されていない。
　したがって、パチスロ機「サンダーＶ」が訂正発明１０のその他の構成を全て備えていたとしても、訂正発明１０とパチスロ機「サンダーＶ」が同一のものであるということはできない。
　さらに、上記５．（５）（５−２）（５−２−４）［ｃ．及びｄ．の点についての検討］や同（５−２−５）の項で述べたと同様、訂正発明１０が、パチスロ機「サンダーＶ」に基づいてＰ２出願日当時の当業者が容易に発明できたものともいえない。
　なお、甲２７にはパチスロ機「ハナビ」の確定パターン、デモ抽選テーブル選択テーブル及びデモ抽選テーブルについて記載されているが、相違点ｉの構成は満足するものの、相違点ｊ及び相違点ｈ（ＢＢ内部当たり中の４枚チェリーにおいて確定パターンが選択されない）を満足していない。
　
（３）無効理由２について
　無効理由２は、請求項１０等に係る発明は、甲２８〜３６に記載された発明に基づいて当業者が容易に発明をすることができたものであるとする無効理由である。
　しかし、少なくとも訂正発明１０と甲２８発明との相違点ｉ及びｊに係る構成を記載又は示唆した証拠は見いだせないので、上記５．（５）（５−２）（５−２−４）［ｃ．及びｄ．の点についての検討］や同（５−２−５）の項で述べたと同様、甲２８〜３６に記載された発明に基づいてＰ２出願日当時の当業者が容易に発明できたものともいえない。
　
　
第６．むすび 
　上記第５．４．（４）の（４−２）、（４−４）及び（４−５）で検討したとおり、訂正発明３、６及び７は、Ｐ１出願日当時の当業者が容易に発明をすることができたものであり、上記第５．５．（５）の（５−２）、同６．（２）及び（３）で検討したとおり、訂正発明１０は、Ｐ２出願日当時の当業者が容易に発明をすることができたものではなく、上記第５．５．（５）の（５−４）、（５−６）及び（５−８）に記載したように、訂正発明２６〜２８は、Ｐ２出願日当時の当業者が容易に発明をすることができたものである。
　よって、訂正後の明細書に記載された請求項３、６及び７の特許及び請求項２６〜２８の特許は、特許法２９条２項の規定に違反してされたものであるから、同法１２３条１項２号の規定に該当し無効とすべきものである。
　また、訂正後の明細書に記載された請求項１０の特許については、請求人の主張及び証拠方法並びに平成２３年４月１日付けの無効理由通知書に示された理由によっては無効とすることができない。
　審判に関する費用については、特許法第１６９条第２項の規定で準用する民事訴訟法第６４条の規定により、その１０分の１を請求人が負担し、１０分の９を被請求人が負担すべきものとする。
　よって、結論のとおり審決する。